(57)【特許請求の範囲】
【請求項１】
ユーザ機器（ＵＥ）により緊急メッセージを処理するための方法であり、
Ｌｏｎｇ  Ｔｅｒｍ  Ｅｖｏｌｕｔｉｏｎ（ＬＴＥ）トランシーバによる高優先度通信（ＨＰＣ）アクティビティを検出するステップと；
前記ＨＰＣアクティビティに対応するために、ユーザにより選択された一つ以上のトランシーバに対して行われる調整を決定するステップと；
前記ＨＰＣアクティビティに対応するために、前記ユーザにより選択された一つ以上のトランシーバの設定を調整するステップと；
前記ＬＴＥトランシーバによる前記ＨＰＣアクティビティの終了を検出するステップと；
前記ＨＰＣアクティビティの前記終了に対応するために前記ユーザにより選択された一つ以上のトランシーバの前記設定を調整するステップと
を含み、
前記ＨＰＣアクティビティは、システム情報ブロック＃１２メッセージにより送達される商用モバイル警報サービス（ＣＭＡＳ）を含む、方法。
【請求項２】
前記一つ以上のトランシーバが、Ｗｉ‐Ｆｉトランシーバを含む、請求項１に記載の方法。
【請求項３】
前記一つ以上のトランシーバが、Ｂｌｕｅｔｏｏｔｈトランシーバを含む、請求項１に記載の方法。
【請求項４】
前記一つ以上のトランシーバが、Ｗｉ‐ＦｉトランシーバおよびＢｌｕｅｔｏｏｔｈトランシーバの両方を含む、請求項１に記載の方法。
【請求項５】
前記ＨＰＣアクティビティに対応するために前記一つ以上のトランシーバの前記設定を調整するステップが、前記一つ以上のトランシーバの一つ以上の電力増幅器をオフにするステップを含む、請求項１に記載の方法。
【請求項６】
前記ＨＰＣアクティビティに対応するために前記一つ以上のトランシーバの前記設定を調整するステップが、前記一つ以上のトランシーバをオフにするために前記一つ以上のト
ランシーバのコントローラに論理コマンドを送信するステップを含む、請求項１に記載の方法。
【請求項７】
前記ＨＰＣアクティビティに対応するために前記一つ以上のトランシーバに対して行われる調整を決定するステップが、製造業者により設定された構成を決定するステップを含む、請求項１に記載の方法。
【請求項８】
緊急メッセージを処理するために構成されたユーザ機器（ＵＥ）であり、
プロセッサと；
前記プロセッサと電子通信するメモリと；
前記メモリに記憶された命令であり、
Ｌｏｎｇ  Ｔｅｒｍ  Ｅｖｏｌｕｔｉｏｎ（ＬＴＥ）トランシーバによる高優先度通信（ＨＰＣ）アクティビティを検出し；
前記ＨＰＣアクティビティに対応するために、ユーザにより選択された一つ以上のトランシーバに対して行われる調整を決定し；
前記ＨＰＣアクティビティに対応するために、前記ユーザにより選択された一つ以上のトランシーバの設定を調整し；
前記ＬＴＥトランシーバによる前記ＨＰＣアクティビティの終了を検出し；
前記ＨＰＣアクティビティの前記終了に対応するために前記ユーザにより選択された一つ以上のトランシーバの前記設定を調整する
ために実行可能である、前記命令と
を含み、
前記ＨＰＣアクティビティは、システム情報ブロック＃１２メッセージにより送達される商用モバイル警報サービス（ＣＭＡＳ）を含む、
ユーザ機器（ＵＥ）。
【請求項９】
前記一つ以上のトランシーバが、Ｗｉ‐Ｆｉトランシーバを含む、請求項８に記載のＵＥ。
【請求項１０】
前記一つ以上のトランシーバが、Ｂｌｕｅｔｏｏｔｈトランシーバを含む、請求項８に記載のＵＥ。
【請求項１１】
前記一つ以上のトランシーバが、Ｗｉ‐ＦｉトランシーバとＢｌｕｅｔｏｏｔｈトランシーバの両方を含む、請求項８に記載のＵＥ。
【請求項１２】
前記ＨＰＣアクティビティに対応するために前記一つ以上のトランシーバの前記設定を調整するために実行可能な前記命令が、前記一つ以上のトランシーバの一つ以上の電力増幅器をオフにするために実行可能な命令を含む、請求項８に記載のＵＥ。
【請求項１３】
前記ＨＰＣアクティビティに対応するために前記一つ以上のトランシーバの前記設定を調整するために実行可能な前記命令が、前記一つ以上のトランシーバをオフにするために前記一つ以上のトランシーバのコントローラに論理コマンドを送信するために実行可能な命令を含む、請求項８に記載のＵＥ。
【請求項１４】
前記ＨＰＣアクティビティに対応するために前記一つ以上のトランシーバに対して行われる調整を決定するために実行可能な前記命令が、製造業者により設定された構成を決定するために実行可能な命令を含む、請求項８に記載のＵＥ。
【発明の詳細な説明】
【技術分野】
【０００１】
本発明は、一般にワイヤレス通信およびワイヤレス通信関連技術に関する。より具体的には、本発明は、ＬＴＥが緊急メッセージを処理する間にＩＳＭバンドのトランシーバを無効化するためのシステムおよび方法に関する。
【背景技術】
【０００２】
ワイヤレス通信デバイスは、消費者のニーズを満たし、携帯性および利便性を高めるために、より小型で強力になっている。消費者はワイヤレス通信デバイスに依存するようになり、信頼できるサービス、カバレッジエリアの拡大、機能性の増大を期待するようになっている。ワイヤレス通信システムは、複数のセルに通信を提供することができ、各セルに基地局が対応しうる。基地局は、移動局と通信する固定局でありうる。
【０００３】
ワイヤレス通信の効率および質を高めるために、ワイヤレス通信システムにおいて様々な信号処理技術が利用されうる。例えばワイヤレス通信デバイスは、ワイヤレス通信にＬｏｎｇ  Ｔｅｒｍ  Ｅｖｏｌｕｔｉｏｎ（ロングタームエボリューション；ＬＴＥ）技術を利用しうる。ワイヤレス通信デバイスは、Ｗｉ‐ＦｉやＢｌｕｅｔｏｏｔｈ（ブルートゥース）（登録商標）といった追加的な通信技術も利用しうる。複数の通信技術を利用するワイヤレス通信デバイスは、通信技術ごとに異なるトランシーバを使用しうる。
【０００４】
ワイヤレス通信デバイスは、緊急通信を受信しうる。これらの緊急通信は、他の非緊急通信よりも高い優先度を有しうる。したがって、これらの優先度の高い緊急通信の受信可能性を高めるためにワイヤレス通信デバイスが調整を行うことが望ましいと考えられる。一つのそのような調整は、緊急通信を妨げうるトランシーバの無効化である。したがって、緊急通信が受ける干渉を減少させるためのワイヤレス通信デバイスの設定調整の改善により、利益が実現されうる。
【発明の概要】
【課題を解決するための手段】
【０００５】
本発明によれば、ユーザ機器（ＵＥ；ｕｓｅｒ  ｅｑｕｉｐｍｅｎｔ）により緊急メッセージを処理するための方法が提供され、該方法には、
Ｌｏｎｇ  Ｔｅｒｍ  Ｅｖｏｌｕｔｉｏｎ（ＬＴＥ）トランシーバによる高優先度通信（ＨＰＣ；ｈｉｇｈ  ｐｒｉｏｒｉｔｙ  ｃｏｍｍｕｎｉｃａｔｉｏｎ）アクティビティを検出するステップと；
ＨＰＣアクティビティに対応するために一つ以上のトランシーバに対して行われる調整を決定するステップと；
ＨＰＣアクティビティに対応するために当該一つ以上のトランシーバの設定を調整するステップと；
ＬＴＥトランシーバによるＨＰＣアクティビティの終了を検出するステップと；
ＨＰＣアクティビティの終了に対応するために一つ以上のトランシーバの設定を調整するステップと
が含まれる。
【０００６】
本発明によれば、緊急メッセージを処理するために構成されたユーザ機器（ＵＥ）が提供され、当該ユーザ機器には、
プロセッサと；
当該プロセッサと電子通信するメモリと；
当該メモリに記憶された命令であり、
Ｌｏｎｇ  Ｔｅｒｍ  Ｅｖｏｌｕｔｉｏｎ（ＬＴＥ）トランシーバによる高優先度通信（ＨＰＣ）アクティビティを検出し；
ＨＰＣアクティビティに対応するために一つ以上のトランシーバに対して行われる調整を決定し；
ＨＰＣアクティビティに対応するために当該一つ以上のトランシーバの設定を調整し；
ＬＴＥトランシーバによるＨＰＣアクティビティの終了を検出し；
ＨＰＣアクティビティの終了に対応するために当該一つ以上のトランシーバの設定を調整する
ために実行可能である命令と
が含まれる。
【０００７】
本発明の前述の目的および他の目的、機能ならびに利点は、以下の本発明の詳細な説明を添付の図面とともに考慮することでより容易に理解される。
【図面の簡単な説明】
【０００８】
【図１Ａ】複数のワイヤレスデバイスを含むワイヤレス通信システム１００を示したブロック図である。
【図１Ｂ】本システムおよび方法のためのユーザ機器（ＵＥ）１０４ａのブロック図である。
【図２】第一技術トランシーバによる高優先度通信（ＨＰＣ）アクティビティに応答するための方法の流れ図である。
【図３】本システムおよび方法に用いられるＩＳＭコントローラのブロック図である。
【図４】ワイヤレステレコムのプロトコルスタックを示すブロック図である。
【図５】Ｌｏｎｇ  Ｔｅｒｍ  Ｅｖｏｌｕｔｉｏｎ（ＬＴＥ）トランシーバによる高優先度通信（ＨＰＣ）アクティビティに応答するための別の方法の流れ図である。
【図６】ｅＮＢにより設定された構成を用いてＬｏｎｇ  Ｔｅｒｍ  Ｅｖｏｌｕｔｉｏｎ（ＬＴＥ）トランシーバによる高優先度通信（ＨＰＣ）アクティビティに応答するための方法の流れ図である。
【図７】ユーザにより設定された構成を用いてＬｏｎｇ  Ｔｅｒｍ  Ｅｖｏｌｕｔｉｏｎ（ＬＴＥ）トランシーバによる高優先度通信（ＨＰＣ）アクティビティに応答するための方法の流れ図である。
【図８】Ｂｌｕｅｔｏｏｔｈトランシーバの電力増幅器を有効化するための方法の流れ図である。
【図９】Ｂｌｕｅｔｏｏｔｈトランシーバの電力増幅器を無効化するための方法の流れ図である。
【図１０】Ｂｌｕｅｔｏｏｔｈトランシーバを論理的に有効化するための方法の流れ図である。
【図１１】Ｂｌｕｅｔｏｏｔｈトランシーバを論理的に無効化するための方法の流れ図である。
【図１２】動作モード（Ｏｐｅｒａｔｉｎｇ  Ｍｏｄｅｓ）を設定およびクリアするためのｅＮＢからのコマンドをパースするための方法の流れ図である。
【図１３】動作モードを設定およびクリアするためのｅＮＢからのコマンドをパースするための別の方法の流れ図である。
【図１４】動作モードを設定およびクリアするためのｅＮＢからのコマンドをパースするためのさらに別の方法の流れ図である。
【図１５】動作モードを設定およびクリアするためのｅＮＢからのコマンドをパースするための別の方法の流れ図である。
【図１６】動作モードを設定およびクリアするためのｅＮＢからのコマンドをパースするための別の方法の流れ図である。
【図１７】動作モードを設定およびクリアするためのｅＮＢからのコマンドをパースするためのさらに別の方法の流れ図である。
【図１８】動作モードを設定およびクリアするためのｅＮＢからのコマンドをパースするための別の方法の流れ図である。
【図１９】動作モードを設定およびクリアするためのｅＮＢからのコマンドをパースするためのさらに別の方法の流れ図である。
【図２０】動作モードを設定およびクリアするためのｅＮＢからのコマンドをパースするための別の方法の流れ図である。
【図２１】ｅ９１１呼を完了するための方法の流れ図である。
【図２２】ＮＡＳ（Ｎｏｎ−Ａｃｃｅｓｓ  Ｓｔｒａｔｕｍ；非アクセス層）が現在高いＱｏＳ（Ｑｕａｌｉｔｙ  ｏｆ  Ｓｅｒｖｉｃｅ；サービス品質）に割り当てられたＤＲＢ（Ｄａｔａ  Ｒａｄｉｏ  Ｂｅａｒｅｒ；データ無線ベアラ）がないことをシグナリングしているか決定するための方法の流れ図である。
【図２３】高優先度通信（ＨＰＣ）アクティビティを検出するための方法の流れ図である。
【図２４】ＳＩＢ１０＿Ｔｉｍｅｒの期限が切れているか決定するための方法の流れ図である。
【図２５】ＳＩＢ１１＿Ｔｉｍｅｒの期限が切れているか決定するための方法の流れ図である。
【図２６】ＳＩＢ１２＿Ｔｉｍｅｒの期限が切れているか決定するための方法の流れ図である。
【図２７】ｅ９１１呼が終了しているときを決定するための方法の流れ図である。
【図２８】ＬＴＥトランシーバがｅｍｅｒｇｅｎｃｙに設定されたｅｓｔａｂｌｉｓｈｍｅｎｔＣａｕｓｅを含むＲＲＣＣｏｎｎｅｃｔｉｏｎＲｅｑｕｅｓｔを伝送したときにＨＰＣアクティビティを検出するための方法の流れ図である。
【図２９】ＤＲＢに高いＱｏＳが割り当てられているときに高優先度通信（ＨＰＣ）アクティビティを検出するための方法の流れ図である。
【図３０】高優先度通信（ＨＰＣ）アクティビティを検出するための方法の流れ図である。
【図３１】高優先度通信（ＨＰＣ）アクティビティを検出するための別の方法の流れ図である。
【図３２】高優先度通信（ＨＰＣ）アクティビティの開始と終了を検出するための方法の流れ図である。
【図３３】ＩＳＭコントローラを開始するための方法の流れ図である。
【図３４】ＩＳＭ＿Ｓｔａｔｅ＿Ｍａｃｈｉｎｅを実行するための方法の流れ図である。
【図３５】Ｗｉ‐Ｆｉの無効化をユーザおよびｅＮＢに報知するための方法の流れ図である。
【図３６】Ｂｌｕｅｔｏｏｔｈの無効化をユーザおよびｅＮＢに報知するための方法の流れ図である。
【図３７】高優先度通信（ＨＰＣ）アクティビティが検出されていることを指示するイベントを処理するための方法の流れ図である。
【図３８】以前に無効化されたＷｉ‐Ｆｉの有効化をユーザおよびｅＮＢに報知するための方法の流れ図である。
【図３９】以前に無効化されたＢｌｕｅｔｏｏｔｈの有効化をユーザおよびｅＮＢに報知するための方法の流れ図である。
【図４０】高優先度通信（ＨＰＣ）アクティビティの間に変化した可能性のある不揮発性（ＮＶ；Ｎｏｎ−Ｖｏｌａｔｉｌｅ）メモリに記憶された値を用いて動作パラメータおよび動作モードの作業コピーを更新するための方法の流れ図である。
【図４１】全てのアクティブな高優先度通信（ＨＰＣ）が終了していることを指示するイベントを処理するための方法の流れ図である。
【図４２】ＬＴＥ＿Ｓｔａｔｅ＿Ｇｅｎｅｒａｔｏｒの状態を調整するための方法の流れ図である。
【図４３】ユーザからコマンドを受け取る方法の流れ図である。
【図４４】Ｗｉ‐Ｆｉに関するユーザからのコマンドをパースするための方法の流れ図である。
【図４５】Ｂｌｕｅｔｏｏｔｈに関するユーザからのコマンドをパースするための方法の流れ図である。
【図４６】Ｗｉ‐Ｆｉトランシーバの電力増幅器を有効化するための方法の流れ図である。
【図４７】Ｗｉ‐Ｆｉトランシーバの電力増幅器を無効化するための方法の流れ図である。
【図４８】Ｗｉ‐Ｆｉトランシーバを論理的に有効化するための方法の流れ図である。
【図４９】Ｗｉ‐Ｆｉトランシーバを論理的に無効化するための方法の流れ図である。
【図５０】ユーザ機器（ＵＥ）において使用されうる様々な構成要素を示す。
【図５１】ｅＮＢにおいて使用されうる様々な構成要素を示す。
【発明を実施するための形態】
【０００９】
ユーザ機器（ＵＥ）により緊急メッセージを処理するための方法を記載する。Ｌｏｎｇ  Ｔｅｒｍ  Ｅｖｏｌｕｔｉｏｎ（ＬＴＥ）トランシーバによる高優先度通信（ＨＰＣ）アクティビティが検出される。ＨＰＣアクティビティに対応するために一つ以上のトランシーバに対して行われる調整が決定される。ＨＰＣアクティビティに対応するために、当該一つ以上のトランシーバの設定が調整される。ＬＴＥトランシーバによるＨＰＣアクティビティの終了が検出される。ＨＰＣアクティビティの終了に対応するために、当該一つ以上のトランシーバの設定が調整される。
【００１０】
一つ以上のトランシーバには、Ｗｉ‐Ｆｉトランシーバが含まれうる。一つ以上のトランシーバには、Ｂｌｕｅｔｏｏｔｈトランシーバが代わりに含まれてもよい。一つ以上のトランシーバには、Ｗｉ‐ＦｉトランシーバおよびＢｌｕｅｔｏｏｔｈトランシーバの両方が含まれうる。ＨＰＣアクティビティに対応するために一つ以上のトランシーバの設定を調整するステップには、当該一つ以上のトランシーバの一つ以上の電力増幅器をオフにするステップ、または、当該一つ以上のトランシーバをオフにするために当該一つ以上のトランシーバのコントローラに論理コマンドを送信するステップが含まれうる。
【００１１】
ＨＰＣアクティビティに対応するために一つ以上のトランシーバに対して行われる調整を決定するステップには、製造業者により設定された構成を決定するステップが含まれうる。ＨＰＣアクティビティに対応するために一つ以上のトランシーバに対して行われる調整を決定するステップには、ＨＰＣアクティビティを指示する通知をｅＮＢに送信するステップと、ｅＮＢにより設定された構成を含むメッセージをｅＮＢから受信するステップも含まれうる。ＨＰＣアクティビティに対応するために一つ以上のトランシーバに対して行われる調整を決定するステップには、ＨＰＣアクティビティの間に当該一つ以上のトランシーバの機能が影響を受けることをユーザに報知し、構成を選択するようユーザにプロンプトし、ユーザが設定した構成を適用するステップがさらに含まれうる。
【００１２】
ＨＰＣアクティビティに対応するために一つ以上のトランシーバに対して行われる調整を決定するステップには、ＨＰＣアクティビティを指示する通知をｅＮＢに送信するステップと、構成を含むメッセージがｅＮＢから受信されているか決定するステップとが含まれうる。構成を含むメッセージがｅＮＢから受信されているときには、ＨＰＣアクティビティに対応するために一つ以上のトランシーバの設定を調整するステップには、ｅＮＢから受信された構成を適用するステップが含まれうる。
【００１３】
構成を含むメッセージがｅＮＢから受信されていないときには、ＨＰＣアクティビティに対応するために一つ以上のトランシーバに対して行われる調整を決定するステップには、ＵＥに製造業者により設定された構成があるか決定するステップが含まれうる。ＵＥに製造業者により設定された構成があるときには、ＨＰＣアクティビティに対応するために一つ以上のトランシーバの設定を調整するステップには、製造業者により設定された構成を適用するステップが含まれうる。ＵＥに製造業者により構成が設定されていないときには、ＨＰＣアクティビティに対応するために一つ以上のトランシーバに対して行われる調整を決定するステップには、ユーザにより設定される構成をユーザにプロンプトするステップと、ユーザにより設定された構成を受信するステップが含まれうる。ＨＰＣアクティビティに対応するために一つ以上のトランシーバの設定を調整するステップには、ユーザにより設定された構成を適用するステップが含まれうる。
【００１４】
ＨＰＣアクティビティに対応するために一つ以上のトランシーバに対して行われる調整を決定するステップには、ｅＮＢにより設定された構成を当該ｅＮＢから受信するステップと、ＵＥに製造業者により設定された構成があることを決定するステップと、製造業者により設定された構成をｅＮＢにより設定された構成でオーバーライドするステップが含まれうる。ＨＰＣアクティビティに対応するために一つ以上のトランシーバに対して行われる調整を決定するステップには、ＵＥに製造業者により設定された構成があることを決定するステップと、ユーザにより設定された構成を当該ユーザから受信するステップと、ユーザにより設定された構成を製造業者により設定された構成でオーバーライドするステップも含まれうる。
【００１５】
ＨＰＣアクティビティに対応するために一つ以上のトランシーバに対して行われる調整を決定するステップには、ｅＮＢにより設定された構成を当該ｅＮＢから受信するステップと、ユーザにより設定された構成を当該ユーザから受信するステップと、ユーザにより設定された構成をｅＮＢにより設定された構成でオーバーライドするステップも含まれうる。ＨＰＣアクティビティの終了に対応するために一つ以上のトランシーバの設定を調整するステップには、当該一つ以上のトランシーバをオンに戻すステップが含まれうる。
【００１６】
緊急メッセージを処理するために構成されるユーザ機器（ＵＥ）についても記載する。ユーザ機器（ＵＥ）は、プロセッサと、当該プロセッサと電子通信するメモリと、当該メモリに記憶される命令とを含む。命令は、Ｌｏｎｇ  Ｔｅｒｍ  Ｅｖｏｌｕｔｉｏｎ（ＬＴＥ）トランシーバによる高優先度通信（ＨＰＣ）アクティビティを検出するために実行可能である。命令は、ＨＰＣアクティビティに対応するために一つ以上のトランシーバに対して行われる調整を決定するためにも実行可能である。命令は、ＨＰＣアクティビティに対応するために一つ以上のトランシーバの設定を調整するためにさらに実行可能である。命令は、ＬＴＥトランシーバによるＨＰＣアクティビティの終了を検出するためにも実行可能である。命令は、ＨＰＣアクティビティの終了に対応するために一つ以上のトランシーバの設定を調整するためにさらに実行可能である。
【００１７】
「３ＧＰＰ」とも呼ばれる第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのグローバルに適用可能な技術仕様書および技術報告書を定めることを目指す協力合意である。３ＧＰＰは、次世代モバイルネットワーク、システムおよびデバイスのための仕様書を定めうる。
【００１８】
３ＧＰＰ  Ｌｏｎｇ  Ｔｅｒｍ  Ｅｖｏｌｕｔｉｏｎ（ＬＴＥ）は、ユニバーサル移動体通信システム（ＵＭＴＳ；Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）携帯電話またはデバイス規格を改善して将来的要求に対処するためのプロジェクトに与えられた名称である。一面ではＵＭＴＳは、発展型ユニバーサル地上無線アクセス（Ｅ‐ＵＴＲＡ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および発展型ユニバーサル地上無線アクセスネットワーク（Ｅ‐ＵＴＲＡＮ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のためのサポートおよび仕様を提供するように修正されている。
【００１９】
本明細書に開示されるシステムおよび方法の少なくとも一部の態様は、３ＧＰＰ  Ｌｏｎｇ  Ｔｅｒｍ  Ｅｖｏｌｕｔｉｏｎ（ＬＴＥ）およびＬｏｎｇ  Ｔｅｒｍ  Ｅｖｏｌｕｔｉｏｎ（ＬＴＥ）‐Ａｄｖａｎｃｅｄ規格（例えばＲｅｌｅａｓｅ‐８、Ｒｅｌｅａｓｅ‐９およびＲｅｌｅａｓｅ‐１０）に関して記載されうる。しかし、本開示の範囲は、この点に関して制限されてはならない。本明細書に開示されるシステムおよび方法の少なくとも一部の態様は、他のタイプのワイヤレス通信システムで利用されうる。
【００２０】
本明細書において「同時」という用語は、二つ以上の事象が重なり合う時間フレームに生起する状況を表すために使用されうる。換言すれば、二つの「同時」の事象は、時間的にある程度重なりうるが、必ずしも同じ持続時間ではない。さらに、同時の事象は、同じ時に開始または終了してもよいし、してなくてもよい。
【００２１】
図１Ａは、複数のワイヤレスデバイスを含むワイヤレス通信システム１００を示したブロック図である。ワイヤレスデバイスは、ユーザ機器（ＵＥ）１０４またはｅＮＢ（ｅＮｏｄｅ  Ｂ）１０２でありうる。ｅＮＢ１０２は、一つ以上のユーザ機器（ＵＥ）１０４とワイヤレス通信しうる。ｅＮＢ１０２は、アクセスポイント、Ｎｏｄｅ  Ｂ、基地局または何らかの他の用語で呼ばれうる。同様に、ユーザ機器（ＵＥ）１０４は、移動局、加入者局、アクセス端末、遠隔局、ユーザ端末、端末、ハンドセット、加入者ユニット、ワイヤレス通信デバイス、または何らかの他の用語で呼ばれうる。ｅＮＢ１０２は、コアネットワーク１０５と通信しうる。
【００２２】
ユーザ機器（ＵＥ）１０４とｅＮＢ１０２との間の通信は、アップリンクおよびダウンリンクを含むワイヤレスリンクによる伝送を用いて達成されうる。アップリンクとは、ユーザ機器（ＵＥ）１０４からｅＮＢ１０２に送信される通信をいう。ダウンリンクとは、ｅＮＢ１０２からユーザ機器（ＵＥ）１０４に送信される通信をいう。通信リンクは、単入力単出力（ＳＩＳＯ；ｓｉｎｇｌｅ‐ｉｎｐｕｔ  ａｎｄ  ｓｉｎｇｌｅ‐ｏｕｔｐｕｔ）、多入力単出力（ＭＩＳＯ；ｍｕｌｔｉｐｌｅ‐ｉｎｐｕｔ  ａｎｄ  ｓｉｎｇｌｅ‐ｏｕｔｐｕｔ）、単入力多出力（ＳＩＭＯ；ｓｉｎｇｌｅ‐ｉｎｐｕｔ  ａｎｄ  ｍｕｌｔｉｐｌｅ‐ｏｕｔｐｕｔ）、または多入力多出力（ＭＩＭＯ；ｍｕｌｔｉｐｌｅ‐ｉｎｐｕｔ  ａｎｄ  ｍｕｌｔｉｐｌｅ‐ｏｕｔｐｕｔ）システムを用いて確立されうる。ＭＩＭＯシステムは、複数の伝送および受信アンテナを備えた伝送器および受信器の両方を含みうる。したがってｅＮＢ１０２は複数のアンテナ１９９ａ〜ｎを有し得、ユーザ機器（ＵＥ）１０４は複数のアンテナ１９７ａ〜ｎを有しうる。このようにして、ｅＮＢ１０２およびユーザ機器（ＵＥ）１０４がそれぞれＭＩＭＯシステムにおいて伝送器または受信器として動作しうる。ＭＩＭＯシステムの一つの利点は、複数の伝送および受信アンテナにより生成される追加の次元が利用される場合の性能の向上である。
【００２３】
ユーザ機器（ＵＥ）１０４は、一つ以上のアンテナ１９９ａ〜ｎを使用してｅＮＢ１０２と通信する。様々なネットワークおよびサービスへのアクセスを可能にするため、ユーザ機器（ＵＥ）１０４は、複数の無線トランシーバを備えうる。例えば、ユーザ機器（ＵＥ）１０４は、Ｌｏｎｇ  Ｔｅｒｍ  Ｅｖｏｌｕｔｉｏｎ（ＬＴＥ）トランシーバ１０６、Ｗｉ‐Ｆｉトランシーバ１０８、Ｂｌｕｅｔｏｏｔｈトランシーバ１１０および全地球航法衛星システム（ＧＮＳＳ；ｇｌｏｂａｌ  ｎａｖｉｇａｔｉｏｎ  ｓａｔｅｌｌｉｔｅ  ｓｙｓｔｅｍ）受信器１０９を備えうる。一度に複数のトランシーバを同一のデバイス内で同時に動作させることの問題点の一つは、一つのトランシーバの伝送により別のトランシーバの受信に生じる干渉を回避しようとすることにある。これはユーザ機器（ＵＥ）１０４の場合には、伝送器１１４ａ〜ｃの伝送電力が受信器１１２ａ〜ｃの受信電力よりはるかに高くなりうるようなトランシーバの接近による。
【００２４】
ユーザ機器（ＵＥ）１０４は、Ｌｏｎｇ  Ｔｅｒｍ  Ｅｖｏｌｕｔｉｏｎ（ＬＴＥ）トランシーバ１０６を含みうる。Ｌｏｎｇ  Ｔｅｒｍ  Ｅｖｏｌｕｔｉｏｎ（ＬＴＥ）トランシーバ１０６は、Ｌｏｎｇ  Ｔｅｒｍ  Ｅｖｏｌｕｔｉｏｎ（ＬＴＥ）伝送および受信に使用されうる。Ｌｏｎｇ  Ｔｅｒｍ  Ｅｖｏｌｕｔｉｏｎ（ＬＴＥ）トランシーバ１０６は、復調器１１６ａを有する受信器１１２ａを含みうる。Ｌｏｎｇ  Ｔｅｒｍ  Ｅｖｏｌｕｔｉｏｎ（ＬＴＥ）トランシーバ１０６は、変調器１１８ａを有する伝送器１１４ａも含みうる。
【００２５】
ユーザ機器（ＵＥ）１０４は、Ｗｉ‐Ｆｉトランシーバ１０８も含みうる。Ｗｉ‐Ｆｉトランシーバ１０８は、Ｗｉ‐Ｆｉ信号を伝送および受信するために使用されうる。Ｗｉ‐Ｆｉ信号は、Ｗｉ‐ＦｉまたはＷｉｒｅｌｅｓｓ  Ｆｉｄｅｌｉｔｙ（ワイヤレスフィデリティ）信号と称されうる。Ｗｉ‐Ｆｉは、Ｗｉ‐Ｆｉ  Ａｌｌｉａｎｃｅにより定められるＩＥＥＥ  ８０２．１１ワイヤレスネットワーク標準の実装および規格である。Ｗｉ‐Ｆｉは、産業科学医療用（ＩＳＭ；Ｉｎｄｕｓｔｒｉａｌ，Ｓｃｉｅｎｔｉｆｉｃ  ａｎｄ  Ｍｅｄｉａｌ）バンド内の通信をさしうる。しかし、Ｗｉ‐Ｆｉは、ＩＳＭバンド外のワイヤレス通信もさしうる。
【００２６】
Ｗｉ‐Ｆｉトランシーバ１０８は、受信器１１２ｂおよび伝送器１１４ｂを含みうる。受信器１１２ｂは、復調器１１６ｂを含みうる。伝送器１１４ｂは、変調器１１８ｂおよび一つ以上の電力増幅器１１９ａを含みうる。一つ以上の電力増幅器１１９ａは、伝送前に信号を増幅するために使用されうる。一つ以上の電力増幅器１１９ａを停止することにより、ユーザ機器（ＵＥ）１０４は、Ｗｉ‐Ｆｉトランシーバ１０８の伝送器１１４ｂの伝送を停止しうる。本明細書においては、Ｗｉ‐Ｆｉトランシーバ１０８の伝送器１１４ｂの伝送の停止をＷｉ‐Ｆｉトランシーバ１０８の停止と称する。
【００２７】
ユーザ機器（ＵＥ）１０４は、Ｂｌｕｅｔｏｏｔｈトランシーバ１１０をさらに含みうる。Ｂｌｕｅｔｏｏｔｈトランシーバ１１０は、受信器１１２ｃおよび伝送器１１４ｃを含みうる。受信器１１２ｃは、復調器１１６ｃを含みうる。伝送器１１４ｃは、変調器１１８ｃおよび一つ以上の電力増幅器１１９ｂを含みうる。一つ以上の電力増幅器１１９ｂは、伝送信号を増幅するために使用されうる。一つ以上の電力増幅器１１９ｂを停止することにより、ユーザ機器（ＵＥ）１０４は、Ｂｌｕｅｔｏｏｔｈトランシーバ１１０の伝送器１１４ｃの伝送を停止しうる。本明細書においては、Ｂｌｕｅｔｏｏｔｈトランシーバ１１０の伝送器１１４ｃの伝送の停止を、Ｂｌｕｅｔｏｏｔｈトランシーバ１１０の停止と称する。
【００２８】
受信器１１２ａ〜ｃは、一つ以上のアンテナ１９７ａ〜ｃを使用してｅＮＢ１０２から信号を受信しうる。伝送器１１４ａ〜ｃは、一つ以上のアンテナ１９７ａ〜ｃを使用してｅＮＢ１０２に信号を送信しうる。例えば、Ｌｏｎｇ  Ｔｅｒｍ  Ｅｖｏｌｕｔｉｏｎ（ＬＴＥ）トランシーバ１０６は第一アンテナ１９７ａを使用して伝送および受信すればよく、Ｗｉ‐Ｆｉトランシーバ１０８は第二アンテナ１９７ｂを使用して伝送および受信すればよく、Ｂｌｕｅｔｏｏｔｈトランシーバは第三アンテナ１９７ｃを使用して伝送および受信すればよい。一構成においては、トランシーバは複数のアンテナを使用しうる（図示せず）。複数のトランシーバが同じアンテナ１９７を使用してもよい（例えば、Ｂｌｕｅｔｏｏｔｈトランシーバ１１０は、Ｗｉ‐Ｆｉトランシーバ１０８と同じアンテナを使用しうる）。
【００２９】
Ｉｎ‐ｄｅｖｉｃｅ  Ｃｏｅｘｉｓｔｅｎｃｅ  Ｉｎｔｅｒｆｅｒｅｎｃｅ（ＩＤＣ）（ＩＣＯとも呼ばれる）Ａｖｏｉｄａｎｃｅ（デバイス内共存干渉回避）は、第４８回３ＧＰＰ  ＲＡＮ会合（ＲＰ‐１００６７１）で承認された新たなスタディアイテム（ＳＩ；Ｓｔｕｄｙ  Ｉｔｅｍ）であり、その結果となる仕様がＲｅｌ‐１１に含まれることが期待される。このスタディアイテム（ＳＩ）は、Ｌｏｎｇ  Ｔｅｒｍ  Ｅｖｏｌｕｔｉｏｎ（ＬＴＥ）‐Ａ、ＧＮＳＳ、ＢｌｕｅｔｏｏｔｈおよびＷｉ‐Ｆｉ無線が同一のデバイスに実装され、隣接またはサブハーモニック周波数で動作する場合に遭遇する共存シナリオに対処する。Ｗｉ‐ＦｉおよびＢｌｕｅｔｏｏｔｈは、同一の周波数バンド（２４００メガヘルツ（ＭＨｚ）〜２４８３．５ＭＨｚのＩＳＭバンド）を占める。スタディの目的は、シグナリングおよび手続き（すなわち干渉の検出ならびに時間ならびに周波数および電力資源のスケジューリングを通じた干渉の回避）の観点から干渉回避のための方法の適性を特定および調査することである。手続き的方法が不十分であれば、スタディでメカニズム（例えばデバイス間通信）の改善が検討されうる。
【００３０】
同じ時に動作する複数のトランシーバ間の干渉が緩和される最も単純な手段は、送受信器アンテナの物理的分離および／または送受信信号間の十分な周波数分離による。周波数分離が十分でないときにはフィルタ技術を適用でき、これにより伝送器が帯域外スプリアス発射を低減させることができ、受信器が帯域外スプリアス発射を排除することができる。
【００３１】
一部のＬｏｎｇ  Ｔｅｒｍ  Ｅｖｏｌｕｔｉｏｎ（ＬＴＥ）用途のシナリオでは、Ｗｉ‐ＦｉおよびＢｌｕｅｔｏｏｔｈに割り当てられる周波数バンド（すなわちＩＳＭ）とＬｏｎｇ  Ｔｅｒｍ  Ｅｖｏｌｕｔｉｏｎ（ＬＴＥ）に割り当てられる周波数バンドとの隣接性により、フィルタ技術は帯域外スプリアス発射の十分な排除を提供できない。アンテナの物理的分離は、ユーザ機器（ＵＥ）１０４のような携帯デバイスには実際的ではない。ユーザ機器（ＵＥ）１０４に当てはまる干渉問題は、時分割多重化（ＴＤＭ；Ｔｉｍｅ  Ｄｉｖｉｓｉｏｎ  Ｍｕｌｔｉｐｌｅｘｅｄ）ソリューションまたは周波数分割多重化（ＦＤＭ；Ｆｒｅｑｕｅｎｃｙ  Ｄｉｖｉｓｉｏｎ  Ｍｕｌｔｉｐｌｅｘｅｄ）ソリューションを用いて解決されうる。
【００３２】
時分割多重化（ＴＤＭ）ソリューションにおいては、干渉する伝送器および／または干渉される受信器がその動作を時間的に協調させる。周波数分割多重化（ＦＤＭ）ソリューションにおいては、干渉する伝送器もしくは干渉される受信器または両方が別の周波数に移動する。Ｌｏｎｇ  Ｔｅｒｍ  Ｅｖｏｌｕｔｉｏｎ（ＬＴＥ）トランシーバの伝送器１１４ａがその出力電力を受信器１１２ａが動作できる点まで低下させるＬｏｎｇ  Ｔｅｒｍ  Ｅｖｏｌｕｔｉｏｎ（ＬＴＥ）電力制御ソリューションを用いても干渉問題を解決しうる。さらに、ユーザ機器（ＵＥ）１０４が伝送機会を一方的に中止するＵＥ自動拒否（ＵＡＤ；ＵＥ  Ａｕｔｏｎｏｍｏｕｓ  Ｄｅｎｉａｌ）を用いても干渉問題が解決されうる。ＵＡＤは、時分割多重化（ＴＤＭ）の特別なケースである。問題の伝送器を無効化することによっても干渉問題が解決されうる。ＩＤＣ問題に対処するために上述のソリューションの一つ以上が適用されうることが考えられる。
【００３３】
特にＬｏｎｇ  Ｔｅｒｍ  Ｅｖｏｌｕｔｉｏｎ（ＬＴＥ）トランシーバ１０６が高優先度通信（ＨＰＣ）を受信しているときには、Ｂｌｕｅｔｏｏｔｈトランシーバ１１０および／またはＷｉ‐Ｆｉトランシーバ１０８からの干渉はＬｏｎｇ  Ｔｅｒｍ  Ｅｖｏｌｕｔｉｏｎ（ＬＴＥ）トランシーバ１０６にとって問題でありうる。高優先度通信（ＨＰＣ）は、地震津波警報システム（ＥＴＷＳ；Ｅａｒｔｈｑｕａｋｅ  ａｎｄ  Ｔｓｕｎａｍｉ  Ｗａｒｎｉｎｇ  Ｓｙｓｔｅｍ）、商用モバイル警報サービス（ＣＭＡＳ；Ｃｏｍｍｅｒｃｉａｌ  Ｍｏｂｉｌｅ  Ａｌｅｒｔ  Ｓｅｒｖｉｃｅ）、ワイヤレスｅ９１１機能および高ＱｏＳ（サービス品質）ベアラをさしうる。
【００３４】
地震津波警報システム（ＥＴＷＳ）機能は、迅速かつ最適化された情報送達の必要性に対処しながら、多数のモバイルユーザに高優先度情報をほぼ同時の様式で送達する手段を提供する。日本政府の指示の下、日本の気象庁および国内放送業者が協力して、市民に地震および津波に警戒させるために用いられる公衆警報システム（ＰＷＳ；Ｐｕｂｌｉｃ  Ｗａｒｎｉｎｇ  Ｓｙｓｔｅｍ）を運用しうる。日本政府は日本の全てのセルラシステムに対し、このような警報の放送を促進することを要求する。３ＧＰＰは、地震津波警報システム（ＥＴＷＳ）のための機能およびアーキテクチャ要件を定義する作業指示書（ＷＩＤ；Ｗｏｒｋ  Ｉｎｓｔｒｕｃｔｉｏｎ  Ｄｏｃｕｍｅｎｔ）ＳＰ‐０７０８１５を採用した。地震津波警報システム（ＥＴＷＳ）機能は完成し、３ＧＰＰ  Ｒｅｌ‐８  Ｌｏｎｇ  Ｔｅｒｍ  Ｅｖｏｌｕｔｉｏｎ（ＬＴＥ）の一連の仕様の一部である。
【００３５】
商用モバイル警報サービス（ＣＭＡＳ）機能は、迅速かつ最適化された情報送達の必要性に対処しながら、多数のモバイルユーザに高優先度情報をほぼ同時の様式で送達する手段を提供する。２００６年にアメリカ合衆国議会により可決されたＷａｒｎｉｎｇ，Ａｌｅｒｔ  ａｎｄ  Ｒｅｓｐｏｎｓｅ  Ｎｅｔｗｏｒｋ（ＷＡＲＮ）Ａｃｔ（警報及び応答ネットワークに関する法律）に応えて、連邦通信委員会（ＦＣＣ；Ｆｅｄｅｒａｌ  Ｃｏｍｍｕｎｉｃａｔｉｏｎｓ  Ｃｏｍｍｉｓｓｉｏｎ）は、参加を選択したワイヤレスサービスプロバイダが商用モバイル警報サービス（ＣＭＡＳ）機能のあるハンドセットを有するユーザに対して緊急警報をテキストメッセージとして送信することができる、商用モバイル警報サービス（ＣＭＡＳ）を確立した。商用モバイル警報サービス（ＣＭＡＳ）ネットワークにより、連邦緊急管理庁（ＦＥＭＡ；Ｆｅｄｅｒａｌ  Ｅｍｅｒｇｅｎｃｙ  Ｍａｎａｇｅｍｅｎｔ  Ａｇｅｎｃｙ）が合衆国大統領、米国気象局（ＮＷＳ；Ｎａｔｉｏｎａｌ  Ｗｅａｔｈｅｒ  Ｓｅｒｖｉｃｅ）ならびに州および地元緊急対策センターからの警報を受理および集約し、参加民間モバイルサービスプロバイダ（ＣＭＳＰ；ｃｏｍｍｅｒｃｉａｌ  ｍｏｂｉｌｅ  ｓｅｒｖｉｃｅ  ｐｒｏｖｉｄｅｒｓ）に安全なインタフェースを介して警報を送信することが可能になる。それから、これらの参加ＣＭＳＰがそのユーザに警報を配信する。商用モバイル警報サービス（ＣＭＡＳ）機能は完成し、３ＧＰＰ  Ｒｅｌ‐８  Ｌｏｎｇ  Ｔｅｒｍ  Ｅｖｏｌｕｔｉｏｎ（ＬＴＥ）の一連の仕様の一部である。
【００３６】
３ＧＰＰ  Ｌｏｎｇ  Ｔｅｒｍ  Ｅｖｏｌｕｔｉｏｎ（ＬＴＥ）Ｅ‐ＵＴＲＡＮ  Ｒｅｌ‐８およびそれ以降の仕様は、ｅＮＢ１０２により一斉同報通信されるメッセージングオブジェクトにより地震津波警報システム（ＥＴＷＳ）および商用モバイル警報サービス（ＣＭＡＳ）機能を実現する。まず、ｅＮＢ１０２にキャンプオンしまたはこれに接続している全てのユーザ機器（ＵＥ）１０４に受信されうるページングメッセージが送信される。ページングメッセージは、新規の地震津波警報システム（ＥＴＷＳ）／商用モバイル警報サービス（ＣＭＡＳ）メッセージが現在一斉同報通信されており、ユーザ機器（ＵＥ）１０４が直ちに追加のスケジューリング情報の受信を試みるべきことを示しうる。システム情報ブロック＃１（ＳＩＢ１；Ｓｙｓｔｅｍ  Ｉｎｆｏｒｍａｔｉｏｎ  Ｂｌｏｃｋ＃１）メッセージは、現在一斉同報通信されている他の全てのＳＩＢのためのスケジューリング情報を担持する。システム情報ブロック＃１０（ＳＩＢ１０は地震津波警報システム（ＥＴＷＳ）専用である）メッセージは、「定型警報メッセージ（Ｃａｎｎｅｄ  Ｗａｒｎｉｎｇ  Ｍｅｓｓａｇｅ）」に対応する値を担持しうる。システム情報ブロック＃１１（ＳＩＢ１１は地震津波警報システム（ＥＴＷＳ）専用である）メッセージは、長い地震津波警報システム（ＥＴＷＳ）「テキスト警報メッセージ（Ｔｅｘｔ  Ｗａｒｎｉｎｇ  Ｍｅｓｓａｇｅ）」を担持しうる。システム情報ブロック＃１２（ＳＩＢ１２は商用モバイル警報サービス（ＣＭＡＳ）専用である）メッセージは、分割された「テキスト警報メッセージ」を担持しうる。
【００３７】
ＳＩＢ１０、ＳＩＢ１１およびＳＩＢ１２の周期および存在はいずれも構成可能でありうる。ＳＩＢ１０、ＳＩＢ１１およびＳＩＢ１２は一時的かつ構成可能であるため、ｅＮＢ１０２のスケジューラによりそれらがプロトコルに配置される。スケジューラは、システムパラメータを用いて、ＳＩＢ１０、ＳＩＢ１１およびＳＩＢ１２が一斉同報通信されるスロット、頻度および持続時間を決定する。ユーザ機器（ＵＥ）１０４が前もってプロトコルのどこでＳＩＢ１０、ＳＩＢ１１およびＳＩＢ１２を取得できるか分かるように、スケジューラにより用いられる同じシステムパラメータがＳＩＢ１（ＳＩＢ１は固定スロットで、固定周期で一斉同報通信される）でも一斉同報通信される。ページングメッセージは、ページングメッセージのターゲットであるユーザ機器（ＵＥ）１０４の識別にもとづいて複数のスロットで配信されうる。こうして、全てのユーザ機器（ＵＥ）１０４のサブセットだけがスロットｎをターゲットにしてページングを受信し、ユーザ機器（ＵＥ）１０４の別のサブセットはスロットｎ＋１をターゲットにする、等となる。
【００３８】
連邦通信委員会（ＦＣＣ）は、公衆の安全を高める努力の一部として、確実なワイヤレス９１１サービスの提供を目的としたルールを採用した。このようなサービスにより、緊急応答人員が９１１発呼者に対してはるかに迅速に援助を提供することができる。ＦＣＣのワイヤレス９１１ルールは、全てのワイヤレスライセンス取得者、ブロードバンドパーソナル通信サービス（ＰＣＳ；Ｐｅｒｓｏｎａｌ  Ｃｏｍｍｕｎｉｃａｔｉｏｎｓ  Ｓｅｒｖｉｃｅ）ライセンス取得者、および一定の特殊化移動体無線（ＳＭＲ；Ｓｐｅｃｉａｌｉｚｅｄ  Ｍｏｂｉｌｅ  Ｒａｄｉｏ）ライセンス取得者に適用される。基本的９１１ルールは、発呼者がプロバイダのサービスに加入しているか否かに関わらず全ての９１１呼を公衆安全応答ポイント（ＰＳＡＰ；Ｐｕｂｌｉｃ  Ｓａｆｅｔｙ  Ａｎｓｗｅｒｉｎｇ  Ｐｏｉｎｔ）へ転送することをワイヤレスサービスプロバイダに要求する。
【００３９】
３ＧＰＰ  Ｌｏｎｇ  Ｔｅｒｍ  Ｅｖｏｌｕｔｉｏｎ（ＬＴＥ）Ｅ‐ＵＴＲＡＮの仕様は、上述のＦＣＣのワイヤレス９１１ルールに準拠するようにユーザ機器（ＵＥ）１０４がもととなる緊急呼のセットアップおよび構成を提供する。この緊急構成は、ネットワークオペレータにより使用されるジェネリックパラメータの多くをオーバーライドし、本来なら呼が拒絶されるネットワーク上でこのような緊急呼が完了されることを可能にしうる。
【００４０】
非アクセス層（ＮＡＳ）レイヤは、Ｌｏｎｇ  Ｔｅｒｍ  Ｅｖｏｌｕｔｉｏｎ（ＬＴＥ）無線リソース制御（ＲＲＣ；Ｒａｄｉｏ  Ｒｅｓｏｕｒｃｅ  Ｃｏｎｔｒｏｌ）により処理されるデータ無線ベアラ（ＤＲＢ）にＱｏＳレベルが割り当てられているときにはその知識を有しうる。非アクセス層（ＮＡＳ）レイヤは、ＱｏＳレベル閾値の知識も有しうる。非アクセス層（ＮＡＳ）は、ＤＲＢのＱｏＳをＱｏＳ閾値と比較し、当該ＤＲＢのＱｏＳが「高いＱｏＳ」のＤＲＢと考えられるか決定しうる。ＤＲＢのＱｏＳが「高いＱｏＳ」のＤＲＢと考えられる場合には、Ｌｏｎｇ  Ｔｅｒｍ  Ｅｖｏｌｕｔｉｏｎ（ＬＴＥ）トランシーバ１０６に、ユーザ機器（ＵＥ）１０４上にある他のトランシーバにより生じる干渉からの追加的保護が必要でありうる。
【００４１】
他にも適用されうる高優先度機能およびインディケータが存在するため、地震津波警報システム（ＥＴＷＳ）、商用モバイル警報サービス（ＣＭＡＳ）、ワイヤレス９１１および高いＱｏＳベアラの機能セットは、高優先度通信（ＨＰＣ）アクティビティの網羅的リストではない。Ｌｏｎｇ  Ｔｅｒｍ  Ｅｖｏｌｕｔｉｏｎ（ＬＴＥ）トランシーバ１０６が高優先度通信（ＨＰＣ）アクティビティを処理する間に、Ｌｏｎｇ  Ｔｅｒｍ  Ｅｖｏｌｕｔｉｏｎ（ＬＴＥ）トランシーバ１０６のＲＦ環境がＩＳＭ伝送（Ｗｉ‐Ｆｉトランシーバ１０８またはＢｌｕｅｔｏｏｔｈトランシーバ１１０による伝送等）により負の影響を受けることは望ましくない。本発明のシステムおよび方法の一つの利点は、ユーザ機器（ＵＥ）１０４が、高優先度通信（ＨＰＣ）アクティビティの間に干渉するトランシーバを選択的にオフにできることである（Ｗｉ‐Ｆｉトランシーバ１０８およびＢｌｕｅｔｏｏｔｈトランシーバ１１０の両方を一度に無効化することは望ましくない可能性がある）。
【００４２】
ユーザ機器（ＵＥ）１０４は、ＩＳＭコントローラ１２４を含みうる。ＩＳＭコントローラ１２４は、Ｗｉ‐Ｆｉトランシーバ１０８およびＢｌｕｅｔｏｏｔｈトランシーバ１１０を有効化および無効化するための特徴および機能を管理するユーザ機器（ＵＥ）１０４内の論理構成体でありうる。ＩＳＭコントローラ１２４は、Ｌｏｎｇ  Ｔｅｒｍ  Ｅｖｏｌｕｔｉｏｎ（ＬＴＥ）トランシーバ１０６、Ｗｉ‐Ｆｉトランシーバ１０８、Ｂｌｕｅｔｏｏｔｈトランシーバ１１０、全地球航法衛星システム（ＧＮＳＳ）受信器１０９およびｅＮＢ１０２との様々な接続手段およびモードを有しうる。ＩＳＭコントローラ１２４は、ユーザ機器（ＵＥ）１０４内の異なる無線技術が相互間の内部協調なしで独立して動作する「非協調」モードで動作しうる（すなわち、ＩＳＭコントローラ１２４はＬｏｎｇ  Ｔｅｒｍ  Ｅｖｏｌｕｔｉｏｎ（ＬＴＥ）トランシーバ１０６とだけ対話する）。ＩＳＭコントローラ１２４は、ユーザ機器（ＵＥ）１０４内の異なる無線技術間の内部協調が存在する「ＵＥ内限定協調」モードでも動作しうる。したがって、少なくとも一つの他の無線技術の動作がＩＳＭコントローラ１２４に知られている。ＩＳＭコントローラ１２４はさらに、ユーザ機器（ＵＥ）１０４内の異なる無線技術が起こり得る共存問題を認識しており、かかる問題をユーザ機器（ＵＥ）１０４が（ｅＮＢ１０２を介して）ネットワークに報知することができる、「ＵＥ内および対ネットワーク協調」モードでも動作しうる。したがって、ＩＳＭコントローラ１２４は、Ｌｏｎｇ  Ｔｅｒｍ  Ｅｖｏｌｕｔｉｏｎ（ＬＴＥ）トランシーバ１０６、Ｗｉ‐Ｆｉトランシーバ１０８、Ｂｌｕｅｔｏｏｔｈトランシーバ１１０およびｅＮＢ１０２）と対話しうる。ＩＳＭコントローラ１２４は、図３に関連して以下でさらに詳述する。
【００４３】
本発明のシステムおよび方法の一つの利点は、ユーザ機器（ＵＥ）１０４が緊急メッセージを処理している間、ユーザ機器（ＵＥ）１０４がＬｏｎｇ  Ｔｅｒｍ  Ｅｖｏｌｕｔｉｏｎ（ＬＴＥ）トランシーバ１０６の伝送および受信機能を、同じユーザ機器（ＵＥ）１０４に組み込まれた他のトランシーバの伝送および受信機能に優先させる手段を提供することである。
【００４４】
ユーザ機器（ＵＥ）１０４は、ユーザにより設定された構成１２０を含みうる。ユーザにより設定された構成１２０は、ユーザ機器（ＵＥ）１０４が高優先度通信（ＨＰＣ）アクティビティにどのように応答するかを指示する一つ以上の構成設定でありうる。より具体的には、ユーザにより設定された構成１２０は、Ｌｏｎｇ  Ｔｅｒｍ  Ｅｖｏｌｕｔｉｏｎ（ＬＴＥ）トランシーバ１０６による高優先度通信（ＨＰＣ）アクティビティの間に、ユーザ機器（ＵＥ）１０４がＢｌｕｅｔｏｏｔｈトランシーバ１１０、Ｗｉ‐Ｆｉトランシーバ１０８またはその両方を無効化すべきかどうかを示しうる。したがって、高優先度通信（ＨＰＣ）のアクティブ時にＷｉ‐Ｆｉトランシーバ１０８および／またはＢｌｕｅｔｏｏｔｈトランシーバ１１０をユーザ機器（ＵＥ）１０４が個別に無効化／有効化する能力が、ユーザにより設定された構成１２０によって制御されうる。
【００４５】
ＩＳＭバンドトランシーバ（すなわちＷｉ‐Ｆｉトランシーバ１０８およびＢｌｕｅｔｏｏｔｈトランシーバ１１０）を無効化／有効化するユーザ機器（ＵＥ）１０４の能力をユーザが制御できることは、必ずしも望ましくはないであろう。このような能力を制御するユーザのリクエストは、製造業者により設定された構成１２１またはｅＮＢ１０２により設定された構成１２２によりオーバーライドされうる。ユーザ機器（ＵＥ）１０４は、製造業者により設定された構成１２１を含みうる。製造業者により設定された構成１２１は、ユーザ機器（ＵＥ）１０４が高優先度通信（ＨＰＣ）アクティビティにどのように応答するかを指示する一つ以上の構成設定でありうる。より具体的には、製造業者により設定された構成１２１は、Ｌｏｎｇ  Ｔｅｒｍ  Ｅｖｏｌｕｔｉｏｎ（ＬＴＥ）トランシーバ１０６による高優先度通信（ＨＰＣ）アクティビティの間に、ユーザ機器（ＵＥ）１０４がＢｌｕｅｔｏｏｔｈトランシーバ１１０、Ｗｉ‐Ｆｉトランシーバ１０８または両方を無効化すべきかどうかを示しうる。したがって、高優先度通信（ＨＰＣ）のアクティブ時にユーザ機器（ＵＥ）１０４がＷｉ‐Ｆｉトランシーバ１０８および／またはＢｌｕｅｔｏｏｔｈトランシーバ１１０を個別に無効化／有効化する能力が、製造業者により設定された構成１２１によって制御されうる。製造業者により設定された構成１２１は、ユーザにより設定された構成１２０をオーバーライドしうる。
【００４６】
ユーザ機器（ＵＥ）１０４は、ｅＮＢ１０２により設定された構成１２２も含みうる。ｅＮＢ１０２により設定された構成１２２は、ユーザ機器（ＵＥ）１０４が高優先度通信（ＨＰＣ）アクティビティにどのように応答するかを指示する一つ以上の構成設定でありうる。より具体的には、ｅＮＢ１０２により設定された構成１２２は、Ｌｏｎｇ  Ｔｅｒｍ  Ｅｖｏｌｕｔｉｏｎ（ＬＴＥ）トランシーバ１０６による高優先度通信（ＨＰＣ）アクティビティの間に、ユーザ機器（ＵＥ）１０４がＢｌｕｅｔｏｏｔｈトランシーバ１１０、Ｗｉ‐Ｆｉトランシーバ１０８または両方を無効化すべきかどうかを示しうる。したがって、高優先度通信（ＨＰＣ）のアクティブ時にユーザ機器（ＵＥ）１０４がＷｉ‐Ｆｉトランシーバ１０８および／またはＢｌｕｅｔｏｏｔｈトランシーバ１１０を個別に無効化／有効化する能力が、ｅＮＢ１０２により設定された構成１２２によって制御されうる。ｅＮＢ１０２により設定された構成１２２は、製造業者により設定された構成１２１およびユーザにより設定された構成１２０をオーバーライドしうる。
【００４７】
ユーザ機器（ＵＥ）１０４は、伝送設定１２３を含みうる。伝送設定１２３は、Ｂｌｕｅｔｏｏｔｈ信号の伝送およびＷｉ‐Ｆｉ信号の伝送のためにユーザ機器（ＵＥ）１０４により実装される実際の設定をさしうる。したがって、ユーザにより設定された構成１２０、製造業者により設定された構成１２１および／またはｅＮＢ１０２により設定された構成１２２により、伝送設定１２３が調整されうる。伝送設定１２３は、高優先度通信（ＨＰＣ）アクティビティの間にＢｌｕｅｔｏｏｔｈトランシーバ１１０の電力増幅器１１９ｂの中のいずれおよび／またはＷｉ‐Ｆｉトランシーバ１０８の電力増幅器１１９ａの中のいずれが停止されるかを示しうる。
【００４８】
ユーザ機器（ＵＥ）１０４は、エンコーダ１２５およびデコーダ１２６を含みうる。伝送用信号は、伝送前にエンコーダ１２５を通されうる。受信された信号は、まずデコーダ１２６を通してから適切な受信器１１２に送られうる。
【００４９】
ｅＮＢ１０２は、トランシーバ１０７を含みうる。トランシーバ１０７は、変調器１２７を有する伝送器１１５と、復調器１２８を有する受信器１１７とを含みうる。伝送器１１５は、ユーザ機器（ＵＥ）１０４に送信される信号を、エンコーダ１２９を用いて符号化しうる。それから符号化された信号が、一つ以上のアンテナ１９９ａ〜ｎを用いて伝送されうる。ｅＮＢ１０２は、一つ以上のアンテナ１９９ａ〜ｎを用いて信号を受信しうる。受信信号は、デコーダ１３０を用いて復号化された後、受信器１１７に送られうる。
【００５０】
図１Ｂは、本発明のシステムおよび方法に用いられるユーザ機器（ＵＥ）１０４ａのブロック図である。図１Ｂのユーザ機器（ＵＥ）１０４ａは、図１Ａのユーザ機器（ＵＥ）１０４の一構成でありうる。ユーザ機器（ＵＥ）１０４ａは、ユーザにより設定された構成１２０ａ、製造業者により設定された構成１２１ａおよびｅＮＢ１０２により設定された構成１２２ａを含みうる。
【００５１】
ユーザにより設定された構成１２０ａは、ＴＲＵＥ（ユーザがＢｌｕｅｔｏｏｔｈの無効化を選択していることを指示する）またはＦＡＬＳＥ（ユーザがＢｌｕｅｔｏｏｔｈを無効化しないことを選択していることを指示する）に設定されうる、Ｂｌｕｅｔｏｏｔｈの無効化をリクエストする設定１６０を含みうる。ユーザにより設定された構成１２０ａは、ＴＲＵＥ（ユーザがＷｉ‐Ｆｉの無効化を選択していることを指示する）またはＦＡＬＳＥ（ユーザがＷｉ‐Ｆｉを無効化しないことを選択していることを指示する）に設定されうる、Ｗｉ‐Ｆｉの無効化をリクエストする設定１６０も含みうる。
【００５２】
製造業者により設定された構成１２１ａは、ユーザ機器（ＵＥ）１０４ａがＢｌｕｅｔｏｏｔｈの無効化を許可しうるかどうかを指示する、Ｂｌｕｅｔｏｏｔｈの無効化を許可する設定１６２ａを含みうる。製造業者により設定された構成１２１ａは、ユーザ機器（ＵＥ）１０４ａがＷｉ‐Ｆｉの無効化を許可しうるかどうかを指示する、Ｗｉ‐Ｆｉの無効化を許可する設定１６３ａも含みうる。
【００５３】
製造業者により設定された構成１２１ａは、製造業者の設定がユーザにより入力された設定をオーバーライドすべきかを指示する、ユーザリクエストをオーバーライドする設定１６４ａを含みうる。製造業者により設定された構成１２１ａは、接続時のみ許可する設定１６５ａも含みうる。接続時のみ許可する設定１６５ａがＦＡＬＳＥのときには、ＩＳＭコントローラ１２４は、ユーザ機器（ＵＥ）１０４ｂとＬｏｎｇ  Ｔｅｒｍ  Ｅｖｏｌｕｔｉｏｎ（ＬＴＥ）ネットワークとの間の現在の接続状態を無視でき、その情動でｅＮＢ＿Ｍｏｄｅ＿Ｇｅｎｅｒａｔｏｒ（）、ＨＰＣ＿Ｅｖｅｎｔ＿Ｇｅｎｅｒａｔｏｒ（）およびＩＳＭ＿Ｓｔａｔｅ＿Ｍａｃｈｉｎｅ（）（図３に関連して後述）が常に実行される。接続時のみ許可する設定１６５ａがＴＲＵＥのときには、ＩＳＭコントローラ１２４はまず、ユーザ機器（ＵＥ）１０４ｂとＬｏｎｇ  Ｔｅｒｍ  Ｅｖｏｌｕｔｉｏｎ（ＬＴＥ）ネットワークとの間の現在の接続状態を決定しうる。ユーザ機器（ＵＥ）１０４ｂがＲＲＣ＿Ｃｏｎｎｅｃｔｅｄであれば、ｅＮＢ＿Ｍｏｄｅ＿Ｇｅｎｅｒａｔｏｒ（）、ＨＰＣ＿Ｅｖｅｎｔ＿Ｇｅｎｅｒａｔｏｒ（）およびＩＳＭ＿Ｓｔａｔｅ＿Ｍａｃｈｉｎｅ（）が常に実行されうる。ユーザ機器（ＵＥ）１０４ｂがＲＲＣ＿Ｃｏｎｎｅｃｔｅｄでなければ、ＩＳＭコントローラ１２４は、ＩＳＭコントローラ１２４のデフォルト状態の構成をリセットすることが必要か決定する必要がある。
【００５４】
製造業者により設定された構成１２１ａは、ｅＮＢにＢｌｕｅｔｏｏｔｈの無効化をシグナリングする設定１６６ａを含みうる。製造業者により設定された構成１２１ａは、ｅＮＢにＷｉ‐Ｆｉの無効化をシグナリングする設定１６７ａも含みうる。製造業者により設定された構成１２１ａは、ユーザにＢｌｕｅｔｏｏｔｈの無効化をシグナリングする設定１６８ａをさらに含みうる。製造業者により設定された構成１２１ａは、ユーザにＷｉ‐Ｆｉの無効化をシグナリングする設定１６９ａも含みうる。ＩＳＭコントローラ１２４がＷｉ‐Ｆｉトランシーバ１０８を無効化したときには、ユーザ機器（ＵＥ）１０４ｂは、Ｗｉ‐Ｆｉトランシーバ１０８が無効化されていることをｅＮＢ１０２に報知するか決定しうる。ｅＮＢにＷｉ‐Ｆｉの無効化をシグナリングする設定１６８ａがＴＲＵＥに設定されていれば、ユーザ機器（ＵＥ）１０４ｂはｅＮＢ１０２にＷｉ‐Ｆｉトランシーバ１０８が無効化されていることを報知しうる。同様に、ユーザにＷｉ‐Ｆｉの無効化をシグナリングする設定１６９ａがＴＲＵＥに設定されていれば、ユーザ機器（ＵＥ）１０４ｂはユーザにＷｉ‐Ｆｉトランシーバ１０８が無効化されていることを報知しうる。同様に、ｅＮＢにＢｌｕｅｔｏｏｔｈの無効化をシグナリングする設定１６６ａがＴＲＵＥに設定されていれば、ユーザ機器（ＵＥ）１０４ｂはｅＮＢ１０２にＢｌｕｅｔｏｏｔｈトランシーバ１１０が無効化されていることを報知しうる。同様に、ユーザにＢｌｕｅｔｏｏｔｈの無効化をシグナリングする設定１６７ａがＴＲＵＥに設定されていれば、ユーザ機器（ＵＥ）１０４ｂはユーザにＢｌｕｅｔｏｏｔｈトランシーバ１１０が無効化されていることを報知しうる。
【００５５】
ｅＮＢ１０２により設定された構成１２２ａは、ｅＮＢ１０２設定がユーザにより入力された設定をオーバーライドすべきかどうかを指示する、ユーザリクエストをオーバーライドする設定１６４ｂを含みうる。ｅＮＢ１０２により設定された構成１２２ａは、接続時のみ許可する設定１６５ｂも含みうる。接続時のみ許可する設定１６５ｂは、上述の接続時のみ許可する設定１６５ａと同様に機能しうる。ｅＮＢ１０２により設定された構成１２２ａは、ｅＮＢにＢｌｕｅｔｏｏｔｈの無効化をシグナリングする設定１６６ｂをさらに含みうる。ｅＮＢ１０２により設定された構成１２２ａは、ｅＮＢにＷｉ‐Ｆｉの無効化をシグナリングする設定１６７ｂも含みうる。ｅＮＢ１０２により設定された構成１２２ａは、ユーザにＢｌｕｅｔｏｏｔｈの無効化をシグナリングする設定１６６ｂをさらに含みうる。ｅＮＢ１０２により設定された構成１２２ａは、ユーザにＷｉ‐Ｆｉの無効化をシグナリングする設定１６９ｂも含みうる。ｅＮＢ１０２により設定された構成１２２ａのｅＮＢにＢｌｕｅｔｏｏｔｈの無効化をシグナリングする設定１６６ｂ、ｅＮＢにＷｉ‐Ｆｉの無効化をシグナリングする設定１６７ｂ、ユーザにＢｌｕｅｔｏｏｔｈの無効化をシグナリングする設定１６８ｂおよびユーザにＷｉ‐Ｆｉの無効化をシグナリングする設定１６９ｂは、製造業者により設定された構成１２１ａにおけるそれぞれの対応部と同様の機能を有しうる。
【００５６】
図２は、第一技術トランシーバによる高優先度通信（ＨＰＣ）アクティビティに応答するための方法２００の流れ図である。第一技術トランシーバは、Ｌｏｎｇ  Ｔｅｒｍ  Ｅｖｏｌｕｔｉｏｎ（ＬＴＥ）トランシーバ１０６、Ｗｉ‐Ｆｉトランシーバ１０８またはＢｌｕｅｔｏｏｔｈトランシーバ１１０でありうる。方法２００は、ユーザ機器（ＵＥ）１０４により実施されうる。ユーザ機器（ＵＥ）１０４は、第一技術トランシーバによる高優先度通信（ＨＰＣ）アクティビティを検出２０２しうる。ユーザ機器（ＵＥ）１０４は、高優先度通信（ＨＰＣ）アクティビティのために第二技術トランシーバ（例えばＷｉ‐Ｆｉトランシーバ１０８、Ｂｌｕｅｔｏｏｔｈトランシーバ１１０またはＬｏｎｇ  Ｔｅｒｍ  Ｅｖｏｌｕｔｉｏｎ（ＬＴＥ）トランシーバ１０６）および第三技術トランシーバ（例えばＷｉ‐Ｆｉトランシーバ、Ｂｌｕｅｔｏｏｔｈトランシーバ１１０またはＬｏｎｇ  Ｔｅｒｍ  Ｅｖｏｌｕｔｉｏｎ（ＬＴＥ）トランシーバ１０６）に対して行われる調整を決定２０４しうる。例えば調整には、Ｂｌｕｅｔｏｏｔｈトランシーバ１１０を用いた伝送を継続しながらＷｉ‐Ｆｉトランシーバ１０８の伝送を停止するステップが含まれうる。別の例では、調整には、Ｗｉ‐Ｆｉトランシーバ１０８を用いた伝送を継続しながらＢｌｕｅｔｏｏｔｈトランシーバ１１０の伝送を停止するステップが含まれうる。さらに別の例では、調整には、Ｂｌｕｅｔｏｏｔｈトランシーバ１１０およびＷｉ‐Ｆｉトランシーバ１０８の両方の伝送を停止するステップが含まれうる。このような方法２００の一つの利点は、第二技術トランシーバもしくは第三技術トランシーバまたは両方の柔軟な調整である。
【００５７】
それからユーザ機器（ＵＥ）１０４は、高優先度通信（ＨＰＣ）アクティビティに対応するために第二技術トランシーバの設定および／または第三技術トランシーバの設定を調整２０６しうる。一構成においては、ユーザ機器（ＵＥ）１０４は、トランシーバの電力増幅器１１９をオフにすることにより、第二技術トランシーバの設定および第三技術トランシーバの設定を調整２０６しうる。例えばユーザ機器（ＵＥ）１０４は、それぞれの電力増幅器１１９をオフにすることによりＷｉ‐Ｆｉトランシーバ１０８の設定およびＢｌｕｅｔｏｏｔｈトランシーバ１１０の設定を調整２０６しうる。別の構成では、ユーザ機器（ＵＥ）１０４は、論理コマンドを各々に送信して伝送をオフにすることにより第二技術トランシーバおよび第三技術トランシーバの設定を調整２０６しうる。さらに別の構成では、ユーザ機器（ＵＥ）１０４は、電力増幅器１１９をオフにすることにより第二技術トランシーバの設定を調整２０６し、第三トランシーバに論理コマンドを送信して伝送をオフにすることにより第三技術トランシーバの設定を調整２０６しうる。
【００５８】
ユーザ機器（ＵＥ）１０４にＷｉ‐Ｆｉトランシーバ１０８の設定およびＢｌｕｅｔｏｏｔｈトランシーバ１１０の設定を調整２０６させる一つの利点は、ユーザ機器（ＵＥ）１０４が緊急メッセージ送信を処理している間にＬｏｎｇ  Ｔｅｒｍ  Ｅｖｏｌｕｔｉｏｎ（ＬＴＥ）トランシーバ１０６の伝送および受信機能を優先させる手段としてＷｉ‐Ｆｉトランシーバ１０８およびＢｌｕｅｔｏｏｔｈトランシーバ１１０の機能を無効化する手段がネットワークオペレータに提供されることである。ユーザ機器（ＵＥ）１０４にＷｉ‐Ｆｉトランシーバ１０８の設定およびＢｌｕｅｔｏｏｔｈトランシーバ１１０の設定を調整２０６させる別の利点は、ユーザ機器（ＵＥ）１０４が緊急メッセージ送信を処理している間にＬｏｎｇ  Ｔｅｒｍ  Ｅｖｏｌｕｔｉｏｎ（ＬＴＥ）トランシーバ１０６の伝送および受信機能を優先させる手段としてＷｉ‐Ｆｉトランシーバ１０８およびＢｌｕｅｔｏｏｔｈトランシーバ１１０の機能を無効化する手段がデバイスユーザに提供されることである。ユーザ機器（ＵＥ）１０４にＷｉ‐Ｆｉトランシーバ１０８の設定およびＢｌｕｅｔｏｏｔｈトランシーバ１１０の設定を調整２０６させるさらに別の利点は、Ｌｏｎｇ  Ｔｅｒｍ  Ｅｖｏｌｕｔｉｏｎ（ＬＴＥ）トランシーバ１０６が価値および優先度の高い通信を処理している間はＷｉ‐Ｆｉおよび／またはＢｌｕｅｔｏｏｔｈを介した通信が無効化されるという指示がデバイスユーザに提供されることである。
【００５９】
次にユーザ機器（ＵＥ）１０４は、第一技術トランシーバによる高優先度通信（ＨＰＣ）アクティビティが終了していることを検出２０８しうる。例えば第一技術トランシーバがＬｏｎｇ  Ｔｅｒｍ  Ｅｖｏｌｕｔｉｏｎ（ＬＴＥ）トランシーバ１０６なら、Ｌｏｎｇ  Ｔｅｒｍ  Ｅｖｏｌｕｔｉｏｎ（ＬＴＥ）受信器１１２ａは、第二技術トランシーバおよび／または第三技術トランシーバの伝送によって干渉を受けうる高優先度通信（ＨＰＣ）アクティビティをもう受信していなければよい。それからユーザ機器（ＵＥ）１０４は、高優先度通信（ＨＰＣ）アクティビティの終了に対応するために第二技術トランシーバおよび／または第三技術トランシーバの設定を調整２１０しうる。例えばＢｌｕｅｔｏｏｔｈトランシーバ１１０の伝送が停止されたなら、ユーザ機器（ＵＥ）１０４はＢｌｕｅｔｏｏｔｈトランシーバ１１０の伝送をオンに戻しうる。
【００６０】
図３は、本発明のシステムおよび方法に用いられるＩＳＭコントローラ３２４のブロック図である。図３のＩＳＭコントローラ３２４は、図１ＡのＩＳＭコントローラ１２４の一構成でありうる。上述のように、ＩＳＭコントローラ３２４は、Ｌｏｎｇ  Ｔｅｒｍ  Ｅｖｏｌｕｔｉｏｎ（ＬＴＥ）トランシーバ１０６による高優先度通信（ＨＰＣ）アクティビティに応答してＷｉ‐Ｆｉトランシーバ１０８および／またはＢｌｕｅｔｏｏｔｈトランシーバ１１０を有効化および無効化するのに必要な特徴および機能を管理するためにユーザ機器（ＵＥ）１０４内に実装される論理構成体である。ＩＳＭコントローラ３２４は、ユーザにより設定された構成１２０、製造業者により設定された構成１２１またはｅＮＢ１０２により設定された構成１２２にしたがってＷｉ‐Ｆｉトランシーバ１０８およびＢｌｕｅｔｏｏｔｈトランシーバ１１０の両方を管理しうる。
【００６１】
ＩＳＭコントローラ３２４は、より上位のオペレーティングシステムの指示により随時実行しうる。オペレーティングシステムは、Ｌｏｎｇ  Ｔｅｒｍ  Ｅｖｏｌｕｔｉｏｎ（ＬＴＥ）プロトコルスタックにより新規の無線リソース制御（ＲＲＣ）メッセージが受信または伝送されたとき、ユーザにより設定された新規の構成１２０が入力されたとき、または非アクセス層（ＮＡＳ）レイヤがＬｏｎｇ  Ｔｅｒｍ  Ｅｖｏｌｕｔｉｏｎ（ＬＴＥ）構成の変更を検出したときに、ＩＳＭコントローラ３２４をトリガして実行させうる。ＩＳＭコントローラ３２４は、周期的にトリガされて実行されてもよい。
【００６２】
ＩＳＭコントローラ３２４は、ユーザ機器（ＵＥ）１０４がＬｏｎｇ  Ｔｅｒｍ  Ｅｖｏｌｕｔｉｏｎ（ＬＴＥ）Ｅ‐ＵＴＲＡ  ＲＲＣ＿ＣＯＮＮＥＣＴＥＤ状態のときに限り、Ｗｉ‐Ｆｉトランシーバ１０８および／またはＢｌｕｅｔｏｏｔｈトランシーバ１１０を有効化および無効化するために必要に応じて機能を実行するように構成されうる。ＩＳＭコントローラ３２４が、ユーザ機器（ＵＥ）１０４がＬｏｎｇ  Ｔｅｒｍ  Ｅｖｏｌｕｔｉｏｎ（ＬＴＥ）Ｅ‐ＵＴＲＡ  ＲＲＣ＿ＣＯＮＮＥＣＴＥＤ状態のときに限り必要に応じて機能を実行するように構成されないときには、ＩＳＭコントローラ３２４は、Ｌｏｎｇ  Ｔｅｒｍ  Ｅｖｏｌｕｔｉｏｎ（ＬＴＥ）‐ＵＴＲＡ状態に関わらずそれらの機能を実行しうる。ユーザ機器（ＵＥ）１０４がＬｏｎｇ  Ｔｅｒｍ  Ｅｖｏｌｕｔｉｏｎ（ＬＴＥ）Ｅ‐ＵＴＲＡ  ＲＲＣ＿ＣＯＮＮＥＣＴＥＤ状態のときに限り必要に応じて機能を実行するように構成されうるというＩＳＭコントローラ３２４の能力は、ｅＮＢ１０２により構成されてＬｏｎｇ  Ｔｅｒｍ  Ｅｖｏｌｕｔｉｏｎ（ＬＴＥ）シグナリングを介してユーザ機器（ＵＥ）１０４にシグナリングされ、またはユーザ機器（ＵＥ）１０４の製造時に提供されるデフォルト設定により構成されうる。
【００６３】
ＩＳＭコントローラ３２４は、Ｌｏｎｇ  Ｔｅｒｍ  Ｅｖｏｌｕｔｉｏｎ（ＬＴＥ）トランシーバ１０６による高優先度通信（ＨＰＣ）のアクティブ時にＷｉ‐Ｆｉ／Ｂｌｕｅｔｏｏｔｈの伝送によってＬｏｎｇ  Ｔｅｒｍ  Ｅｖｏｌｕｔｉｏｎ（ＬＴＥ）受信器１１２ａに対して生じる干渉を除去する手段として、Ｗｉ‐Ｆｉトランシーバ１０８および／またはＢｌｕｅｔｏｏｔｈトランシーバ１１０を無効化しうる。ＩＳＭコントローラ３２４は、Ｗｉ‐Ｆｉトランシーバ１０８を制御する論理構成体にコマンドを送信することにより、またはＷｉ‐Ｆｉトランシーバ１０８の電力増幅器１１９ａを無効化することにより、Ｗｉ‐Ｆｉトランシーバ１０８を有効化／無効化しうる。ＩＳＭコントローラ３２４は、Ｂｌｕｅｔｏｏｔｈトランシーバ１１０を制御する論理構成体にコマンドを送信することにより、またはＢｌｕｅｔｏｏｔｈトランシーバ１１０の電力増幅器１１９ｂを無効化することにより、Ｂｌｕｅｔｏｏｔｈトランシーバ１１０を有効化／無効化しうる。ＩＳＭコントローラ３２４は、ＩＳＭバンドトランシーバを論理的に無効化することが不可能なときには電力増幅器１１９を無効化しうる。
【００６４】
ＩＳＭコントローラ３２４は、Ｌｏｎｇ  Ｔｅｒｍ  Ｅｖｏｌｕｔｉｏｎ（ＬＴＥ）トランシーバ１０６による一つ以上の高優先度通信（ＨＰＣ）がアクティブであり、またはすぐにアクティブになるという指示に応答しうる。ＩＳＭコントローラ３２４は、Ｌｏｎｇ  Ｔｅｒｍ  Ｅｖｏｌｕｔｉｏｎ（ＬＴＥ）トランシーバ１０６の一つ以上の高優先度通信（ＨＰＣ）がもうアクティブでないという指示にも応答しうる。高優先度通信（ＨＰＣ）指示のソースは、タイプｓｉｂＴｙｐｅ１０、ｓｉｂＴｙｐｅ１１またはｓｉｂＴｙｐｅ１２‐ｖ９２０のスケジューリング情報を含むＬｏｎｇ  Ｔｅｒｍ  Ｅｖｏｌｕｔｉｏｎ（ＬＴＥ）無線リソース制御（ＲＲＣ）メッセージＳｙｓｔｅｍＩｎｆｏｒｍａｔｉｏｎＢｌｏｃｋＴｙｐｅ１のユーザ機器（ＵＥ）１０４による（一斉同報通信制御チャネル（ＢＣＣＨ；ｂｒｏａｄｃａｓｔ  ｃｏｎｔｒｏｌ  ｃｈａｎｎｅｌ）論理チャネルを介した）受信でありうる。高優先度通信（ＨＰＣ）の指示のソースは、タイプＳｙｓｔｅｍＩｎｆｏｒｍａｔｉｏｎＢｌｏｃｋＴｙｐｅ１０、ＳｙｓｔｅｍＩｎｆｏｒｍａｔｉｏｎＢｌｏｃｋＴｙｐｅ１１またはＳｙｓｔｅｍＩｎｆｏｒｍａｔｉｏｎＢｌｏｃｋＴｙｐｅ１２‐ｒ９の情報要素（ＩＥ；Ｉｎｆｏｒｍａｔｉｏｎ  Ｅｌｅｍｅｎｔ）を含むＬｏｎｇ  Ｔｅｒｍ  Ｅｖｏｌｕｔｉｏｎ（ＬＴＥ）無線リソース制御（ＲＲＣ）メッセージＳｙｓｔｅｍＩｎｆｏｒｍａｔｉｏｎのユーザ機器（ＵＥ）１０４による（ＢＣＣＨ論理チャネルを介した）受信でありうる。高優先度通信（ＨＰＣ）の指示のソースはさらに、「ｅｍｅｒｇｅｎｃｙ」に設定されたＥｓｔａｂｌｉｓｈｍｅｎｔＣａｕｓｅ情報要素（ＩＥ）を介して移動体が元となる緊急呼のシグナリングをリクエストするＬｏｎｇ  Ｔｅｒｍ  Ｅｖｏｌｕｔｉｏｎ（ＬＴＥ）無線リソース制御（ＲＲＣ）メッセージＲＲＣＣｏｎｎｅｃｔｉｏｎＲｅｑｕｅｓｔの、ユーザ機器（ＵＥ）１０４による（共通制御チャネル（ｃｏｍｍｏｎ  ｃｏｎｔｒｏｌ  ｃｈａｎｎｅｌ；ＣＣＣＨ）論理チャネルを介した）伝送でありうる。高優先度通信（ＨＰＣ）の指示のソースは、ＤＲＢが「高いＱｏＳ」のＤＲＢに指定される前に必要な最低レベルを一つ以上のＤＲＢが超えているという非アクセス層（ＮＡＳ）による決定でもありうる。
【００６５】
ＩＳＭコントローラ３２４は、その動作を制御するｅＮＢ１０２またはユーザから等の外部コマンドに応答しうる。高優先度通信（ＨＰＣ）のアクティブ時にＷｉ‐Ｆｉトランシーバ１０８および／またはＢｌｕｅｔｏｏｔｈトランシーバ１１０を無効化／有効化するＩＳＭコントローラ３２４の能力は、ユーザ機器（ＵＥ）１０４のユーザインタフェースを介してユーザにより構成されうる。高優先度通信（ＨＰＣ）のアクティブ時にＷｉ‐Ｆｉトランシーバ１０８および／またはＢｌｕｅｔｏｏｔｈトランシーバ１１０を無効化／有効化するＩＳＭコントローラ３２４の能力は、ユーザにより設定された構成１２０をオーバーライドしうるユーザ機器（ＵＥ）１０４の製造時に提供されるデフォルト設定によっても構成されうる。高優先度通信（ＨＰＣ）のアクティブ時にＷｉ‐Ｆｉトランシーバ１０８および／またはＢｌｕｅｔｏｏｔｈトランシーバ１１０を無効化／有効化するＩＳＭコントローラ３２４の能力はさらに、ｅＮＢ１０２により構成されてＬｏｎｇ  Ｔｅｒｍ  Ｅｖｏｌｕｔｉｏｎ（ＬＴＥ）シグナリングを介してユーザ機器（ＵＥ）１０４にシグナリングされ、ユーザ機器（ＵＥ）１０４の製造時に提供されるデフォルト設定により選択された構成１２１および／またはユーザにより設定された構成１２０をオーバーライドしうる。
【００６６】
ＩＳＭコントローラ３２４は、ＩＳＭ＿Ｓｔａｔｅ＿Ｍａｃｈｉｎｅ３３１を含みうる。ＩＳＭ＿Ｓｔａｔｅ＿Ｍａｃｈｉｎｅ３３１は、ＩＳＭコントローラ３２４とＷｉ‐Ｆｉトランシーバ１０８との間の関係およびＩＳＭコントローラ３２４とＢｌｕｅｔｏｏｔｈトランシーバ１１０との間の関係がどのようにどのような状況下で修正されるかを定義するためにＩＳＭコントローラ３２４により用いられる論理構成体でありうる。ＩＳＭ＿Ｓｔａｔｅ＿Ｍａｃｈｉｎｅ３３１は現在の状態を維持し、現在の状態に関するイベントを処理してＩＳＭコントローラ３２４の新規状態を生成しうる。ＩＳＭ＿Ｓｔａｔｅ＿Ｍａｃｈｉｎｅ３３１は、状態に関連する機能を実行することもできる。
【００６７】
ＩＳＭコントローラ３２４は、ＬＴＥ＿Ｓｔａｔｅ＿Ｇｅｎｅｒａｔｏｒ３３２を含みうる。ＬＴＥ＿Ｓｔａｔｅ＿Ｇｅｎｅｒａｔｏｒ３３２は、Ｌｏｎｇ  Ｔｅｒｍ  Ｅｖｏｌｕｔｉｏｎ（ＬＴＥ）プロトコルスタックの動作状態を決定するためにＩＳＭコントローラ３２４により用いられる論理構成体でありうる。ＩＳＭコントローラ３２４の目的上、Ｌｏｎｇ  Ｔｅｒｍ  Ｅｖｏｌｕｔｉｏｎ（ＬＴＥ）プロトコルスタックの動作状態は、Ｅ‐ＵＴＲＡ  ＲＲＣ＿ＣＯＮＮＥＣＴＥＤであるかＥ‐ＵＴＲＡ  ＲＲＣ＿ＣＯＮＮＥＣＴＥＤではないかである。Ｌｏｎｇ  Ｔｅｒｍ  Ｅｖｏｌｕｔｉｏｎ（ＬＴＥ）プロトコルスタックの動作状態を用いて、ＩＳＭコントローラ３２４の動作をＬｏｎｇ  Ｔｅｒｍ  Ｅｖｏｌｕｔｉｏｎ（ＬＴＥ）プロトコルスタックとｅＮＢ１０２との間の接続レベルと同期しうる。
【００６８】
ＬＴＥ＿Ｓｔａｔｅ＿Ｇｅｎｅｒａｔｏｒ３３２が、ユーザ機器（ＵＥ）１０４が無線リソース制御（ＲＲＣ）メッセージＲＲＣＣｏｎｎｅｃｔｉｏｎＲｅｌｅａｓｅを受信したという指示を検出したときには、ＬＴＥ＿Ｓｔａｔｅ＿Ｇｅｎｅｒａｔｏｒ３３２は、ＩＳＭコントローラ３２４の動作状態３３４をＬＴＥ＿ＲＲＣ＿Ｃｏｎｎｅｃｔｅｄ＝ＦＡＬＳＥに設定しうる。ＬＴＥ＿Ｓｔａｔｅ＿Ｇｅｎｅｒａｔｏｒ３３２が、ユーザ機器（ＵＥ）１０４が無線リソース制御（ＲＲＣ）メッセージＲＲＣＣｏｎｎｅｃｔｉｏｎＲｅｃｏｎｆｉｇｕｒａｔｉｏｎを受信したという指示およびユーザ機器（ＵＥ）１０４が無線リソース制御（ＲＲＣ）メッセージＲＲＣＣｏｎｎｅｃｔｉｏｎＲｅｃｏｎｆｉｇｕｒａｔｉｏｎＣｏｍｐｌｅｔｅを伝送したという指示を検出し、ＲＲＣ‐ＴｒａｎｓａｃｔｉｏｎＩｄｅｎｔｉｆｉｅｒが両メッセージで同じであるときには、ＬＴＥ＿Ｓｔａｔｅ＿Ｇｅｎｅｒａｔｏｒ３３２は、ＩＳＭコントローラ３２４の動作状態３３４をＬＴＥ＿ＲＲＣ＿Ｃｏｎｎｅｃｔｅｄ＝ＴＲＵＥに設定しうる。ＬＴＥ＿Ｓｔａｔｅ＿Ｇｅｎｅｒａｔｏｒ３３２がＩＳＭコントローラ３２４の動作状態３３４をＬＴＥ＿ＲＲＣ＿Ｃｏｎｎｅｃｔｅｄ＝ＦＡＬＳＥに設定したときには、ＩＳＭコントローラ３２４はＩＳＭ＿Ｓｔａｔｅ＿Ｍａｃｈｉｎｅ３３１、ｅＮＢ＿Ｍｏｄｅ＿Ｇｅｎｅｒａｔｏｒ３３８およびＨＰＣ＿Ｅｖｅｎｔ＿Ｇｅｎｅｒａｔｏｒ３４０を実行せず、Ｕｓｅｒ＿Ｍｏｄｅ＿Ｇｅｎｅｒａｔｏｒ３３６を実行する。
【００６９】
Ｕｓｅｒ＿Ｍｏｄｅ＿Ｇｅｎｅｒａｔｏｒ３３６は、ＩＳＭコントローラ３２４の一部である論理構成体でありうる。Ｕｓｅｒ＿Ｍｏｄｅ＿Ｇｅｎｅｒａｔｏｒ３３６は、ユーザにより選択された動作パラメータ（Ｏｐｅｒａｔｉｎｇ  Ｐａｒａｍｅｔｅｒｓ）を取得するためにＩＳＭコントローラ３２４により用いられうる。動作パラメータは、高優先度通信（ＨＰＣ）のアクティブ時にＩＳＭコントローラ３２４がＷｉ‐Ｆｉトランシーバ１０８および／またはＢｌｕｅｔｏｏｔｈトランシーバ１１０を無効化すべきまたはすべきでないというユーザの希望を表現しうる。
【００７０】
Ｕｓｅｒ＿Ｍｏｄｅ＿Ｇｅｎｅｒａｔｏｒ３３６が、高優先度通信（ＨＰＣ）のアクティブ時にはＷｉ‐Ｆｉトランシーバ１０８が無効化されうるという指示を受信したときには、Ｕｓｅｒ＿Ｍｏｄｅ＿Ｇｅｎｅｒａｔｏｒ３３６は、動作パラメータＲｅｑｕｅｓｔ＿Ｄｉｓａｂｌｉｎｇ＿Ｗｉ＿Ｆｉ＝ＴＲＵＥを設定し、不揮発性ストレージにコピーを作成しうる。Ｕｓｅｒ＿Ｍｏｄｅ＿Ｇｅｎｅｒａｔｏｒ３３６は、ユーザのみからこの指示を受信しうる。Ｕｓｅｒ＿Ｍｏｄｅ＿Ｇｅｎｅｒａｔｏｒ３３６が、高優先度通信（ＨＰＣ）のアクティブ時にＷｉ‐Ｆｉトランシーバ１０８を無効化できないという指示を受信したときには、Ｕｓｅｒ＿Ｍｏｄｅ＿Ｇｅｎｅｒａｔｏｒ３３６は、動作パラメータＲｅｑｕｅｓｔ＿Ｄｉｓａｂｌｉｎｇ＿Ｗｉ＿Ｆｉ＝ＦＡＬＳＥを設定し、不揮発性ストレージにコピーを作成しうる。Ｕｓｅｒ＿Ｍｏｄｅ＿Ｇｅｎｅｒａｔｏｒ３３６は、ユーザのみからこの指示を受信しうる。
【００７１】
Ｕｓｅｒ＿Ｍｏｄｅ＿Ｇｅｎｅｒａｔｏｒ３３６が、高優先度通信（ＨＰＣ）のアクティブ時にＢｌｕｅｔｏｏｔｈトランシーバ１１０が無効化されうるという指示を受信したときには、Ｕｓｅｒ＿Ｍｏｄｅ＿Ｇｅｎｅｒａｔｏｒ３３６は、動作パラメータＲｅｑｕｅｓｔ＿Ｄｉｓａｂｌｉｎｇ＿ＢＴ＝ＴＲＵＥを設定し、不揮発性ストレージにコピーを作成しうる。Ｕｓｅｒ＿Ｍｏｄｅ＿Ｇｅｎｅｒａｔｏｒ３３６は、ユーザのみからこの指示を受信しうる。Ｕｓｅｒ＿Ｍｏｄｅ＿Ｇｅｎｅｒａｔｏｒ３３６が、高優先度通信（ＨＰＣ）のアクティブ時にＢｌｕｅｔｏｏｔｈトランシーバ１１０を無効化できないという指示を受信したときには、Ｕｓｅｒ＿Ｍｏｄｅ＿Ｇｅｎｅｒａｔｏｒ３３６は、動作パラメータＲｅｑｕｅｓｔ＿Ｄｉｓａｂｌｉｎｇ＿ＢＴ＝ＦＡＬＳＥを設定し、不揮発性ストレージにコピーを作成しうる。Ｕｓｅｒ＿Ｍｏｄｅ＿Ｇｅｎｅｒａｔｏｒ３３６は、ユーザのみからこの指示を受信しうる。
【００７２】
Ｕｓｅｒ＿Ｍｏｄｅ＿Ｇｅｎｅｒａｔｏｒ３３６が動作パラメータをもたらす指示を受信し、ＩＳＭトランシーバの一つ以上が無効化されるときには（すなわちＩＳＭ＿Ｍｏｄｅ＿Ｄｉｓａｂｌｅｄ＿ＢＴ＝＝ＴＲＵＥまたはＩＳＭ＿Ｍｏｄｅ＿Ｄｉｓａｂｌｅｄ＿ＷｉＦｉ＝＝ＴＲＵＥ）、Ｕｓｅｒ＿Ｍｏｄｅ＿Ｇｅｎｅｒａｔｏｒ３３６は不揮発性ストレージにコピーを作成しうるが、高優先度通信（ＨＰＣ）アクティビティが終了するまで動作パラメータの作業コピーを更新しない。
【００７３】
ｅＮＢ＿Ｍｏｄｅ＿Ｇｅｎｅｒａｔｏｒ３３８は、ＩＳＭコントローラ３２４の一部である論理構成体でありうる。ｅＮＢ＿Ｍｏｄｅ＿Ｇｅｎｅｒａｔｏｒ３３８は、コアネットワーク１０５によりｅＮＢ１０２を介してユーザ機器（ＵＥ）１０４に、または直接ｅＮＢ１０２によりユーザ機器（ＵＥ）１０４に送信される動作モードを取得するためにＩＳＭコントローラ３２４により使用されうる。動作モードは、ＩＳＭ＿Ｓｔａｔｅ＿Ｍａｃｈｉｎｅ３３１の機能を構成するために使用されうる。動作モードは、高優先度通信（ＨＰＣ）のアクティブ時にＩＳＭコントローラ３２４がＷｉ‐Ｆｉトランシーバ１０８を無効化すべきまたはすべきでないようにユーザ機器（ＵＥ）１０４の構成を表現しうる。動作モードはまた、高優先度通信（ＨＰＣ）のアクティブ時にＩＳＭコントローラ３２４がＢｌｕｅｔｏｏｔｈトランシーバ１１０を無効化すべきまたはすべきでないようにユーザ機器（ＵＥ）１０４の構成を表現しうる。動作モードはさらに、ユーザ機器（ＵＥ）１０４がＥ‐ＵＴＲＡ  ＲＲＣ＿ＣＯＮＮＥＣＴＥＤの状態であるときのみＩＳＭコントローラ３２４が実行すべきまたはすべきでないようにユーザ機器（ＵＥ）１０４の構成を表現しうる。ｅＮＢ＿Ｍｏｄｅ＿Ｇｅｎｅｒａｔｏｒ３３８は、ユーザ機器（ＵＥ）１０４の非アクセス層（ＮＡＳ）レイヤからコアネットワーク１０５によりｅＮＢ１０２を介してユーザ機器（ＵＥ）１０４に送信されるメッセージを受信しうる。ｅＮＢ＿Ｍｏｄｅ＿Ｇｅｎｅｒａｔｏｒ３３８は、ユーザ機器（ＵＥ）１０４のアクセス層（ＡＳ；Ａｃｃｅｓｓ  Ｓｔｒａｔｕｍ）レイヤからｅＮＢ１０２によりユーザ機器（ＵＥ）１０４に送信されるメッセージも受信しうる。
【００７４】
ｅＮＢ＿Ｍｏｄｅ＿Ｇｅｎｅｒａｔｏｒ３３８が、高優先度通信（ＨＰＣ）のアクティブ時にＷｉ‐Ｆｉトランシーバ１０８が無効化されうるという指示を受信したときには、ｅＮＢ＿Ｍｏｄｅ＿Ｇｅｎｅｒａｔｏｒ３３８は、動作モードＡｌｌｏｗ＿Ｄｉｓａｂｌｉｎｇ＿Ｗｉ‐Ｆｉ＝ＴＲＵＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。ｅＮＢ＿Ｍｏｄｅ＿Ｇｅｎｅｒａｔｏｒ３３８が、高優先度通信（ＨＰＣ）のアクティブ時にＷｉ‐Ｆｉトランシーバ１０８を無効化できないという指示を受信したときには、ｅＮＢ＿Ｍｏｄｅ＿Ｇｅｎｅｒａｔｏｒ３３８は、動作モードＡｌｌｏｗ＿Ｄｉｓａｂｌｉｎｇ＿Ｗｉ‐Ｆｉ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００７５】
ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）トランシーバ１０６により高優先度通信（ＨＰＣ）が受信されている時にはＢｌｕｅｔｏｏｔｈトランシーバ１１０が無効化されうるという指示を受信したときには、動作モードＡｌｌｏｗ＿Ｄｉｓａｂｌｉｎｇ＿ＢＴ＝ＴＲＵＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）トランシーバ１０６により高優先度通信（ＨＰＣ）が受信されている時にＢｌｕｅｔｏｏｔｈトランシーバ１１０を無効化できないという指示を受信したときには、動作モードＡｌｌｏｗ＿Ｄｉｓａｂｌｉｎｇ＿ＢＴ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００７６】
ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）トランシーバ１０６により高優先度通信（ＨＰＣ）が受信されている時にＢｌｕｅｔｏｏｔｈトランシーバ１１０および／またはＷｉ‐Ｆｉトランシーバ１０８を無効化／有効化するユーザのリクエストがオーバーライドされるべき（すなわちユーザのリクエストがＩＳＭ＿Ｓｔａｔｅ＿Ｍａｃｈｉｎｅ３３１により無視される）という指示を受信したときには、動作モードＯｖｅｒｒｉｄｅ＿Ｕｓｅｒ＿Ｒｅｑｕｅｓｔ＝ＴＲＵＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００７７】
ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）トランシーバ１０６により高優先度通信（ＨＰＣ）が受信されている時にＢｌｕｅｔｏｏｔｈトランシーバ１１０および／またはＷｉ‐Ｆｉトランシーバ１０８を無効化／有効化するユーザのリクエストがオーバーライドされてはならない（すなわちユーザのリクエストがＩＳＭ＿Ｓｔａｔｅ＿Ｍａｃｈｉｎｅ３３１により受理される）という指示を受信したときには、動作モードＯｖｅｒｒｉｄｅ＿Ｕｓｅｒ＿Ｒｅｑｕｅｓｔ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００７８】
ｅＮＢ＿Ｍｏｄｅ＿Ｇｅｎｅｒａｔｏｒ３３８は、ユーザ機器（ＵＥ）１０４がＥ‐ＵＴＲＡ  ＲＲＣ＿ＣＯＮＮＥＣＴＥＤの状態のときのみＩＳＭコントローラ３２４が動作しうるという指示を受信したときには、動作モードＡｌｌｏｗ＿Ｏｎｌｙ＿Ｃｏｎｎｅｃｔｅｄ＝ＴＲＵＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００７９】
ｅＮＢ＿Ｍｏｄｅ＿Ｇｅｎｅｒａｔｏｒ３３８は、ユーザ機器（ＵＥ）１０４のＥ‐ＵＴＲＡの状態に関わらずＩＳＭコントローラ３２４が動作しうるという指示を受信したときには、動作モードＡｌｌｏｗ＿Ｏｎｌｙ＿Ｃｏｎｎｅｃｔｅｄ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００８０】
ｅＮＢ＿Ｍｏｄｅ＿Ｇｅｎｅｒａｔｏｒ３３８は、Ｗｉ‐Ｆｉトランシーバ１０８が無効化されたときにはＩＳＭコントローラ３２４がｅＮＢ１０２に報知しうるという指示を受信したときには、動作モードＳｉｇ＿ｅＮＢ＿Ｗｉ‐Ｆｉ＿Ｄｉｓａｂｌｅｄ＝ＴＲＵＥを設定し、不揮発性ストレージにコピーを作成する。ｅＮＢ＿Ｍｏｄｅ＿Ｇｅｎｅｒａｔｏｒ３３８は、Ｗｉ‐Ｆｉトランシーバ１０８が無効化されたときにＩＳＭコントローラ３２４がｅＮＢ１０２に報知し得ないという指示を受信したときには、動作モードＳｉｇ＿ｅＮＢ＿Ｗｉ‐Ｆｉ＿Ｄｉｓａｂｌｅｄ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこれらの指示を受信しうる。
【００８１】
ｅＮＢ＿Ｍｏｄｅ＿Ｇｅｎｅｒａｔｏｒ３３８は、Ｂｌｕｅｔｏｏｔｈトランシーバ１１０が無効化されたときにはＩＳＭコントローラ３２４がｅＮＢ１０２に報知しうるという指示を受信したときには、動作モードＳｉｇ＿ｅＮＢ＿ＢＴ＿Ｄｉｓａｂｌｅｄ＝ＴＲＵＥを設定し、不揮発性ストレージにコピーを作成する。ｅＮＢ＿Ｍｏｄｅ＿Ｇｅｎｅｒａｔｏｒ３３８は、Ｂｌｕｅｔｏｏｔｈトランシーバ１１０が無効化されたときにＩＳＭコントローラ３２４がｅＮＢ１０２に報知し得ないという指示を受信したときには、動作モードＳｉｇ＿ｅＮＢ＿ＢＴ＿Ｄｉｓａｂｌｅｄ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこの指示を受信しうる。
【００８２】
ｅＮＢ＿Ｍｏｄｅ＿Ｇｅｎｅｒａｔｏｒ３３８は、Ｗｉ‐Ｆｉトランシーバ１０８が無効化されたときにはＩＳＭコントローラ３２４がユーザに報知しうるという指示を受信したときには、動作モードＳｉｇ＿Ｕｓｅｒ＿Ｗｉ‐Ｆｉ＿Ｄｉｓａｂｌｅｄ＝ＴＲＵＥを設定し、不揮発性ストレージにコピーを作成する。ｅＮＢ＿Ｍｏｄｅ＿Ｇｅｎｅｒａｔｏｒ３３８は、Ｗｉ‐Ｆｉトランシーバ１０８が無効化されたときにＩＳＭコントローラ３２４がユーザに報知し得ないという指示を受信したときには、動作モードＳｉｇ＿Ｕｓｅｒ＿Ｗｉ‐Ｆｉ＿Ｄｉｓａｂｌｅｄ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこれらの指示を受信しうる。
【００８３】
ｅＮＢ＿Ｍｏｄｅ＿Ｇｅｎｅｒａｔｏｒ３３８は、Ｂｌｕｅｔｏｏｔｈトランシーバ１１０が無効化されたときにはＩＳＭコントローラ３２４がユーザに報知しうるという指示を受信したときには、動作モードＳｉｇ＿Ｕｓｅｒ＿ＢＴ＿Ｄｉｓａｂｌｅｄ＝ＴＲＵＥを設定し、不揮発性ストレージにコピーを作成する。ｅＮＢ＿Ｍｏｄｅ＿Ｇｅｎｅｒａｔｏｒ３３８は、Ｂｌｕｅｔｏｏｔｈトランシーバ１１０が無効化されたときにＩＳＭコントローラ３２４がユーザに報知し得ないという指示を受信したときには、動作モードＳｉｇ＿Ｕｓｅｒ＿ＢＴ＿Ｄｉｓａｂｌｅｄ＝ＦＡＬＳＥを設定し、不揮発性ストレージにコピーを作成する。ｅＮＢ＿Ｍｏｄｅ＿Ｇｅｎｅｒａｔｏｒ３３８は、Ｌｏｎｇ  Ｔｅｒｍ  Ｅｖｏｌｕｔｉｏｎ（ＬＴＥ）ネットワークのみからこれらの指示を受信しうる。
【００８４】
ｅＮＢ＿Ｍｏｄｅ＿Ｇｅｎｅｒａｔｏｒ３３８は、動作モードをもたらす指示を受信し、ＩＳＭトランシーバの一つ以上が無効化されるときには（すなわちＩＳＭ＿Ｍｏｄｅ＿Ｄｉｓａｂｌｅｄ＿ＢＴ＝＝ＴＲＵＥまたはＩＳＭ＿Ｍｏｄｅ＿Ｄｉｓａｂｌｅｄ＿ＷｉＦｉ＝＝ＴＲＵＥ）不揮発性ストレージにコピーを作成するが、高優先度通信（ＨＰＣ）アクティビティが終了するまで動作モードの作業コピーを更新しない。
【００８５】
ＩＳＭコントローラ３２４は、ＨＰＣ＿Ｅｖｅｎｔ＿Ｇｅｎｅｒａｔｏｒ３４０を含みうる。ＨＰＣ＿Ｅｖｅｎｔ＿Ｇｅｎｅｒａｔｏｒ３４０は、高優先度通信（ＨＰＣ）イベントを取得するためにＩＳＭコントローラ３２４により用いられうる論理構成体である。イベントは、ＩＳＭ＿Ｓｔａｔｅ＿Ｍａｃｈｉｎｅ３３１へのインプットとして用いられる。ＨＰＣ＿Ｅｖｅｎｔ＿Ｇｅｎｅｒａｔｏｒ３４０は、ユーザ機器（ＵＥ）１０４とｅＮＢ１０２との間で交換されるＥ‐ＵＴＲＡ無線リソース制御（ＲＲＣ）プロトコルメッセージをトラッキングしうる。任意の高優先度通信（ＨＰＣ）アクティビティの開始に応答して高優先度通信（ＨＰＣ）イベントが生成される。全てのアクティブ高優先度通信（ＨＰＣ）の終了または全てのアクティブ高優先度通信（ＨＰＣ）タイマの終了に応答してイベントが生成される。ＨＰＣ＿Ｅｖｅｎｔ＿Ｇｅｎｅｒａｔｏｒ３４０は、ＨＰＣ＿Ｓｔａｔｅ変数を用いて高優先度通信（ＨＰＣ）が現在アクティブか否かをトラッキングする。
【００８６】
ＨＰＣ＿Ｅｖｅｎｔ＿Ｇｅｎｅｒａｔｏｒ３４０は、任意の高優先度通信（ＨＰＣ）指示がアクティブになっていることを検出したときには、ローカルイベント変数Ｅｖｅｎｔ＿Ａｃｔｉｖｅ＿ＨＰＣ＝ＴＲＵＥを設定し、イベントを処理のためＩＳＭ＿Ｓｔａｔｅ＿Ｍａｃｈｉｎｅ３３１に送る。ＨＰＣ＿Ｅｖｅｎｔ＿Ｇｅｎｅｒａｔｏｒ３４０は、以下の条件が真のときに、高優先度通信（ＨＰＣ）がアクティブであることを指示するイベントを生成する：
【００８７】
（（ＨＰＣ＿Ｓｔａｔｅ＝＝Ｉｎａｃｔｉｖｅ）‐および‐
（（タイプｓｉｂＴｙｐｅ１０、ｓｉｂＴｙｐｅ１１またはｓｉｂＴｙｐｅ１２‐ｖ９２０のスケジューリング情報を含むＲＲＣ  ＳｙｓｔｅｍＩｎｆｏｒｍａｔｉｏｎＢｌｏｃｋＴｙｐｅ１メッセージの受信）‐または‐（ＤＲＢに割り当てられた高ＱｏＳの検出）‐または‐
（ｅ９１１呼アクティビティの検出）））
【００８８】
ＨＰＣ＿Ｅｖｅｎｔ＿Ｇｅｎｅｒａｔｏｒ３４０は、非アクセス層（ＮＡＳ）が緊急ベアラサービスのためのパケットデータネットワーク（ＰＤＮ；ｐａｃｋｅｔ  ｄａｔａ  ｎｅｔｗｏｒｋ）接続を確立すること、非アクセス層（ＮＡＳ）が緊急ベアラサービスのためのＰＤＮ接続を確立したこと、またはｅｍｅｒｇｅｎｃｙに設定されたｅｓｔａｂｌｉｓｈｍｅｎｔＣａｕｓｅを含む無線リソース制御（ＲＲＣ）ＲＲＣＣｏｎｎｅｃｔｉｏｎＲｅｑｕｅｓｔメッセージの伝送により、ｅ９１１呼アクティビティを検出しうる。ＨＰＣ＿Ｅｖｅｎｔ＿Ｇｅｎｅｒａｔｏｒ３４０が、ｓｉｂＴｙｐｅ１０、ｓｉｂＴｙｐｅ１１またはｓｉｂＴｙｐｅ１２‐ｖ９２０の受信により高優先度通信（ＨＰＣ）がアクティブであることを指示するイベントを生成したときには、それぞれのフラグおよびタイマ、Ｔｒａｃｋｉｎｇ＿ＳＩＢ、Ｔｒａｃｋｉｎｇ＿ＳＩＢ１０、ＳＩＢ１０＿Ｔｉｍｅ、およびＴｒａｃｋｉｎｇ＿ＳＩＢ１１、ＳＩＢ１１＿Ｔｉｍｅ、およびＴｒａｃｋｉｎｇ＿ＳＩＢ１２、ＳＩＢ１２＿Ｔｉｍｅが設定される。
【００８９】
ＨＰＣ＿Ｅｖｅｎｔ＿Ｇｅｎｅｒａｔｏｒ３４０が、ｅ９１１アクティビティにより高優先度通信（ＨＰＣ）がアクティブであることを指示するイベントを生成したときには、Ｔｒａｃｋｉｎｇ＿ｅ９１１フラグが設定される。ＨＰＣ＿Ｅｖｅｎｔ＿Ｇｅｎｅｒａｔｏｒ３４０が、ＤＲＢに割り当てられた高いＱｏＳにより高優先度通信（ＨＰＣ）がアクティブであることを指示するイベントを生成したときには、Ｔｒａｃｋｉｎｇ＿ＨＤＲＢフラグが設定される。
【００９０】
ＨＰＣ＿Ｅｖｅｎｔ＿Ｇｅｎｅｒａｔｏｒ３４０は、高優先度通信（ＨＰＣ）アクティビティの完了に関連した全ての条件が満たされていることを検出したときには、ローカルイベント変数ＩＳＭ＿Ｅｖｅｎｔ＿Ｉｎａｃｔｉｖｅ＿ＨＰＣ＝ＴＲＵＥを設定し、イベントを処理のためにＩＳＭ＿Ｓｔａｔｅ＿Ｍａｃｈｉｎｅ３３１に送る。ＨＰＣ＿Ｅｖｅｎｔ＿Ｇｅｎｅｒａｔｏｒ３４０は、以下の条件が真になるまで、高優先度通信（ＨＰＣ）が非アクティブであることを指示するイベントを生成しない：
【００９１】
（（ＨＰＣ＿Ｓｔａｔｅ！＝Ｉｎａｃｔｉｖｅ）‐および‐
（（（Ｔｒａｃｋｉｎｇ＿ＳＩＢ１０＝＝ＦＡＬＳＥ）‐または‐
（ＳｙｓｔｅｍＩｎｆｏｒｍａｔｉｏｎＢｌｏｃｋＴｙｐｅ１０が受信される‐または‐ＳＩＢ１０＿Ｔｉｍｅの期限が切れている））‐または‐
（（Ｔｒａｃｋｉｎｇ＿ＳＩＢ１１＝＝ＦＡＬＳＥ）‐または‐
（（ＳｙｓｔｅｍＩｎｆｏｒｍａｔｉｏｎＢｌｏｃｋＴｙｐｅ１１が受信される‐および‐ｌａｓｔＳｅｇｍｅｎｔに設定されたｗａｒｎｉｎｇＭｅｓｓａｇｅＳｅｇｍｅｎｔＴｙｐｅ）‐または‐
ＳＩＢ１１＿Ｔｉｍｅの期限が切れている））‐または‐
（（Ｔｒａｃｋｉｎｇ＿ＳＩＢ１２＝＝ＦＡＬＳＥ）‐または‐（ＳＩＢ１２＿Ｔｉｍｅの期限が切れている））‐または‐
（（Ｔｒａｃｋｉｎｇ＿ＨＤＲＢ＝＝ＦＡＬＳＥ）‐または‐（高いＱｏＳが割り当てられたＤＲＢがないことの検出））‐または‐（（Ｔｒａｃｋｉｎｇ＿ｅ９１１＝＝ＦＡＬＳＥ）‐または‐（ｅ９１１呼アクティビティの終了の検出））））
【００９２】
ＨＰＣ＿Ｅｖｅｎｔ＿Ｇｅｎｅｒａｔｏｒ３４０は、非アクセス層（ＮＡＳ）が緊急ベアラサービスのためのＰＤＮ接続を解放することを決定すること、非アクセス層（ＮＡＳ）が緊急ベアラサービスのためのＰＤＮ接続を解放したことを決定すること、または無線リソース制御（ＲＲＣ）ＲＲＣＣｏｎｎｅｃｔｉｏｎＲｅｌｅａｓｅメッセージの受信により、ｅ９１１呼アクティビティの終了を検出しうる。Ａｌｌｏｗ＿Ｏｎｌｙ＿Ｃｏｎｎｅｃｔｅｄ＝＝ＴＲＵＥなら、ＲＲＣＣｏｎｎｅｃｔｉｏｎＲｅｌｅａｓｅの受信を介して高優先度通信（ＨＰＣ）アクティビティの終了を決定するための論理の一部としてｅ９１１完了の状態をトラッキングするための論理がここで定義され、アルゴリズムの完全性および対称性のために下記の流れ図において実装される。しかし実際的観点からは、ＲＲＣＣｏｎｎｅｃｔｉｏｎＲｅｌｅａｓｅの受信によりＩＳＭ＿Ｓｔａｔｅ＿Ｍａｃｈｉｎｅ３３１が終了してデフォルト設定に戻るため、この条件は実行されない。
【００９３】
ＩＳＭコントローラ３２４は、ユーザ機器（ＵＥ）１０４のパワーオン（Ｐｏｗｅｒ  Ｏｎ）後初回の実行であることを検出したときには、他の全ての作業変数および動作状態（Ｏｐｅｒａｔｉｎｇ  Ｓｔａｔｅｓ）３３４をデフォルト設定に初期化し（例えばＬＴＥ＿ＲＲＣ＿ＣｏｎｎｅｃｔｅｄをＦＡＬＳＥに設定）、全ての動作モードおよび動作パラメータを不揮発性ＲＡＭに記憶された値に設定する。動作モードＡｌｌｏｗ＿Ｏｎｌｙ＿Ｃｏｎｎｅｃｔｅｄ＝ＴＲＵＥであり、ＩＳＭコントローラ３２４が、ＲＲＣＣｏｎｎｅｃｔｉｏｎＲｅｌｅａｓｅメッセージの受信および（ＩＳＭ＿Ｍｏｄｅ＿Ｄｉｓａｂｌｅｄ＿ＢＴ＝ＴＲＵＥまたはＩＳＭ＿Ｍｏｄｅ＿Ｄｉｓａｂｌｅｄ＿ＷｉＦｉ＝ＴＲＵＥ）を介してＬｏｎｇ  Ｔｅｒｍ  Ｅｖｏｌｕｔｉｏｎ（ＬＴＥ）無線リソース制御（ＲＲＣ）プロトコルレイヤの状態がＲＲＣ＿ＣＯＮＮＥＣＴＥＤでないことを検出したときには、ＩＳＭコントローラ３２４はＩＳＭ＿Ｓｔａｔｅ＿Ｍａｃｈｉｎｅ３３１を終了し、全ての作業変数および動作状態３３４をデフォルト設定に初期化し、全ての動作モードおよび動作パラメータを不揮発性メモリに記憶された値に設定し、Ｗｉ‐Ｆｉトランシーバ１０８およびＢｌｕｅｔｏｏｔｈトランシーバ１１０をそのデフォルト設定に必要に応じてリセットする。
【００９４】
ＩＳＭコントローラ３２４は、無線リソース制御（ＲＲＣ）レイヤ、非アクセス層（ＮＡＳ）レイヤまたはＬｏｎｇ  Ｔｅｒｍ  Ｅｖｏｌｕｔｉｏｎ（ＬＴＥ）機能外（たとえば別の機能ブロックまたはＩＳＭトランシーバ内）にありうる。ＩＳＭコントローラ３２４が非アクセス層（ＮＡＳ）レイヤにあるときには、ＩＤＣ関連情報（使用周波数、電力または干渉レベル）およびＲＲＣ＿Ｍｅｓｓａｇｅｓが無線リソース制御（ＲＲＣ）レイヤから非アクセス層（ＮＡＳ）レイヤに提供されうる。ＩＳＭコントローラ３２４が無線リソース制御（ＲＲＣ）レイヤにあるときには、非アクセス層（ＮＡＳ）ベアラステータスが非アクセス層（ＮＡＳ）レイヤから無線リソース制御（ＲＲＣ）レイヤに提供されうる。
【００９５】
ＩＳＭ＿Ｓｔａｔｅ＿Ｍａｃｈｉｎｅ３３１は、以下の擬似コードを用いて記述されうる：
・  イベントＥｖｅｎｔ＿Ａｃｔｉｖｅ＿ＨＰＣ＝＝ＴＲＵＥであれば
○  Ｅｖｅｎｔ＿Ａｃｔｉｖｅ＿ＨＰＣ＝ＦＡＬＳＥ
○  （Ａｌｌｏｗ＿Ｄｉｓａｂｌｉｎｇ＿ＢＴ＝＝ＴＲＵＥ）および
（（Ｏｖｅｒｒｉｄｅ＿Ｕｓｅｒ＿Ｒｅｑｕｅｓｔ＝＝ＴＲＵＥ）または
（Ｒｅｑｕｅｓｔ＿Ｄｉｓａｂｌｉｎｇ＿ＢＴ＝＝ＴＲＵＥ））であれば
○  Ｂｌｕｅｔｏｏｔｈトランシーバコントローラへの論理リンクが存在すれば
○  Ｂｌｕｅｔｏｏｔｈ論理構成体にコマンドを送信して伝送機能をオフにする
○  その他
○  Ｂｌｕｅｔｏｏｔｈトランシーバの電力増幅器を無効化する
○  Ｓｉｇ＿ｅＮＢ＿ＢＴ＿Ｄｉｓａｂｌｅｄ＝＝ＴＲＵＥであれば
○    Ｂｌｕｅｔｏｏｔｈ伝送が無効化されていることをｅＮＢに報知する
○  Ｓｉｇ＿Ｕｓｅｒ＿ＢＴ＿Ｄｉｓａｂｌｅｄ＝＝ＴＲＵＥであれば
○    Ｂｌｕｅｔｏｏｔｈが無効化されていることをユーザに報知する
○  モードＩＳＭ＿Ｍｏｄｅ＿Ｄｉｓａｂｌｅｄ＿ＢＴ＝ＴＲＵＥを設定する
○  （Ａｌｌｏｗ＿Ｄｉｓａｂｌｉｎｇ＿Ｗｉ‐Ｆｉ＝＝ＴＲＵＥ）および
（（Ｏｖｅｒｒｉｄｅ＿Ｕｓｅｒ＿Ｒｅｑｕｅｓｔ＝＝ＴＲＵＥ）または
（Ｒｅｑｕｅｓｔ＿Ｄｉｓａｂｌｉｎｇ＿Ｗｉ‐Ｆｉ＝＝ＴＲＵＥ））であれば
○  Ｗｉ‐Ｆｉトランシーバコントローラへの論理リンクが存在すれば
○  Ｗｉ‐Ｆｉ論理構成体にコマンドを送信して伝送機能をオフにする
○  その他
○  Ｗｉ‐Ｆｉトランシーバの電力増幅器を無効化する
○  Ｓｉｇ＿ｅＮＢ＿Ｗｉ‐Ｆｉ＿Ｄｉｓａｂｌｅｄ＝＝ＴＲＵＥであれば
○    Ｗｉ‐Ｆｉ伝送が無効化されていることをｅＮＢに報知する
○  Ｓｉｇ＿Ｕｓｅｒ＿Ｗｉ‐Ｆｉ＿Ｄｉｓａｂｌｅｄ＝＝ＴＲＵＥであれば
○    Ｗｉ‐Ｆｉが無効化されていることをユーザに報知する
○  モードＩＳＭ＿Ｍｏｄｅ＿Ｄｉｓａｂｌｅｄ＿ＷｉＦｉ＝ＴＲＵＥを設定する
／／ＩＳＭコントローラは、Ｗｉ‐Ｆｉトランシーバおよび／またはＢｌｕｅｔｏｏｔｈトランシーバの伝送機能を無効化しうるが、受信は許可されうる
・  イベントＥｖｅｎｔ＿Ｉｎａｃｔｉｖｅ＿ＨＰＣ＝＝ＴＲＵＥであれば
・  Ｅｖｅｎｔ＿Ｉｎａｃｔｉｖｅ＿ＨＰＣ＝ＦＡＬＳＥ
・  ＩＳＭモードＩＳＭ＿Ｍｏｄｅ＿Ｄｉｓａｂｌｅｄ＿ＢＴ＝＝ＴＲＵＥであれば
○  Ｂｌｕｅｔｏｏｔｈトランシーバコントローラへの論理リンクが存在すれば
○  Ｂｌｕｅｔｏｏｔｈ論理構成体にコマンドを送信して伝送機能をオンにする
○  その他
○  Ｂｌｕｅｔｏｏｔｈトランシーバの電力増幅器を有効化する
○  Ｓｉｇ＿ｅＮＢ＿ＢＴ＿Ｄｉｓａｂｌｅｄ＝＝ＴＲＵＥであれば
○    Ｂｌｕｅｔｏｏｔｈ伝送が有効化されていることをｅＮＢに報知する
○  Ｓｉｇ＿Ｕｓｅｒ＿ＢＴ＿Ｄｉｓａｂｌｅｄ＝＝ＴＲＵＥであれば
○    Ｂｌｕｅｔｏｏｔｈが有効化されていることをユーザに報知する
○  モードＩＳＭ＿Ｍｏｄｅ＿Ｄｉｓａｂｌｅｄ＿ＢＴ＝ＦＡＬＳＥを設定する
・  ＩＳＭモードＩＳＭ＿Ｍｏｄｅ＿Ｄｉｓａｂｌｅｄ＿Ｗｉ‐Ｆｉ＝＝ＴＲＵＥであれば
○  Ｗｉ‐Ｆｉトランシーバコントローラへの論理リンクが存在すれば
○  Ｗｉ‐Ｆｉ論理構成体にコマンドを送信して伝送機能をオンにする
○  その他
○  Ｗｉ‐Ｆｉトランシーバの電力増幅器を有効化する
○  Ｓｉｇ＿ｅＮＢ＿Ｗｉ‐Ｆｉ＿Ｄｉｓａｂｌｅｄ＝＝ＴＲＵＥであれば
○  Ｗｉ‐Ｆｉ伝送が有効化されていることをｅＮＢに報知する
○  Ｓｉｇ＿Ｕｓｅｒ＿Ｗｉ‐Ｆｉ＿Ｄｉｓａｂｌｅｄ＝＝ＴＲＵＥであれば
○  Ｗｉ‐Ｆｉが有効化されていることをユーザに報知する
○  モードＩＳＭ＿Ｍｏｄｅ＿Ｄｉｓａｂｌｅｄ＿ＢＴ＝ＦＡＬＳＥを設定する
・  作業コピー動作パラメータおよび動作モードを不揮発性メモリの値で更新する
／／ＩＳＭコントローラは、Ｗｉ‐Ｆｉトランシーバおよび／またはＢｌｕｅｔｏｏｔｈトランシーバの伝送機能を有効化しうる
【００９６】
図４は、ワイヤレステレコムプロトコルスタック４４２を示すブロック図である。ワイヤレステレコムプロトコルスタック４４２は、非アクセス層（ＮＡＳ）４４４およびアクセス層（ＡＳ）４４６を含みうる。非アクセス層（ＮＡＳ）４４４は、Ｌｏｎｇ  Ｔｅｒｍ  Ｅｖｏｌｕｔｉｏｎ（ＬＴＥ）制御プレーンの上の層を形成する機能レイヤであり、ユーザ機器（ＵＥ）１０４とコアネットワーク１０５との間のアクティビティを処理するプロトコルを含む。アクセス層（ＡＳ）４４６は、ユーザ機器（ＵＥ）１０４とアクセスネットワーク（すなわちｅＮＢ１０２）との間のアクティビティを処理するプロトコルを含む機能レイヤである。アクセス層（ＡＳ）４４６は、無線リソース制御（ＲＲＣ）レイヤ４４８、無線リンク制御（ＲＬＣ；Ｒａｄｉｏ  Ｌｉｎｋ  Ｃｏｎｔｒｏｌ）レイヤ４５０、媒体アクセス制御（ＭＡＣ；Ｍｅｄｉｕｍ  Ａｃｃｅｓｓ  Ｃｏｎｔｒｏｌ）レイヤ４５２および物理（ＰＨＹ；Ｐｈｙｓｉｃａｌ）レイヤ４５４を含みうる。無線リソース制御（ＲＲＣ）レイヤ４４８は、Ｌｏｎｇ  Ｔｅｒｍ  Ｅｖｏｌｕｔｉｏｎ（ＬＴＥ）無線リソース制御（ＲＲＣ）タイプメッセージを処理するために用いられるアクセス層（ＡＳ）４４６の最上レイヤである。
【００９７】
図５は、Ｌｏｎｇ  Ｔｅｒｍ  Ｅｖｏｌｕｔｉｏｎ（ＬＴＥ）トランシーバ１０６による高優先度通信（ＨＰＣ）アクティビティに応答するための別の方法５００の流れ図である。ユーザ機器（ＵＥ）１０４により方法５００が実施されうる。ユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティを検出５０２しうる。それからユーザ機器（ＵＥ）１０４は、ｅＮＢ１０２に通知を送信５０４しうる。ユーザ機器（ＵＥ）１０４は、ｅＮＢ１０２により設定された構成１２２を含むメッセージをｅＮＢ１０２から受信したか決定５０６しうる。
【００９８】
ユーザ機器（ＵＥ）１０４がｅＮＢ１０２により設定された構成１２２を含むメッセージをｅＮＢ１０２から受信していれば、ユーザ機器（ＵＥ）１０４は、ｅＮＢ１０２により設定された構成１２２をユーザ機器（ＵＥ）１０４の伝送設定１２３に適用５０８しうる。ユーザ機器（ＵＥ）１０４がｅＮＢ１０２により設定された構成１２２を含むメッセージをｅＮＢ１０２から受信していなければ、ユーザ機器（ＵＥ）１０４は、製造業者により設定された構成１２１があるか決定５１０しうる。製造業者により設定された構成１２１があれば、ユーザ機器（ＵＥ）１０４は、製造業者により設定された構成１２１をユーザ機器（ＵＥ）１０４の伝送設定１２３に適用５１２しうる。
【００９９】
製造業者により設定された構成１２１がなければ、ユーザ機器（ＵＥ）１０４は、ユーザにより設定される構成１２０をユーザにプロンプト５１４しうる。そしてユーザ機器（ＵＥ）１０４は、ユーザにより設定された構成１２０を受信５１６しうる。ユーザ機器（ＵＥ）１０４は、ユーザにより設定された構成１２０をユーザ機器（ＵＥ）１０４の伝送設定１２３に適用５１８しうる。ユーザ機器（ＵＥ）１０４がユーザにより設定された構成１２０を受信しなければ、ユーザ機器（ＵＥ）１０４は、ユーザにより設定された構成１２０をユーザが提供するまで機能（すなわちＢｌｕｅｔｏｏｔｈおよびＷｉ‐Ｆｉ）を無効化しうる。
【０１００】
ユーザ機器（ＵＥ）１０４は、ユーザにより設定された構成１２０、製造業者により設定された構成１２１およびｅＮＢ１０２により設定された構成１２２に多様な方法で優先順位をつけうる。例えば、図５ではｅＮＢ１０２により設定された構成１２２が最高優先度を有し、ユーザにより設定された構成１２０が最低優先度を有するものとして示されているが、逆にユーザにより設定された構成１２０が最高優先度を有し、他方でｅＮＢ１０２により設定された構成１２２が最低優先度を有してもよい。別の例として、製造業者により設定された構成１２１が最高優先度を有し、ｅＮＢ１０２により設定された構成１２２が次に高い優先度を有し、ユーザにより設定された構成１２０が最低優先度を有しうる。ユーザにより設定された構成１２０、製造業者により設定された構成１２１およびｅＮＢ１０２により設定された構成１２２の優先度は、ユーザ機器（ＵＥ）１０４ごとに変動しうる。
【０１０１】
図６は、ｅＮＢ１０２により設定された構成を用いてＬｏｎｇ  Ｔｅｒｍ  Ｅｖｏｌｕｔｉｏｎ（ＬＴＥ）トランシーバ１０６による高優先度通信（ＨＰＣ）アクティビティに応答するための方法６００の流れ図である。ユーザ機器（ＵＥ）１０４により方法６００が実施されうる。ユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティを検出６０２しうる。ユーザ機器（ＵＥ）１０４は、高優先度通信（ＨＰＣ）アクティビティを指示する通知をｅＮＢ１０２に送信６０４しうる。ユーザ機器（ＵＥ）１０４は、Ｗｉ‐Ｆｉトランシーバ１０８、Ｂｌｕｅｔｏｏｔｈトランシーバ１１０または両方の無効化を指示するメッセージをｅＮＢ１０２から受信６０６しうる。ユーザ機器（ＵＥ）１０４は、ｅＮＢ１０２からのメッセージがＷｉ‐Ｆｉ、Ｂｌｕｅｔｏｏｔｈまたは両方の無効化を指示するか決定６０８しうる。
【０１０２】
ｅＮＢ１０２からのメッセージが、ユーザ機器（ＵＥ）１０４がＢｌｕｅｔｏｏｔｈを無効化すべきことを指示するなら、ユーザ機器（ＵＥ）１０４は、Ｂｌｕｅｔｏｏｔｈトランシーバ１１０の電力増幅器１１９ｂを無効化６１０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出６１２しうる。ユーザ機器（ＵＥ）１０４は、Ｂｌｕｅｔｏｏｔｈトランシーバ１１０の電力増幅器１１９ｂを再有効化６１４しうる。それからユーザ機器（ＵＥ）１０４は、Ｂｌｕｅｔｏｏｔｈトランシーバ１１０が有効化されていることを指示する通知をｅＮＢ１０２に送信６１６しうる。
【０１０３】
ｅＮＢ１０２からのメッセージが、ユーザ機器（ＵＥ）１０４がＷｉ‐Ｆｉを無効化すべきことを指示するなら、ユーザ機器（ＵＥ）１０４は、Ｗｉ‐Ｆｉトランシーバ１０８の電力増幅器１１９ａを無効化６３０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出６３２しうる。ユーザ機器（ＵＥ）１０４は、Ｗｉ‐Ｆｉトランシーバ１０８の電力増幅器１１９ａを再有効化６３４しうる。それからユーザ機器（ＵＥ）１０４は、Ｗｉ‐Ｆｉトランシーバ１０８が有効化されていることを指示する通知をｅＮＢ１０２に送信６３６しうる。
【０１０４】
ｅＮＢ１０２からのメッセージが、ユーザ機器（ＵＥ）１０４がＷｉ‐ＦｉおよびＢｌｕｅｔｏｏｔｈの両方を無効化すべきことを指示するなら、ユーザ機器（ＵＥ）１０４は、Ｂｌｕｅｔｏｏｔｈトランシーバ１１０の電力増幅器１１９ｂを無効化６１８しうる。ユーザ機器（ＵＥ）１０４は、Ｗｉ‐Ｆｉトランシーバ１０８の電力増幅器１１９ａも無効化６２０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出６２２しうる。ユーザ機器（ＵＥ）１０４は、Ｂｌｕｅｔｏｏｔｈトランシーバ１１０の電力増幅器１１９ｂを再有効化６２４しうる。ユーザ機器（ＵＥ）１０４は、Ｗｉ‐Ｆｉトランシーバ１０８の電力増幅器１１９ａも再有効化６２６しうる。それからユーザ機器（ＵＥ）１０４は、Ｂｌｕｅｔｏｏｔｈトランシーバ１１０およびＷｉ‐Ｆｉトランシーバ１０８が有効化されていることを指示する通知をｅＮＢ１０２に送信６２８しうる。
【０１０５】
図７は、ユーザにより設定された構成１２０を用いてＬｏｎｇ  Ｔｅｒｍ  Ｅｖｏｌｕｔｉｏｎ（ＬＴＥ）トランシーバ１０６による高優先度通信（ＨＰＣ）アクティビティに応答するための方法７００の流れ図である。ユーザ機器（ＵＥ）１０４により方法７００が実施されうる。ユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティを検出７０２しうる。ユーザ機器（ＵＥ）１０４は、高優先度通信（ＨＰＣ）アクティビティの間にユーザ機器（ＵＥ）１０４のＷｉ‐Ｆｉ／Ｂｌｕｅｔｏｏｔｈ機能が影響されることをユーザに報知７０４しうる。一構成においては、ユーザ機器（ＵＥ）１０４は、音声手段、視覚手段、触覚手段または組み合わせを用いて、高優先度通信（ＨＰＣ）アクティビティの間にユーザ機器（ＵＥ）１０４のＷｉ‐Ｆｉ／Ｂｌｕｅｔｏｏｔｈ機能が影響されることをユーザに報知７０４しうる。それからユーザ機器（ＵＥ）１０４は、高優先度通信（ＨＰＣ）アクティビティ中のＷｉ‐Ｆｉ、Ｂｌｕｅｔｏｏｔｈまたは両方の無効化を選択するようにユーザにプロンプト７０６しうる。ユーザ機器（ＵＥ）１０４は、ユーザによりＷｉ‐Ｆｉ、Ｂｌｕｅｔｏｏｔｈまたは両方が選択されているか決定７０８しうる。
【０１０６】
ユーザによりＢｌｕｅｔｏｏｔｈが選択されれば、ユーザ機器（ＵＥ）１０４は、Ｂｌｕｅｔｏｏｔｈトランシーバ１１０の電力増幅器１１９ｂを無効化７１０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出７１２しうる。ユーザ機器（ＵＥ）１０４は、Ｂｌｕｅｔｏｏｔｈトランシーバ１１０の電力増幅器１１９ｂを再有効化７１４しうる。ユーザ機器（ＵＥ）１０４はまた、ユーザ機器（ＵＥ）１０４のＢｌｕｅｔｏｏｔｈ機能にもう影響がないことをユーザに報知７１６しうる。ユーザ機器（ＵＥ）１０４は、音声手段、視覚手段、触覚手段または組み合わせを介してユーザに報知７１６しうる。
【０１０７】
ユーザによりＷｉ‐Ｆｉが選択されれば、ユーザ機器（ＵＥ）１０４は、Ｗｉ‐Ｆｉトランシーバ１０８の電力増幅器１１９ａを無効化７３０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出７３２しうる。ユーザ機器（ＵＥ）１０４は、Ｗｉ‐Ｆｉトランシーバ１０８の電力増幅器１１９ａを再有効化７３４しうる。ユーザ機器（ＵＥ）１０４はまた、ユーザ機器（ＵＥ）１０４のＷｉ‐Ｆｉ機能にもう影響がないことをユーザに報知７３６しうる。ユーザ機器（ＵＥ）１０４は、音声手段、視覚手段、触覚手段または組み合わせを介してユーザに報知７３６しうる。
【０１０８】
ユーザ機器（ＵＥ）１０４がＷｉ‐ＦｉおよびＢｌｕｅｔｏｏｔｈの両方を無効化すべきことをユーザが指示すれば、ユーザ機器（ＵＥ）１０４は、Ｂｌｕｅｔｏｏｔｈトランシーバ１１０の電力増幅器１１９ｂを無効化７１８しうる。ユーザ機器（ＵＥ）１０４は、Ｗｉ‐Ｆｉトランシーバ１０８の電力増幅器１１９ａも無効化７２０しうる。それからユーザ機器（ＵＥ）１０４は、Ｌｏｎｇ  Ｔｅｒｍ  Ｅｖｏｌｕｔｉｏｎ（ＬＴＥ）トランシーバ１０６による高優先度通信（ＨＰＣ）アクティビティが終了していることを検出７２２しうる。ユーザ機器（ＵＥ）１０４は、Ｂｌｕｅｔｏｏｔｈトランシーバ１１０の電力増幅器１１９ｂを再有効化７２４しうる。ユーザ機器（ＵＥ）１０４は、Ｗｉ‐Ｆｉトランシーバ１０８の電力増幅器１１９ａも再有効化７２６しうる。それからユーザ機器（ＵＥ）１０４は、ユーザ機器（ＵＥ）１０４のＢｌｕｅｔｏｏｔｈおよびＷｉ‐Ｆｉ機能にもう影響がないことをユーザに報知７２８しうる。ユーザ機器（ＵＥ）１０４は、音声手段、視覚手段、触覚手段または組み合わせを介してユーザに報知７２８しうる。
【０１０９】
図８は、Ｂｌｕｅｔｏｏｔｈトランシーバ１１０の電力増幅器１１９ｂを有効化するための方法の流れ図である。ユーザ機器（ＵＥ）１０４により方法８００が実施されうる。ＩＳＭ＿Ｓｔａｔｅ＿Ｍａｃｈｉｎｅ（）３３１  Ｐａｒｔ＃３により本方法が呼び出されうる。ユーザ機器（ＵＥ）１０４は、ＢＴ＿Ｐｏｗｅｒ＿Ａｍｐｌｉｆｉｅｒ＿Ｅｎａｂｌｅ（）を開始８０２しうる。ユーザ機器（ＵＥ）１０４は、Ｂｌｕｅｔｏｏｔｈ伝送器１１０の有効化に必要な物理的設定を構成８０４しうる。そして方法８００が終了しうる。
【０１１０】
図９は、Ｂｌｕｅｔｏｏｔｈトランシーバ１１０の電力増幅器１１９ｂを無効化するための方法９００の流れ図である。ユーザ機器（ＵＥ）１０４により方法９００が実施されうる。ＩＳＭ＿Ｓｔａｔｅ＿Ｍａｃｈｉｎｅ（）３３１  Ｐａｒｔ＃３により方法９００が呼び出されうる。ユーザ機器（ＵＥ）１０４は、ＢＴ＿Ｐｏｗｅｒ＿Ａｍｐｌｉｆｉｅｒ＿Ｄｉｓａｂｌｅ（）を開始９０２しうる。ユーザ機器（ＵＥ）１０４は、Ｂｌｕｅｔｏｏｔｈ伝送器１１０の無効化に必要な物理的設定を構成９０４しうる。そして方法９００が終了しうる。
【０１１１】
図１０は、Ｂｌｕｅｔｏｏｔｈトランシーバ１１０を論理的に有効化するための方法１０００の流れ図である。ユーザ機器（ＵＥ）１０４により方法１０００が実施されうる。ＩＳＭ＿Ｓｔａｔｅ＿Ｍａｃｈｉｎｅ（）３３１  Ｐａｒｔ＃３により方法１０００が呼び出されうる。ユーザ機器（ＵＥ）１０４は、ＢＴ＿Ｔｒａｎｓｃｅｉｖｅｒ＿Ｅｎａｂｌｅ（）を開始１００２しうる。ユーザ機器（ＵＥ）１０４は、Ｂｌｕｅｔｏｏｔｈ伝送器１１０を有効化するために論理コマンドを送信１００４しうる。そして方法１０００が終了しうる。
【０１１２】
図１１は、Ｂｌｕｅｔｏｏｔｈトランシーバ１１０を論理的に無効化するための方法１１００の流れ図である。ユーザ機器（ＵＥ）１０４により方法１１００が実施されうる。ＩＳＭ＿Ｓｔａｔｅ＿Ｍａｃｈｉｎｅ（）３３１  Ｐａｒｔ＃２により方法１１００が呼び出されうる。ユーザ機器（ＵＥ）１０４は、ＢＴ＿Ｔｒａｎｓｃｅｉｖｅｒ＿Ｄｉｓａｂｌｅ（）を開始１１０２しうる。ユーザ機器（ＵＥ）１０４は、Ｂｌｕｅｔｏｏｔｈ伝送器１１０を無効化するために論理コマンドを送信１１０４しうる。そして方法１１００が終了しうる。
【０１１３】
図１２は、動作モードを設定およびクリアするためのｅＮＢ１０２からのコマンドをパースするための方法１２００の流れ図である。ユーザ機器（ＵＥ）１０４により方法１２００が実施されうる。方法１２００は、ｅＮＢ＿Ｍｏｄｅ＿Ｇｅｎｅｒａｔｏｒ３３８により実施され、ＩＳＭコントローラ３２４により呼び出されうる。
【０１１４】
ユーザ機器（ＵＥ）１０４は、ｅＮＢ＿Ｍｏｄｅ＿Ｇｅｎｅｒａｔｏｒ（）３３８を開始１２０２しうる。ユーザ機器（ＵＥ）１０４は、ｅＮＢ＿Ｍｏｄｅ＝ｅＮＢ＿Ｇｅｔ＿Ｃｏｍｍａｎｄ＿Ｍｏｄｅ（）を設定１２０４しうる。ユーザ機器（ＵＥ）１０４は、ｅＮＢ＿ＭｏｄｅがＮＵＬＬと等しいか決定１２０６しうる。ｅＮＢ＿ＭｏｄｅがＮＵＬＬと等しければ、方法１２００は終了しうる。ｅＮＢ＿ＭｏｄｅがＮＵＬＬと等しくなければ、ユーザ機器（ＵＥ）１０４は、ＩＳＭ＿Ｍｏｄｅ＿Ｄｉｓａｂｌｅｄ＿ＢＴがＴＲＵＥと等しいか決定１２０８しうる。ＩＳＭ＿Ｍｏｄｅ＿Ｄｉｓａｂｌｅｄ＿ＢＴがＴＲＵＥと等しければ、ユーザ機器（ＵＥ）１０４は、ｐａｒｔ＃２．１を実行１２１２し、Ｐａｒｔ＃３．１を実行１２１４し、ｐａｒｔ＃４．１を実行１２１６し、ｐａｒｔ＃５．１を実行１２１８しうる。
【０１１５】
ＩＳＭ＿Ｍｏｄｅ＿Ｄｉｓａｂｌｅｄ＿ＢＴがＴＲＵＥと等しくなければ、ユーザ機器（ＵＥ）１０４は、ＩＳＭ＿Ｍｏｄｅ＿Ｄｉｓａｂｌｅｄ＿Ｗｉ‐ＦｉがＴＲＵＥと等しいか決定１２１０しうる。ＩＳＭ＿Ｍｏｄｅ＿Ｄｉｓａｂｌｅｄ＿Ｗｉ‐ＦｉがＴＲＵＥと等しければ、ユーザ機器（ＵＥ）１０４は、Ｐａｒｔ＃２．２を実行１２２０し、Ｐａｒｔ＃３．２を実行１２２２し、Ｐａｒｔ＃４．２を実行１２２４し、Ｐａｒｔ＃５．２を実行１２２６しうる。ＩＳＭ＿Ｍｏｄｅ＿Ｄｉｓａｂｌｅｄ＿Ｗｉ‐ＦｉがＴＲＵＥと等しくなければ、ユーザ機器（ＵＥ）１０４は、Ｐａｒｔ＃２．１を実行１２１２し、Ｐａｒｔ＃３．１を実行１２１４し、Ｐａｒｔ＃４．１を実行１２１６し、Ｐａｒｔ＃５．１を実行１２１８しうる。
【０１１６】
図１３は、動作モードを設定およびクリアするためのｅＮＢ１０２からのコマンドをパースするための別の方法１３００の流れ図である。ユーザ機器（ＵＥ）１０４により方法１３００が実施されうる。方法１３００は、ｅＮＢ＿Ｍｏｄｅ＿Ｇｅｎｅｒａｔｏｒ３３８  Ｐａｒｔ＃２．１により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１１７】
ユーザ機器（ＵＥ）１０４は、＃２．１を開始１３０２しうる。ユーザ機器（ＵＥ）１０４は、ｅＮＢ＿ＭｏｄｅがＣａｎ＿Ｄｉｓａｂｌｅ＿Ｗｉ‐Ｆｉと等しいか決定１３０４しうる。ｅＮＢ＿ＭｏｄｅがＣａｎ＿Ｄｉｓａｂｌｅ＿Ｗｉ‐Ｆｉと等しければ、ユーザ機器（ＵＥ）１０４は、Ａｌｌｏｗ＿Ｄｉｓａｂｌｉｎｇ＿Ｗｉ‐Ｆｉ＝ＴＲＵＥの不揮発性（ＮＶ）コピーを設定１３１６し、ｅＮＢ＿ＭｏｄｅがＣａｎｎｏｔ＿Ｄｉｓａｂｌｅ＿Ｗｉ‐Ｆｉと等しいか決定１３０６しうる。ｅＮＢ＿ＭｏｄｅがＣａｎ＿Ｄｉｓａｂｌｅ＿Ｗｉ‐Ｆｉと等しくなければ、ユーザ機器（ＵＥ）１０４は、ｅＮＢ＿ＭｏｄｅがＣａｎｎｏｔ＿Ｄｉｓａｂｌｅ＿Ｗｉ‐Ｆｉと等しいか決定１３０６しうる。ｅＮＢ＿ＭｏｄｅがＣａｎｎｏｔ＿Ｄｉｓａｂｌｅ＿Ｗｉ‐Ｆｉと等しければ、ユーザ機器（ＵＥ）１０４は、Ａｌｌｏｗ＿Ｄｉｓａｂｌｉｎｇ＿Ｗｉ‐Ｆｉ＝ＦＡＬＳＥの不揮発性（ＮＶ）コピーを設定１３１８しうる。
【０１１８】
ｅＮＢ＿ＭｏｄｅがＣａｎｎｏｔ＿Ｄｉｓａｂｌｅ＿Ｗｉ‐Ｆｉと等しくなければ、ユーザ機器（ＵＥ）１０４は、ｅＮＢ＿ＭｏｄｅがＣａｎ＿Ｄｉｓａｂｌｅ＿ＢＴと等しいか決定１３０８しうる。ｅＮＢ＿ＭｏｄｅがＣａｎ＿Ｄｉｓａｂｌｅ＿ＢＴと等しければ、ユーザ機器（ＵＥ）１０４は、Ａｌｌｏｗ＿Ｄｉｓａｂｌｉｎｇ＿ＢＴ＝ＴＲＵＥの不揮発性（ＮＶ）コピーを設定１３２０し、ｅＮＢ＿ＭｏｄｅがＣａｎｎｏｔ＿Ｄｉｓａｂｌｅ＿ＢＴと等しいか決定１３１０しうる。ｅＮＢ＿ＭｏｄｅがＣａｎ＿Ｄｉｓａｂｌｅ＿ＢＴと等しくなければ、ユーザ機器（ＵＥ）１０４は、ｅＮＢ＿ＭｏｄｅがＣａｎｎｏｔ＿Ｄｉｓａｂｌｅ＿ＢＴと等しいか決定１３１０しうる。ｅＮＢ＿ＭｏｄｅがＣａｎｎｏｔ＿Ｄｉｓａｂｌｅ＿ＢＴと等しければ、ユーザ機器（ＵＥ）１０４は、Ａｌｌｏｗ＿Ｄｉｓａｂｌｉｎｇ＿ＢＴ＝ＦＡＬＳＥの不揮発性（ＮＶ）コピーを設定１３２２しうる。ｅＮＢ＿ＭｏｄｅがＣａｎｎｏｔ＿Ｄｉｓａｂｌｅ＿ＢＴと等しくなければ、ユーザ機器（ＵＥ）１０４は、ｅＮＢ＿ＭｏｄｅがＣａｎ＿Ｏｖｅｒｒｉｄｅ＿Ｕｓｅｒ＿Ｒｅｑｕｅｓｔと等しいか決定１３１２しうる。
【０１１９】
ｅＮＢ＿ＭｏｄｅがＣａｎ＿Ｏｖｅｒｒｉｄｅ＿Ｕｓｅｒ＿Ｒｅｑｕｅｓｔと等しければ、ユーザ機器（ＵＥ）１０４は、Ｏｖｅｒｒｉｄｅ＿Ｕｓｅｒ＿Ｒｅｑｕｅｓｔ＝ＴＲＵＥの不揮発性（ＮＶ）コピーを設定１３２４し、ｅＮＢ＿ＭｏｄｅがＣａｎｎｏｔ＿Ｏｖｅｒｒｉｄｅ＿Ｕｓｅｒ＿Ｒｅｑｕｅｓｔと等しいか決定１３１４しうる。ｅＮＢ＿ＭｏｄｅがＣａｎ＿Ｏｖｅｒｒｉｄｅ＿Ｕｓｅｒ＿Ｒｅｑｕｅｓｔと等しくなければ、ユーザ機器（ＵＥ）１０４は、ｅＮＢ＿ＭｏｄｅがＣａｎｎｏｔ＿Ｏｖｅｒｒｉｄｅ＿Ｕｓｅｒ＿Ｒｅｑｕｅｓｔと等しいか決定１３１４しうる。ｅＮＢ＿ＭｏｄｅがＣａｎｎｏｔ＿Ｏｖｅｒｒｉｄｅ＿Ｕｓｅｒ＿Ｒｅｑｕｅｓｔと等しければ、ユーザ機器（ＵＥ）１０４は、Ｏｖｅｒｒｉｄｅ＿Ｕｓｅｒ＿Ｒｅｑｕｅｓｔ＝ＦＡＬＳＥの不揮発性（ＮＶ）コピーを設定１３２６し、方法１３００は終了しうる。ｅＮＢ＿ＭｏｄｅがＣａｎｎｏｔ＿Ｏｖｅｒｒｉｄｅ＿Ｕｓｅｒ＿Ｒｅｑｕｅｓｔと等しくなければ、方法は終了しうる。
【０１２０】
図１４は、動作モードを設定およびクリアするためのｅＮＢ１０２からのコマンドをパースするためのさらに別の方法１４００の流れ図である。ユーザ機器（ＵＥ）１０４により方法１４００が実施されうる。方法１４００は、ｅＮＢ＿Ｍｏｄｅ＿Ｇｅｎｅｒａｔｏｒ３３８  Ｐａｒｔ＃２．２により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１２１】
ユーザ機器（ＵＥ）１０４は、＃２．２を開始１４０２しうる。ユーザ機器（ＵＥ）１０４は、ｅＮＢ＿ＭｏｄｅがＣａｎ＿Ｄｉｓａｂｌｅ＿Ｗｉ‐Ｆｉと等しいか決定１４０４しうる。ｅＮＢ＿ＭｏｄｅがＣａｎ＿Ｄｉｓａｂｌｅ＿Ｗｉ‐Ｆｉと等しければ、ユーザ機器（ＵＥ）１０４は、Ａｌｌｏｗ＿Ｄｉｓａｂｌｉｎｇ＿Ｗｉ‐Ｆｉ＝ＴＲＵＥを設定１４０６し、Ａｌｌｏｗ＿Ｄｉｓａｂｌｉｎｇ＿Ｗｉ‐Ｆｉ＝ＴＲＵＥの不揮発性（ＮＶ）コピーを設定１４０８しうる。それからユーザ機器（ＵＥ）１０４は、ｅＮＢ＿ＭｏｄｅがＣａｎｎｏｔ＿Ｄｉｓａｂｌｅ＿Ｗｉ‐Ｆｉと等しいか決定１４１０しうる。ｅＮＢ＿ＭｏｄｅがＣａｎ＿Ｄｉｓａｂｌｅ＿Ｗｉ‐Ｆｉと等しくなければ、ユーザ機器（ＵＥ）１０４は、ｅＮＢ＿ＭｏｄｅがＣａｎｎｏｔ＿Ｄｉｓａｂｌｅ＿Ｗｉ‐Ｆｉと等しいか決定１４１０しうる。
【０１２２】
ｅＮＢ＿ＭｏｄｅがＣａｎｎｏｔ＿Ｄｉｓａｂｌｅ＿Ｗｉ‐Ｆｉと等しければ、ユーザ機器（ＵＥ）１０４は、Ａｌｌｏｗ＿Ｄｉｓａｂｌｉｎｇ＿Ｗｉ‐Ｆｉ＝ＦＡＬＳＥを設定１４１２し、ユーザ機器（ＵＥ）１０４は、Ａｌｌｏｗ＿Ｄｉｓａｂｌｉｎｇ＿Ｗｉ‐Ｆｉ＝ＦＡＬＳＥの不揮発性（ＮＶ）コピーを設定１４１４しうる。それからユーザ機器（ＵＥ）１０４は、ｅＮＢ＿ＭｏｄｅがＣａｎ＿Ｄｉｓａｂｌｅ＿ＢＴと等しいか決定１４１６しうる。ｅＮＢ＿ＭｏｄｅがＣａｎｎｏｔ＿Ｄｉｓａｂｌｅ＿Ｗｉ‐Ｆｉと等しくなければ、ユーザ機器（ＵＥ）１０４は、ｅＮＢ＿ＭｏｄｅがＣａｎ＿Ｄｉｓａｂｌｅ＿ＢＴと等しいか決定１４１６しうる。
【０１２３】
ｅＮＢ＿ＭｏｄｅがＣａｎ＿Ｄｉｓａｂｌｅ＿ＢＴと等しければ、ユーザ機器（ＵＥ）１０４は、Ａｌｌｏｗ＿Ｄｉｓａｂｌｉｎｇ＿ＢＴ＝ＴＲＵＥを設定１４１８し、ユーザ機器（ＵＥ）１０４は、Ａｌｌｏｗ＿Ｄｉｓａｂｌｉｎｇ＿ＢＴ＝ＴＲＵＥの不揮発性（ＮＶ）コピーを設定１４２０しうる。それからユーザ機器（ＵＥ）１０４は、ｅＮＢ＿ＭｏｄｅがＣａｎｎｏｔ＿Ｄｉｓａｂｌｅ＿ＢＴと等しいか決定１４２２しうる。ｅＮＢ＿ＭｏｄｅがＣａｎ＿Ｄｉｓａｂｌｅ＿ＢＴと等しくなければ、ユーザ機器（ＵＥ）１０４は、ｅＮＢ＿ＭｏｄｅがＣａｎｎｏｔ＿Ｄｉｓａｂｌｅ＿ＢＴと等しいか決定１４２２しうる。
【０１２４】
ｅＮＢ＿ＭｏｄｅがＣａｎｎｏｔ＿Ｄｉｓａｂｌｅ＿ＢＴと等しければ、ユーザ機器（ＵＥ）１０４は、Ａｌｌｏｗ＿Ｄｉｓａｂｌｉｎｇ＿ＢＴ＝ＦＡＬＳＥを設定１４２４し、ユーザ機器（ＵＥ）１０４は、Ａｌｌｏｗ＿Ｄｉｓａｂｌｉｎｇ＿ＢＴ＝ＦＡＬＳＥの不揮発性（ＮＶ）コピーを設定１４２６しうる。ユーザ機器（ＵＥ）１０４は、ｅＮＢ＿ＭｏｄｅがＣａｎ＿Ｏｖｅｒｒｉｄｅ＿Ｕｓｅｒ＿Ｒｅｑｕｅｓｔと等しいか決定１４２８しうる。ｅＮＢ＿ＭｏｄｅがＣａｎｎｏｔ＿Ｄｉｓａｂｌｅ＿ＢＴと等しくなければ、ユーザ機器（ＵＥ）１０４は、ｅＮＢ＿ＭｏｄｅがＣａｎ＿Ｏｖｅｒｒｉｄｅ＿Ｕｓｅｒ＿Ｒｅｑｕｅｓｔと等しいか決定１４２８しうる。
【０１２５】
ｅＮＢ＿ＭｏｄｅがＣａｎ＿Ｏｖｅｒｒｉｄｅ＿Ｕｓｅｒ＿Ｒｅｑｕｅｓｔと等しければ、ユーザ機器（ＵＥ）１０４は、Ｏｖｅｒｒｉｄｅ＿Ｕｓｅｒ＿Ｒｅｑｕｅｓｔ＝ＴＲＵＥを設定１４３０し、Ｏｖｅｒｒｉｄｅ＿Ｕｓｅｒ＿Ｒｅｑｕｅｓｔ＝ＴＲＵＥの不揮発性（ＮＶ）コピーを設定１４３２しうる。それからユーザ機器（ＵＥ）１０４は、ｅＮＢ＿ＭｏｄｅがＣａｎｎｏｔ＿Ｏｖｅｒｒｉｄｅ＿Ｕｓｅｒ＿Ｒｅｑｕｅｓｔと等しいか決定１４３４しうる。ｅＮＢ＿ＭｏｄｅがＣａｎ＿Ｏｖｅｒｒｉｄｅ＿Ｕｓｅｒ＿Ｒｅｑｕｅｓｔと等しくなければ、ユーザ機器（ＵＥ）１０４は、ｅＮＢ＿ＭｏｄｅがＣａｎｎｏｔ＿Ｏｖｅｒｒｉｄｅ＿Ｕｓｅｒ＿Ｒｅｑｕｅｓｔと等しいか決定１４３４しうる。
【０１２６】
ｅＮＢ＿ＭｏｄｅがＣａｎｎｏｔ＿Ｏｖｅｒｒｉｄｅ＿Ｕｓｅｒ＿Ｒｅｑｕｅｓｔと等しければ、ユーザ機器（ＵＥ）１０４は、Ｏｖｅｒｒｉｄｅ＿Ｕｓｅｒ＿Ｒｅｑｕｅｓｔ＝ＦＡＬＳＥを設定１４３６し、ユーザ機器（ＵＥ）１０４は、Ｏｖｅｒｒｉｄｅ＿Ｕｓｅｒ＿Ｒｅｑｕｅｓｔ＝ＦＡＬＳＥの不揮発性（ＮＶ）コピーを設定１４３８しうる。そして方法１４００が終了しうる。ｅＮＢ＿ＭｏｄｅがＣａｎｎｏｔ＿Ｏｖｅｒｒｉｄｅ＿Ｕｓｅｒ＿Ｒｅｑｕｅｓｔと等しくなければ、方法１４００は終了しうる。
【０１２７】
図１５は、動作モードを設定およびクリアするためのｅＮＢ１０２からのコマンドをパースするための別の方法１５００の流れ図である。ユーザ機器（ＵＥ）１０４により方法１５００が実施されうる。一構成では、方法１５００はｅＮＢ＿Ｍｏｄｅ＿Ｇｅｎｅｒａｔｏｒ３３８  Ｐａｒｔ＃３．１により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１２８】
ユーザ機器（ＵＥ）１０４は、＃３．１を開始１５０２しうる。ユーザ機器（ＵＥ）１０４は、ｅＮＢ＿ＭｏｄｅがＲＲＣ＿Ｃｏｎｎｅｃｔｅｄ＿Ｏｎｌｙと等しいか決定１５０４しうる。ｅＮＢ＿ＭｏｄｅがＲＲＣ＿Ｃｏｎｎｅｃｔｅｄ＿Ｏｎｌｙと等しければ、ユーザ機器（ＵＥ）１０４は、Ａｌｌｏｗ＿Ｏｎｌｙ＿Ｃｏｎｎｅｃｔｅｄ＝ＴＲＵＥの不揮発性（ＮＶ）コピーを設定１５０６しうる。ｅＮＢ＿ＭｏｄｅがＲＲＣ＿Ｃｏｎｎｅｃｔｅｄ＿Ｏｎｌｙと等しくなければ、ユーザ機器（ＵＥ）１０４は、ｅＮＢ＿ＭｏｄｅがＲＲＣ＿Ｃｏｎｎｅｃｔｅｄ＿Ａｎｄ＿Ｉｄｌｅと等しいか決定しうる１５０８。ｅＮＢ＿ＭｏｄｅがＲＲＣ＿Ｃｏｎｎｅｃｔｅｄ＿Ａｎｄ＿Ｉｄｌｅと等しければ、ユーザ機器（ＵＥ）１０４は、Ａｌｌｏｗ＿Ｏｎｌｙ＿Ｃｏｎｎｅｃｔｅｄ＝ＦＡＬＳＥの不揮発性（ＮＶ）コピーを設定１５１０し、方法１５００は終了しうる。ｅＮＢ＿ＭｏｄｅがＲＲＣ＿Ｃｏｎｎｅｃｔｅｄ＿Ａｎｄ＿Ｉｄｌｅと等しくなければ、方法１５００は終了しうる。
【０１２９】
図１６は、動作モードを設定およびクリアするためのｅＮＢ１０２からのコマンドをパースするための別の方法１６００の流れ図である。ユーザ機器（ＵＥ）１０４により方法１６００が実施されうる。一構成では、方法１６００はｅＮＢ＿Ｍｏｄｅ＿Ｇｅｎｅｒａｔｏｒ３３８  Ｐａｒｔ＃３．２により実施され、ＩＳＭコントローラ３２４により呼び出されうる。高優先度通信（ＨＰＣ）がアクティブ場合のみｅＮＢ＿Ｍｏｄｅ＿Ｇｅｎｅｒａｔｏｒ３３８は不揮発性（ＮＶ）ＲＡＭコピーを更新しうる。
【０１３０】
ユーザ機器（ＵＥ）１０４は、＃３．２を開始１６０２しうる。ユーザ機器（ＵＥ）１０４は、ｅＮＢ＿ＭｏｄｅがＲＲＣ＿Ｃｏｎｎｅｃｔｅｄ＿Ｏｎｌｙと等しいか決定１６０４しうる。ｅＮＢ＿ＭｏｄｅがＲＲＣ＿Ｃｏｎｎｅｃｔｅｄ＿Ｏｎｌｙと等しければ、ユーザ機器（ＵＥ）１０４は、Ａｌｌｏｗ＿Ｏｎｌｙ＿Ｃｏｎｎｅｃｔｅｄ＝ＴＲＵＥを設定１６０６し、ユーザ機器（ＵＥ）１０４は、Ａｌｌｏｗ＿Ｏｎｌｙ＿Ｃｏｎｎｅｃｔｅｄ＝ＴＲＵＥの不揮発性（ＮＶ）コピーを設定１６０８しうる。それからユーザ機器（ＵＥ）１０４は、ｅＮＢ＿ＭｏｄｅがＲＲＣ＿Ｃｏｎｎｅｃｔｅｄ＿Ａｎｄ＿Ｉｄｌｅと等しいか決定１６１０しうる。ｅＮＢ＿ＭｏｄｅがＲＲＣ＿Ｃｏｎｎｅｃｔｅｄ＿Ｏｎｌｙと等しくければ、ユーザ機器（ＵＥ）１０４は、ｅＮＢ＿ＭｏｄｅがＲＲＣ＿Ｃｏｎｎｅｃｔｅｄ＿Ａｎｄ＿Ｉｄｌｅと等しいか決定１６１０しうる。
【０１３１】
ｅＮＢ＿ＭｏｄｅがＲＲＣ＿Ｃｏｎｎｅｃｔｅｄ＿Ａｎｄ＿Ｉｄｌｅと等しければ、ユーザ機器（ＵＥ）１０４は、Ａｌｌｏｗ＿Ｏｎｌｙ＿Ｃｏｎｎｅｃｔｅｄ＝ＦＡＬＳＥを設定１６１２し、ユーザ機器（ＵＥ）１０４は、Ａｌｌｏｗ＿Ｏｎｌｙ＿Ｃｏｎｎｅｃｔｅｄ＝ＦＡＬＳＥの不揮発性（ＮＶ）コピーを設定１６１４しうる。そして方法１６００は終了しうる。ｅＮＢ＿ＭｏｄｅがＲＲＣ＿Ｃｏｎｎｅｃｔｅｄ＿Ａｎｄ＿Ｉｄｌｅと等しくなければ、方法１６００は終了しうる。
【０１３２】
図１７は、動作モードを設定およびクリアするためのｅＮＢ１０２からコマンドをパースするためのさらに別の方法１７００の流れ図である。ユーザ機器（ＵＥ）１０４により方法１７００が実施されうる。一構成では、方法１７００はｅＮＢ＿Ｍｏｄｅ＿Ｇｅｎｅｒａｔｏｒ３３８  Ｐａｒｔ＃４．１により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１３３】
ユーザ機器（ＵＥ）１０４は、＃４．１を開始１７０２しうる。ユーザ機器（ＵＥ）１０４は、ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しいか決定１７０４しうる。ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しければ、ユーザ機器（ＵＥ）１０４は、Ｓｉｇ＿ｅＮＢ＿Ｗｉ‐Ｆｉ＿Ｄｉｓａｂｌｅｄ＝ＴＲＵＥの不揮発性（ＮＶ）コピーを設定１７０６し、ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しいか決定１７０８しうる。ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しいか決定１７０８しうる。ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しければ、ユーザ機器（ＵＥ）１０４は、Ｓｉｇ＿ｅＮＢ＿Ｗｉ‐Ｆｉ＿Ｄｉｓａｂｌｅｄ＝ＦＡＬＳＥの不揮発性（ＮＶ）コピーを設定１７１０し、ｅＮＢ＿ＭｏｄｅがＣａｎ＿Ｓｉｇ＿ｅＮＢ＿Ｔｈａｔ＿ＢＴ＿Ｄｉｓａｂｌｅｄと等しいか決定１７１２しうる。ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎ＿Ｓｉｇ＿ｅＮＢ＿Ｔｈａｔ＿ＢＴ＿Ｄｉｓａｂｌｅｄと等しいか決定１７１２しうる。
【０１３４】
ｅＮＢ＿ＭｏｄｅがＣａｎ＿Ｓｉｇ＿ｅＮＢ＿Ｔｈａｔ＿ＢＴ＿Ｄｉｓａｂｌｅｄと等しければ、ユーザ機器（ＵＥ）１０４は、Ｓｉｇ＿ｅＮＢ＿ＢＴ＿Ｄｉｓａｂｌｅｄ＝ＴＲＵＥの不揮発性（ＮＶ）コピーを設定１７１４し、ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しいか決定１７１６しうる。ｅＮＢ＿ＭｏｄｅがＣａｎ＿Ｓｉｇ＿ｅＮＢ＿Ｔｈａｔ＿ＢＴ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しいか決定１７１６しうる。ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しければ、ユーザ機器（ＵＥ）１０４は、Ｓｉｇ＿ｅＮＢ＿ＢＴ＿Ｄｉｓａｂｌｅｄ＝ＦＡＬＳＥの不揮発性（ＮＶ）コピーを設定１７１８し、方法１７００は終了しうる。ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しければ、方法１７００は終了しうる。
【０１３５】
図１８は、動作モードを設定およびクリアするためのｅＮＢ１０２からのコマンドをパースするための別の方法１８００の流れ図である。ユーザ機器（ＵＥ）１０４により方法１８００が実施されうる。一構成では、方法１８００はｅＮＢ＿Ｍｏｄｅ＿Ｇｅｎｅｒａｔｏｒ３３８  Ｐａｒｔ＃４．２により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１３６】
ユーザ機器（ＵＥ）１０４は、＃４．２を開始１８０２しうる。ユーザ機器（ＵＥ）１０４は、ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しいか決定１８０４しうる。ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しければ、ユーザ機器（ＵＥ）１０４は、Ｓｉｇ＿ｅＮＢ＿Ｗｉ‐Ｆｉ＿Ｄｉｓａｂｌｅｄ＝ＴＲＵＥを設定１８１２し、ユーザ機器（ＵＥ）１０４は、Ｓｉｇ＿ｅＮＢ＿Ｗｉ‐Ｆｉ＿Ｄｉｓａｂｌｅｄ＝ＴＲＵＥの不揮発性（ＮＶ）コピーを設定１８１４しうる。それからユーザ機器（ＵＥ）１０４は、ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しいか決定１８０６しうる。ｅＮＢ＿ＭｏｄｅがＣａｎ＿Ｓｉｇ＿ｅＮＢ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しいか決定１８０６しうる。
【０１３７】
ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しければ、ユーザ機器（ＵＥ）１０４は、Ｓｉｇ＿ｅＮＢ＿Ｗｉ‐Ｆｉ＿Ｄｉｓａｂｌｅｄ＝ＦＡＬＳＥを設定１８１６し、Ｓｉｇ＿ｅＮＢ＿Ｗｉ‐Ｆｉ＿Ｄｉｓａｂｌｅｄ＝ＦＡＬＳＥの不揮発性（ＮＶ）コピーを設定１８１８しうる。それからユーザ機器（ＵＥ）１０４は、ｅＮＢ＿ＭｏｄｅがＣａｎ＿Ｓｉｇ＿ｅＮＢ＿Ｔｈａｔ＿ＢＴ＿Ｄｉｓａｂｌｅｄと等しいか決定１８０８しうる。ｅＮＢ＿ＭｏｄｅがＣａｎｎｏｔ＿Ｓｉｇ＿ｅＮＢ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎ＿Ｓｉｇ＿ｅＮＢ＿Ｔｈａｔ＿ＢＴ＿Ｄｉｓａｂｌｅｄと等しいか決定１８０８しうる。
【０１３８】
ｅＮＢ＿ＭｏｄｅがＣａｎ＿Ｓｉｇ＿ｅＮＢ＿Ｔｈａｔ＿ＢＴ＿Ｄｉｓａｂｌｅｄと等しければ、ユーザ機器（ＵＥ）１０４は、Ｓｉｇ＿ｅＮＢ＿ＢＴ＿Ｄｉｓａｂｌｅｄ＝ＴＲＵＥを設定１８２０し、Ｓｉｇ＿ｅＮＢ＿ＢＴ＿Ｄｉｓａｂｌｅｄ＝ＴＲＵＥの不揮発性（ＮＶ）コピーを設定１８２２しうる。それからユーザ機器（ＵＥ）１０４は、ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しいか決定１８１０しうる。ｅＮＢ＿ＭｏｄｅがＣａｎ＿Ｓｉｇ＿ｅＮＢ＿Ｔｈａｔ＿ＢＴ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しいか決定１８１０しうる。
【０１３９】
ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しければ、ユーザ機器（ＵＥ）１０４は、Ｓｉｇ＿ｅＮＢ＿ＢＴ＿Ｄｉｓａｂｌｅｄ＝ＦＡＬＳＥを設定１８２４し、Ｓｉｇ＿ｅＮＢ＿ＢＴ＿Ｄｉｓａｂｌｅｄ＝ＦＡＬＳＥの不揮発性（ＮＶ）コピーを設定１８２６しうる。それから方法１８００が終了しうる。ｅＮＢ＿ＭｏｄｅがＣａｎｎｏｔ＿Ｓｉｇ＿ｅＮＢ＿Ｔｈａｔ＿ＢＴ＿Ｄｉｓａｂｌｅｄと等しくなければ、方法１８００は終了しうる。
【０１４０】
図１９は、動作モードを設定およびクリアするためのｅＮＢ１０２からのコマンドをパースするためのさらに別の方法１９００の流れ図である。ユーザ機器（ＵＥ）１０４により方法１９００が実施されうる。一構成では、方法１９００はｅＮＢ＿Ｍｏｄｅ＿Ｇｅｎｅｒａｔｏｒ３３８  Ｐａｒｔ＃５．１により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１４１】
ユーザ機器（ＵＥ）１０４は、＃５．１を開始１９０２しうる。ユーザ機器（ＵＥ）１０４は、ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しいか決定１９０４しうる。ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しければ、ユーザ機器（ＵＥ）１０４は、Ｓｉｇ＿Ｕｓｅｒ＿Ｗｉ‐Ｆｉ＿Ｄｉｓｂｌｅｄ＝ＴＲＵＥの不揮発性（ＮＶ）コピーを設定１９０６し、ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しいか決定１９０８しうる。ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しいか決定１９０８しうる。ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しければ、ユーザ機器（ＵＥ）１０４は、Ｓｉｇ＿Ｕｓｅｒ＿Ｗｉ‐Ｆｉ＿Ｄｉｓａｂｌｅｄ＝ＦＡＬＳＥの不揮発性（ＮＶ）コピーを設定１９１０し、ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しいか決定１９１２しうる。ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しいか決定１９１２しうる。
【０１４２】
ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しければ、ユーザ機器（ＵＥ）１０４は、Ｓｉｇ＿Ｕｓｅｒ＿ＢＴ＿Ｄｉｓａｂｌｅｄ＝ＴＲＵＥの不揮発性（ＮＶ）コピーを設定１９１４し、ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しいか決定１９１６しうる。ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しいか決定１９１６しうる。ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しければ、ユーザ機器（ＵＥ）１０４は、Ｓｉｇ＿Ｕｓｅｒ＿ＢＴ＿Ｄｉｓａｂｌｅｄ＝ＦＡＬＳＥの不揮発性（ＮＶ）コピーを設定１９１８し、方法１９００が終了しうる。ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しくなければ、方法１９００が終了しうる。
【０１４３】
図２０は、動作モードを設定およびクリアするためのｅＮＢ１０２からのコマンドをパースするための別の方法２０００の流れ図である。ユーザ機器（ＵＥ）１０４により方法２０００が実施されうる。一構成では、方法２０００はｅＮＢ＿Ｍｏｄｅ＿Ｇｅｎｅｒａｔｏｒ３３８  Ｐａｒｔ＃５．２により実施され、ＩＳＭコントローラ３２４により呼び出されうる。高優先度通信（ＨＰＣ）がアクティブの場合のみｅＮＢ＿Ｍｏｄｅ＿Ｇｅｎｅｒａｔｏｒ３３８は不揮発性（ＮＶ）ＲＡＭコピーを更新しうる。
【０１４４】
ユーザ機器（ＵＥ）１０４が、＃５．２を開始２００２しうる。ユーザ機器（ＵＥ）１０４は、ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しいか決定２００４しうる。ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しければ、ユーザ機器（ＵＥ）１０４は、Ｓｉｇ＿Ｕｓｅｒ＿Ｗｉ‐Ｆｉ＿Ｄｉｓａｂｌｅｄ＝ＴＲＵＥを設定２００６し、Ｓｉｇ＿Ｕｓｅｒ＿Ｗｉ‐Ｆｉ＿Ｄｉｓａｂｌｅｄ＝ＴＲＵＥの不揮発性（ＮＶ）コピーを設定２００８しうる。それからユーザ機器（ＵＥ）１０４は、ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しいか決定２０１０しうる。ｅＮＢ＿ＭｏｄｅがＣａｎ＿Ｓｉｇ＿Ｕｓｅｒ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しいか決定２０１０しうる。
【０１４５】
ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しければ、ユーザ機器（ＵＥ）１０４は、Ｓｉｇ＿Ｕｓｅｒ＿Ｗｉ‐Ｆｉ＿Ｄｉｓａｂｌｅｄ＝ＦＡＬＳＥを設定２０１２し、ユーザ機器（ＵＥ）１０４は、Ｓｉｇ＿Ｕｓｅｒ＿Ｗｉ‐Ｆｉ＿Ｄｉｓａｂｌｅｄ＝ＦＡＬＳＥの不揮発性（ＮＶ）コピーを設定２０１４しうる。それからユーザ機器（ＵＥ）１０４は、ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しいか決定２０１６しうる。ｅＮＢ＿ＭｏｄｅがＣａｎｎｏｔ＿Ｓｉｇ＿Ｕｓｅｒ＿Ｔｈａｔ＿Ｗｉ‐Ｆｉ＿Ｄｉｓａｂｌｅｄと等しくなければ、ユーザ機器（ＵＥ）１０４は、ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しいか決定２０１６しうる。
【０１４６】
ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しければ、ユーザ機器（ＵＥ）１０４は、Ｓｉｇ＿Ｕｓｅｒ＿ＢＴ＿Ｄｉｓａｂｅｄ＝ＴＲＵＥを設定２０１８し、ユーザ機器（ＵＥ）１０４は、Ｓｉｇ＿Ｕｓｅｒ＿ＢＴ＿Ｄｉｓａｂｌｅｄ＝ＴＲＵＥの不揮発性（ＮＶ）コピーを設定２０２０しうる。それからユーザ機器（ＵＥ）１０４は、ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しいか決定２０２２しうる。ｅＮＢ＿ＭｏｄｅがＣａｎ＿Ｓｉｇ＿Ｕｓｅｒ＿Ｔｈａｔ＿ＢＴ＿Ｄｉｓａｂｌｅｄと等しくなければ、ユーザ機器（ＵＥ）１０４は、ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しいか決定２０２２しうる。
【０１４７】
ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しければ、ユーザ機器（ＵＥ）１０４は、Ａｌｌｏｗ＿Ｄｉｓａｂｌｉｎｇ＿ＢＴ＝ＦＡＬＳＥを設定２０２４し、ユーザ機器（ＵＥ）１０４は、Ｓｉｇ＿Ｕｓｅｒ＿ＢＴ＿Ｄｉｓａｂｌｅｄ＝ＦＡＬＳＥの不揮発性（ＮＶ）コピーを設定２０２６しうる。それから方法２０００が終了しうる。ｅＮＢ＿ＭｏｄｅがＣａｎｎｏｔ＿Ｓｉｇ＿Ｕｓｅｒ＿Ｔｈａｔ＿ＢＴ＿Ｄｉｓａｂｌｅｄと等しくなければ、方法２０００が終了しうる。
【０１４８】
図２１は、ｅ９１１呼を完了するための方法２１００の流れ図である。ユーザ機器（ＵＥ）１０４により方法２１００が実施されうる。一構成では、ＨＰＣ＿Ａｃｔｉｖｉｔｙ＿Ｃｏｍｐｌｅｔｉｏｎにより方法２１００が呼び出されうる。方法２１００は、ＬＴＥトランシーバがＲＲＣＣｏｎｎｅｃｔｉｏｎＲｅｌｅａｓｅを受信したときにはＴＲＵＥをリターンしうる。Ａｌｌｏｗ＿Ｏｎｌｙ＿Ｃｏｎｎｅｃｔｅｄ＝＝ＴＲＵＥなら、ＬＴＥ  ＲＲＣレイヤによるＲＲＣＣｏｎｎｅｃｔｉｏｎＲｅｌｅａｓｅメッセージの受信がＬＴＥ＿Ｓｔａｔｅ＿Ｇｅｎｅｒａｔｏｒにおいて検出される。これにより、このコードが実行される前にＩＳＭコントローラ３２４が全てのアクティビティを終了し、全ての状態変数をデフォルト設定にリセットしうる（すなわち、これによりＩＳＭ＿Ｓｔａｔｅ＿Ｍａｃｈｉｎｅ３３１が終了し、ＩＳＭバンド構成のアクティブ設定がデフォルトに戻りうる）。
【０１４９】
ユーザ機器（ＵＥ）１０４は、ＨＰＣ＿Ａｃｔｉｖｉｔｙ＿Ｃｏｍｐｌｅｔｅ＿ｅ９１１（）を開始２１０２しうる。それからユーザ機器（ＵＥ）１０４は、ＨＰＣ＿ｅ９１１＿Ｃｏｍｐｅｔｅ＝ＦＡＬＳＥを設定２１０４し、Ｍｅｓｓａｇｅ＝ＨＰＣ＿Ｇｅｔ＿ＲＲＣ＿Ｍｅｓｓａｇｅ＿Ｒｘ（ＲＲＣＣｏｎｎｅｃｔｉｏｎＲｅｌｅａｓｅ）を設定２１０６しうる。ユーザ機器（ＵＥ）１０４は、ＭｅｓｓａｇｅがＮＵＬＬと等しいか決定２１１０しうる。ＭｅｓｓａｇｅがＮＵＬＬと等しければ、ユーザ機器（ＵＥ）１０４は、（ＨＰＣ＿ｅ９１１＿Ｃｏｍｐｌｅｔｅ）をリターン２１０８しうる。ＭｅｓｓａｇｅがＮＵＬＬと等しくなければ、ユーザ機器（ＵＥ）１０４は、ＨＰＣ＿ｅ９１１＿Ｃｏｍｐｌｅｔｅ＝ＴＲＵＥを設定２１１２し、Ｍｅｓｓａｇｅ＝ＨＰＣ＿Ｇｅｔ＿ＲＲＣ＿Ｍｅｓｓａｇｅ＿Ｒｘ（ＲＲＣＣｏｎｎｅｃｔｉｏｎＲｅｌｅａｓｅ）を設定２１０６しうる。
【０１５０】
図２２は、非アクセス層（ＮＡＳ）４４４が現在高いＱｏＳが割り当てられたＤＲＢがないことをシグナリングしているか決定するための方法２２００の流れ図である。ユーザ機器（ＵＥ）１０４により方法２２００が実施されうる。ＨＰＣ＿Ａｃｔｉｖｉｔｙ＿Ｃｏｍｐｌｅｔｉｏｎ（）により方法２２００が呼び出されうる。
【０１５１】
ユーザ機器（ＵＥ）１０４は、ＨＰＣ＿Ａｃｔｉｖｉｔｙ＿Ｃｏｍｐｌｅｔｅ＿ＨＤＲＢ（）を開始２２０２しうる。ユーザ機器（ＵＥ）１０４は、Ｍｅｓｓａｇｅ＝ＨＰＣ＿Ｇｅｔ＿ＮＳＡ＿Ｍｅｓｓａｇｅ（ＤＲＢ＿ＳＴＡＴＥ）を設定２２０４しうる。ユーザ機器（ＵＥ）１０４は、ＭｅｓｓａｇｅがＮＵＬＬと等しいか決定２２０６しうる。ＭｅｓｓａｇｅがＮＵＬＬと等しければ、ユーザ機器（ＵＥ）１０４は（ＦＡＬＳＥ）をリターン２２０８しうる。ＭｅｓｓａｇｅがＮＵＬＬと等しくなければ、ユーザ機器（ＵＥ）１０４は、Ｍｅｓｓａｇｅが高いＱｏＳが割り当てられたＤＲＢがないことをシグナリングするか決定２２１０しうる。Ｍｅｓｓａｇｅが高いＱｏＳが割り当てられたＤＲＢがないことをシグナリングするなら、ユーザ機器（ＵＥ）１０４は（ＴＲＵＥ）をリターン２２１２しうる。Ｍｅｓｓａｇｅが高いＱｏＳが割り当てられたＤＲＢがないことシグナリングしなければ、ユーザ機器（ＵＥ）１０４は（ＦＡＬＳＥ）をリターン２２１４しうる。
【０１５２】
図２３は、高優先度通信（ＨＰＣ）アクティビティを検出するための方法２３００の流れ図である。ユーザ機器（ＵＥ）１０４により方法２３００が実施されうる。ＨＰＣ＿Ａｃｔｉｖｉｔｙ＿Ｃｏｍｐｌｅｔｉｏｎ（）により方法２３００が呼び出されうる。
【０１５３】
ユーザ機器（ＵＥ）１０４は、ＨＰＣ＿Ａｃｔｖｉｔｙ＿Ｃｏｍｐｌｅｔｅ＿ＳＩＢ（Ｍｅｓｓａｇｅ）を開始２３０２しうる。ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎ）を設定２３０４しうる。ユーザ機器（ＵＥ）１０４は、ＭｅｓｓａｇｅがＮＵＬＬと等しいか決定２３０６しうる。ＭｅｓｓａｇｅがＮＵＬＬと等しければ、ユーザ機器（ＵＥ）１０４は、Ｔｒａｃｋｉｎｇ＿ＳＩＢ１０がＴＲＵＥと等しいか決定２３０８しうる。Ｔｒａｃｋｉｎｇ＿ＳＩＢ１０がＴＲＵＥと等しければ、ユーザ機器（ＵＥ）１０４は、リターン２３３８（ＦＡＬＳＥ）を設定しうる。Ｔｒａｃｋｉｎｇ＿ＳＩＢ１０がＴＲＵＥと等しくなければ、ユーザ機器（ＵＥ）１０４は、Ｔｒａｃｋｉｎｇ＿ＳＩＢ１１がＴＲＵＥと等しいか決定２３１０しうる。Ｔｒａｃｋｉｎｇ＿ＳＩＢ１１がＴＲＵＥと等しければ、ユーザ機器（ＵＥ）１０４は、リターン２３３８（ＦＡＬＳＥ）を設定しうる。Ｔｒａｃｋｉｎｇ＿ＳＩＢ１１がＴＲＵＥと等しくなければ、ユーザ機器（ＵＥ）１０４は、Ｔｒａｃｋｉｎｇ＿ＳＩＢ１２がＴＲＵＥと等しいか決定２３１２しうる。Ｔｒａｃｋｉｎｇ＿ＳＩＢ１２がＴＲＵＥと等しければ、ユーザ機器（ＵＥ）１０４は、（ＦＡＬＳＥ）をリターン２３３８しうる。Ｔｒａｃｋｉｎｇ＿ＳＩＢ１２がＴＲＵＥと等しくなければ、ユーザ機器（ＵＥ）１０４は、（ＴＲＵＥ）をリターン２３４０しうる。
【０１５４】
ＭｅｓｓａｇｅがＮＵＬＬと等しくなければ、ユーザ機器（ＵＥ）１０４は、Ｔｒａｃｋｉｎｇ＿ＳＩＢ１０がＴＲＵＥと等しいか決定２３１４しうる。Ｔｒａｃｋｉｎｇ＿ＳＩＢ１０がＴＲＵＥと等しければ、ユーザ機器（ＵＥ）１０４は、ＳＩＢ１０＿Ｃｏｍｐｌｅｔｅ＝ＨＰＣ＿Ａｃｔｉｖｉｔｙ＿Ｃｏｍｐｌｅｔｉｏｎ＿ＳＩＢ１０（Ｍｅｓｓａｇｅ）を設定２３１６しうる。それからユーザ機器（ＵＥ）１０４は、ＳＩＢ１０＿ＣｏｍｐｌｅｔｅがＴＲＵＥと等しいか決定２３２０しうる。ＳＩＢ１０＿ＣｏｍｐｌｅｔｅがＴＲＵＥと等しければ、ユーザ機器（ＵＥ）１０４は、Ｔｒａｃｋｉｎｇ＿ＳＩＢ１０＝ＦＡＬＳＥを設定２３１８し、Ｔｒａｃｋｉｎｇ＿ＳＩＢ１１がＴＲＵＥと等しいか決定２３２２しうる。ＳＩＢ１０＿ＣｏｍｐｌｅｔｅがＴＲＵＥと等しくなければ、ユーザ機器（ＵＥ）１０４は、Ｔｒａｃｋｉｎｇ＿ＳＩＢ１１がＴＲＵＥと等しいか決定２３２２しうる。
【０１５５】
Ｔｒａｃｋｉｎｇ＿ＳＩＢ１１がＴＲＵＥと等しければ、ユーザ機器（ＵＥ）１０４は、ＳＩＢ１１＿Ｃｏｍｐｌｅｔｅ＝ＨＰＣ＿Ａｃｔｉｖｉｔｙ＿Ｃｏｍｐｌｅｔｉｏｎ＿ＳＩＢ１１（Ｍｅｓｓａｇｅ）を設定２３２４しうる。それからユーザ機器（ＵＥ）１０４は、ＳＩＢ１１＿ＣｏｍｐｌｅｔｅがＴＲＵＥと等しいか決定２３２８しうる。ＳＩＢ１１＿ＣｏｍｐｌｅｔｅがＴＲＵＥと等しければ、ユーザ機器（ＵＥ）１０４は、Ｔｒａｃｋｉｎｇ＿ＳＩＢ１１＝ＦＡＬＳＥを設定２３２６し、Ｔｒａｃｋｉｎｇ＿ＳＩＢ１２がＴＲＵＥと等しいか決定２３３０しうる。ＳＩＢ１１＿ＣｏｍｐｌｅｔｅがＴＲＵＥと等しくなければ、ユーザ機器（ＵＥ）１０４は、Ｔｒａｃｋｉｎｇ＿ＳＩＢ１２がＴＲＵＥと等しいか決定２３３０しうる。Ｔｒａｃｋｉｎｇ＿ＳＩＢ１１がＴＲＵＥと等しくなければ、ユーザ機器（ＵＥ）１０４は、Ｔｒａｃｋｉｎｇ＿ＳＩＢ１２がＴＲＵＥと等しいか決定２３３０しうる。
【０１５６】
Ｔｒａｃｋｉｎｇ＿ＳＩＢ１２がＴＲＵＥと等しければ、ユーザ機器（ＵＥ）１０４は、ＳＩＢ１２＿Ｃｏｍｐｌｅｔｅ＝ＨＰＣ＿Ａｃｔｉｖｉｔｙ＿Ｃｏｍｐｌｅｔｉｏｎ＿ＳＩＢ１２（Ｍｅｓｓａｇｅ）を設定２３３２しうる。それからユーザ機器（ＵＥ）１０４は、ＳＩＢ１２＿ＣｏｍｐｌｅｔｅがＴＲＵＥと等しいか決定２３３６しうる。ＳＩＢ１２＿ＣｏｍｐｌｅｔｅがＴＲＵＥと等しければ、ユーザ機器（ＵＥ）１０４は、Ｔｒａｃｋｉｎｇ＿ＳＩＢ１２＝ＦＡＬＳＥを設定２３３４し、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎ）を設定２３０４しうる。ＳＩＢ１２＿ＣｏｍｐｌｅｔｅがＴＲＵＥと等しくなければ、ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎ）を設定２３０４しうる。Ｔｒａｃｋｉｎｇ＿ＳＩＢ１２がＴＲＵＥと等しくなければ、ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎ）を設定２３０４しうる。
【０１５７】
図２４は、ＳＩＢ１０＿Ｔｉｍｅｒの期限が切れているか決定するための方法２４００の流れ図である。ユーザ機器（ＵＥ）１０４により方法２４００が実施されうる。ＨＰＣ＿Ａｃｔｉｖｉｔｙ＿Ｃｏｍｐｌｅｔｅ＿ＳＩＢ（）により方法２４００が呼び出されうる。
【０１５８】
ユーザ機器（ＵＥ）１０４は、ＨＰＣ＿Ａｃｔｉｖｉｔｙ＿Ｃｏｍｐｌｅｔｅ  ＳＩＢ１０（Ｍｅｓｓａｇｅ）を開始２４０２しうる。ユーザ機器（ＵＥ）１０４は、ＭｅｓｓａｇｅがＳｙｓｔｅｍＩｎｆｏｒｍａｔｉｏｎＢｌｏｃｋＴｙｐｅ１０を含むか決定２４０４しうる。ＭｅｓｓａｇｅがＳｙｓｔｅｍＩｎｆｏｒｍａｔｉｏｎＢｌｏｃｋＴｙｐｅ１０を含むなら、ユーザ機器（ＵＥ）１０４は、（ＴＲＵＥ）をリターン２４０８しうる。ＭｅｓｓａｇｅがＳｙｓｔｅｍＩｎｆｏｒｍａｔｉｏｎＢｌｏｃｋＴｙｐｅ１０を含まなければ、ユーザ機器（ＵＥ）１０４は、ＳＩＢ１０＿Ｔｉｍｅｒ＿Ｓｔａｔｅ（）がＥＸＰＩＲＥＤと等しいか決定２４０６しうる。ＳＩＢ１０＿Ｔｉｍｅｒ＿Ｓｔａｔｅ（）がＥＸＰＩＲＥＤと等しければ、ユーザ機器（ＵＥ）１０４は、（ＴＲＵＥ）をリターン２４０８しうる。ＳＩＢ１０＿Ｔｉｍｅｒ＿Ｓｔａｔｅ（）がＥＸＰＩＲＥＤと等しくなければ、ユーザ機器（ＵＥ）１０４は、（ＦＡＬＳＥ）をリターン２４１０しうる。
【０１５９】
図２５は、ＳＩＢ１１＿Ｔｉｍｅｒの期限が切れているか決定するための方法２５００の流れ図である。ユーザ機器（ＵＥ）１０４により方法２５００が実施されうる。ＨＰＣ＿Ａｃｔｉｖｉｔｙ＿Ｃｏｍｐｌｅｔｅ＿ＳＩＢ（）により方法２５００が呼び出されうる。
【０１６０】
ユーザ機器（ＵＥ）１０４は、ＨＰＣ＿Ａｃｔｉｖｉｔｙ＿Ｃｏｍｐｌｅｔｅ  ＳＩＢ１１（Ｍｅｓｓａｇｅ）を開始２５０２しうる。ユーザ機器（ＵＥ）１０４は、ＭｅｓｓａｇｅがＳｙｓｔｅｍＩｎｆｏｒｍａｔｉｏｎＢｌｏｃｋＴｙｐｅ１１を含むか決定２５０４しうる。ＭｅｓｓａｇｅがＳｙｓｔｅｍＩｎｆｏｒｍａｔｉｏｎＢｌｏｃｋＴｙｐｅ１１を含めば、ユーザ機器（ＵＥ）１０４は、ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含むか決定２５０６しうる。ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含めば、ユーザ機器（ＵＥ）１０４は、（ＴＲＵＥ）をリターン２５１０しうる。ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含まなければ、ユーザ機器（ＵＥ）１０４は、ＳＩＢ１１＿Ｔｉｍｅｒ＿Ｓｔａｔｅ（）がＥＸＰＩＲＥＤと等しいか決定２５０８しうる。
【０１６１】
ＭｅｓｓａｇｅがＳｙｓｔｅｍＩｎｆｏｒｍａｔｉｏｎＢｌｏｃｋＴｙｐｅ１１を含まなければ、ユーザ機器（ＵＥ）１０４は、ＳＩＢ１１＿Ｔｉｍｅｒ＿Ｓｔａｔｅ（）がＥＸＰＩＲＥＤと等しいか決定２５０８しうる。ＳＩＢ１１＿Ｔｉｍｅｒ＿Ｓｔａｔｅ（）がＥＸＰＩＲＥＤと等しければ、ユーザ機器（ＵＥ）１０４は、（ＴＲＵＥ）をリターン２５１０しうる。ＳＩＢ１１＿Ｔｉｍｅｒ＿Ｓｔａｔｅ（）がＥＸＰＩＲＥＤと等しくなければ、ユーザ機器（ＵＥ）１０４は、（ＦＡＬＳＥ）をリターン２５１２しうる。
【０１６２】
図２６は、ＳＩＢ１２＿Ｔｉｍｅｒの期限が切れているか決定するための方法２６００の流れ図である。ユーザ機器（ＵＥ）１０４により本方法が実施されうる。ＨＰＣ＿Ａｃｔｉｖｉｔｙ＿Ｃｏｍｐｌｅｔｅ＿ＳＩＢ（）により本方法が呼び出されうる。
【０１６３】
ユーザ機器（ＵＥ）１０４は、ＨＰＣ＿Ａｃｔｉｖｉｔｙ＿Ｃｏｍｐｌｅｔｅ  ＳＩＢ１２（Ｍｅｓｓａｇｅ）を開始２６０２しうる。ユーザ機器（ＵＥ）１０４は、ＭｅｓｓａｇｅがＳｙｓｔｅｍＩｎｆｏｒｍａｔｉｏｎＢｌｏｃｋＴｙｐｅ１２を含むか決定２６０４しうる。ＭｅｓｓａｇｅがＳｙｓｔｅｍＩｎｆｏｒｍａｔｉｏｎＢｌｏｃｋＴｙｐｅ１２を含めば、ユーザ機器（ＵＥ）１０４は、ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含むか決定２６０６しうる。ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含めば、ユーザ機器（ＵＥ）１０４は、ＨＰＣ＿Ｔｉｍｅｒ＿Ｓｔａｒｔ（ＳＩＢ１２＿Ｔｉｍｅ）を開始２６０８しうる。それからユーザ機器（ＵＥ）１０４は、ＳＩＢ１２＿Ｔｉｍｅｒ＿Ｓｔａｔｅ（）がＥＸＰＩＲＥＤと等しいか決定２６１０しうる。ＭｅｓｓａｇｅがＳｙｓｔｅｍＩｎｆｏｒｍａｔｉｏｎＢｌｏｃｋＴｙｐｅ１２を含まなければ、ユーザ機器（ＵＥ）１０４は、ＳＩＢ１２＿Ｔｉｍｅｒ＿Ｓｔａｔｅ（）がＥＸＰＩＲＥＤと等しいか決定２６１０しうる。ＭｅｓｓａｇｅがｌａｓｔＳｅｇｍｅｎｔに設定されたｗａｒｎｉｎｇＭｅｓｓａｇｅＳｅｇｍｅｎｔＴｙｐｅを含まなければ、ユーザ機器（ＵＥ）１０４は、ＳＩＢ１２＿Ｔｉｍｅｒ＿Ｓｔａｔｅ（）がＥＸＰＩＲＥＤと等しいか決定２６１０しうる。
【０１６４】
ＳＩＢ１２＿Ｔｉｍｅｒ＿Ｓｔａｔｅ（）がＥＸＰＩＲＥＤと等しければ、ユーザ機器（ＵＥ）１０４は、（ＴＲＵＥ）をリターン２６１２しうる。ＳＩＢ１２＿Ｔｉｍｅｒ＿Ｓｔａｔｅ（）がＥＸＰＩＲＥＤと等しくなければ、ユーザ機器（ＵＥ）１０４は、（ＦＡＬＳＥ）をリターン２６１４しうる。
【０１６５】
図２７は、ｅ９１１呼が終了しているときを決定するための方法２７００の流れ図である。ユーザ機器（ＵＥ）１０４により方法２７００が実施されうる。ＨＰＣ＿Ｅｖｅｎｔ＿Ｇｅｎｅｒａｔｏｒ（）により方法２７００が呼び出されうる。
【０１６６】
ユーザ機器（ＵＥ）１０４は、ＨＰＣ＿Ａｃｔｉｖｉｔｙ＿Ｃｏｍｐｌｅｔｉｏｎ（）を開始２７０２しうる。ユーザ機器（ＵＥ）１０４は、ＨＰＣ＿Ａｃｔｉｖｉｔｙ＿Ｄｅｔｅｃｔｉｏｎ（）を設定２７０４しうる。ユーザ機器（ＵＥ）１０４は、Ｔｒａｃｋｉｎｇ＿ｅ９１１がＴＲＵＥと等しいか決定２７０６しうる。Ｔｒａｃｋｉｎｇ＿ｅ９１１がＴＲＵＥと等しければ、ユーザ機器（ＵＥ）１０４は、ＨＰＣ＿ｅ９１１＿Ｃｏｍｐｌｅｔｅ＝ＨＰＣ＿Ａｃｔｉｖｉｔｙ＿Ｃｏｍｐｌｅｔｅ＿ｅ９１１（）を設定２７０８しうる。それからユーザ機器（ＵＥ）１０４は、ＨＰＣ＿ｅ９１１＿ＣｏｍｐｌｅｔｅがＴＲＵＥと等しいか決定２７１０しうる。ＨＰＣ＿ｅ９１１＿ＣｏｍｐｌｅｔｅがＴＲＵＥと等しければ、ユーザ機器（ＵＥ）１０４は、Ｔｒａｃｋｉｎｇ＿ｅ９１１＝ＦＡＬＳＥを設定２７１２し、Ｔｒａｃｋｉｎｇ＿ＳＩＢがＴＲＵＥと等しいか決定２７１４しうる。ＨＰＣ＿ｅ９１１＿ＣｏｍｐｌｅｔｅがＴＲＵＥと等しくなければ、ユーザ機器（ＵＥ）１０４は、Ｔｒａｃｋｉｎｇ＿ＳＩＢがＴＲＵＥと等しいか決定２７１４しうる。Ｔｒａｃｋｉｎｇ＿ｅ９１１がＴＲＵＥと等しくなければ、ユーザ機器（ＵＥ）１０４は、Ｔｒａｃｋｉｎｇ＿ＳＩＢがＴＲＵＥと等しいか決定２７１４しうる。
【０１６７】
Ｔｒａｃｋｉｎｇ＿ＳＩＢがＴＲＵＥと等しければ、ユーザ機器（ＵＥ）１０４は、ＨＰＣ＿ＳＩＢ＿Ｃｏｍｐｌｅｔｅ＝ＨＰＣ＿Ａｃｔｉｖｉｔｙ＿Ｃｏｍｐｌｅｔｅ＿ＳＩＢ（）を設定２７１６しうる。それからユーザ機器（ＵＥ）１０４は、ＨＰＣ＿ＳＩＢ＿ＣｏｍｐｌｅｔｅがＴＲＵＥと等しいか決定２７１８しうる。ＨＰＣ＿ＳＩＢ＿ＣｏｍｐｌｅｔｅがＴＲＵＥと等しければ、ユーザ機器（ＵＥ）１０４は、Ｔｒａｃｋｉｎｇ＿ＳＩＢ＝ＦＡＬＳＥを設定２７２０し、ユーザ機器（ＵＥ）１０４は、Ｔｒａｃｋｉｎｇ＿ＨＤＲＢがＴＲＵＥと等しいか決定２７２２しうる。ＨＰＣ＿ＳＩＢ＿ＣｏｍｐｌｅｔｅがＴＲＵＥと等しくなければ、ユーザ機器（ＵＥ）１０４は、Ｔｒａｃｋｉｎｇ＿ＨＤＲＢがＴＲＵＥと等しいか決定２７２２しうる。Ｔｒａｃｋｉｎｇ＿ＳＩＢがＴＲＵＥと等しくなければ、ユーザ機器（ＵＥ）１０４は、Ｔｒａｃｋｉｎｇ＿ＨＤＲＢがＴＲＵＥと等しいか決定２７２２しうる。
【０１６８】
Ｔｒａｃｋｉｎｇ＿ＨＤＲＢがＴＲＵＥと等しければ、ユーザ機器（ＵＥ）１０４は、ＨＰＣ＿ＨＤＲＢ＿Ｃｏｍｐｌｅｔｅ＝ＨＰＣ＿Ａｃｔｉｖｉｔｙ＿Ｃｏｍｐｌｅｔｅ＿ＨＤＲＢ（）を設定２７２４しうる。それからユーザ機器（ＵＥ）１０４は、ＨＰＣ＿ＨＤＲＢ＿ＣｏｍｐｌｅｔｅがＴＲＵＥと等しいか決定２７２６しうる。ＨＰＣ＿ＨＤＲＢ＿ＣｏｍｐｌｅｔｅがＴＲＵＥと等しければ、ユーザ機器（ＵＥ）１０４は、Ｔｒａｃｋｉｎｇ＿ＨＤＲＢ＝ＦＡＬＳＥを設定２７２８し、ユーザ機器（ＵＥ）１０４は、Ｔｒａｃｋｉｎｇ＿ｅ９１１がＴＲＵＥと等しいか決定２７３０しうる。ＨＰＣ＿ＨＤＲＢ＿ＣｏｍｐｌｅｔｅがＴＲＵＥと等しくなければ、ユーザ機器（ＵＥ）１０４は、Ｔｒａｃｋｉｎｇ＿ｅ９１１がＴＲＵＥと等しいか決定２７３０しうる。Ｔｒａｃｋｉｎｇ＿ＨＤＲＢがＴＲＵＥと等しくなければ、ユーザ機器（ＵＥ）１０４は、Ｔｒａｃｋｉｎｇ＿ｅ９１１がＴＲＵＥと等しいか決定２７３０しうる。
【０１６９】
Ｔｒａｃｋｉｎｇ＿ｅ９１１がＴＲＵＥと等しければ、ユーザ機器（ＵＥ）１０４は、（ＦＡＬＳＥ）をリターン２７３６しうる。Ｔｒａｃｋｉｎｇ＿ｅ９１１がＴＲＵＥと等しくなければ、ユーザ機器（ＵＥ）１０４は、Ｔｒａｃｋｉｎｇ＿ＳＩＢがＴＲＵＥと等しいか決定２７３２しうる。Ｔｒａｃｋｉｎｇ＿ＳＩＢがＴＲＵＥと等しければ、ユーザ機器（ＵＥ）１０４は、（ＦＡＬＳＥ）をリターン２７３６しうる。Ｔｒａｃｋｉｎｇ＿ＳＩＢがＴＲＵＥと等しくなければ、ユーザ機器（ＵＥ）１０４は、Ｔｒａｃｋｉｎｇ＿ＨＤＲＢがＴＲＵＥと等しいか決定２７３４しうる。Ｔｒａｃｋｉｎｇ＿ＨＤＲＢがＴＲＵＥと等しければ、ユーザ機器（ＵＥ）１０４は、（ＦＡＬＳＥ）をリターン２７３６しうる。Ｔｒａｃｋｉｎｇ＿ＨＤＲＢがＴＲＵＥと等しくなければ、ユーザ機器（ＵＥ）１０４は、（ＴＲＵＥ）をリターン２７３８しうる。
【０１７０】
図２８は、Ｌｏｎｇ  Ｔｅｒｍ  Ｅｖｏｌｕｔｉｏｎ（ＬＴＥ）トランシーバ１０６がｅｍｅｒｇｅｎｃｙに設定されたｅｓｔａｂｌｉｓｈｍｅｎｔＣａｕｓｅを含むＲＲＣＣｏｎｎｅｃｔｉｏｎＲｅｑｕｅｓｔを伝送したときに高優先度通信（ＨＰＣ）アクティビティを検出するための方法２８００の流れ図である。ユーザ機器（ＵＥ）１０４により方法２８００が実施されうる。ＨＰＣ＿Ａｃｔｉｖｉｔｙ＿Ｄｅｔｅｃｔｉｏｎ（）により方法２８００が呼び出されうる。
【０１７１】
ユーザ機器（ＵＥ）１０４は、ＨＰＣ＿Ａｃｔｉｖｉｔｙ＿Ｄｅｔｅｃｔｉｏｎ＿ｅ９１１（）を開始２８０２し、ＨＰＣ＿ｅ９１１＿Ａｃｔｉｖｅ＝ＦＡＬＳＥを設定２８０４しうる。次にユーザ機器（ＵＥ）１０４は、Ｍｅｓｓａｇｅ＝ＨＰＣ＿Ｇｅｔ＿ＲＲＣ＿Ｍｅｓｓａｇｅ＿Ｔｘ（ＲＲＣＣｏｎｎｅｃｔｉｏｎＲｅｑｕｅｓｔ）を設定２８０６しうる。それからユーザ機器（ＵＥ）１０４は、ＭｅｓｓａｇｅがＮＵＬＬと等しいか決定２８１０しうる。ＭｅｓｓａｇｅがＮＵＬＬと等しければ、ユーザ機器（ＵＥ）１０４は、（ＨＰＣ＿ｅ９１１＿Ａｃｔｉｖｅ）をリターン２８０８しうる。ＭｅｓｓａｇｅがＮＵＬＬと等しくなければ、ユーザ機器（ＵＥ）１０４は、Ｍｅｓｓａｇｅがｅｍｅｒｇｅｎｃｙに設定されたｅｓｔａｂｌｉｓｈｍｅｎｔＣａｕｓｅをシグナリングするか決定２８１２しうる。Ｍｅｓｓａｇｅがｅｍｅｒｇｅｎｃｙに設定されたｅｓｔａｂｌｉｓｈｍｅｎｔＣａｕｓｅをシグナリングすれば、ユーザ機器（ＵＥ）１０４は、ＨＰＣ＿ｅ９１１＿Ａｃｔｉｖｅ＝ＴＲＵＥを設定２８１４し、Ｍｅｓｓａｇｅ＝ＨＰＣ＿Ｇｅｔ＿ＲＲＣ＿Ｍｅｓｓａｇｅ＿Ｔｘ（ＲＲＣＣｏｎｎｅｃｔｉｏｎＲｅｑｕｅｓｔ）を設定２８１０しうる。Ｍｅｓｓａｇｅが、ｅｓｔａｂｌｉｓｈｍｅｎｔＣａｕｓｅがｅｍｅｒｇｅｎｃｙに設定されていないことをシグナリングすれば、ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｔｘ（ＲＲＣＣｏｎｎｅｃｔｉｏｎＲｅｑｕｅｓｔ）を設定２８１０しうる。
【０１７２】
図２９は、ＤＲＢに高いＱｏＳが割り当てられているときにＨＰＣアクティビティを検出するための方法２９００の流れ図である。ユーザ機器（ＵＥ）１０４により方法２９００が実施されうる。ＨＰＣ＿Ａｃｔｉｖｉｔｙ＿Ｄｅｔｅｃｔｉｏｎ（）により方法２９００が呼び出されうる。
【０１７３】
ユーザ機器（ＵＥ）１０４は、ＨＰＣ＿Ａｃｔｉｖｉｔｙ＿Ｄｅｔｅｃｔｉｏｎ＿ＨＤＲＢ（）を開始２９０２しうる。ユーザ機器（ＵＥ）１０４は、Ｍｅｓｓａｇｅ＝ＨＰＣ＿Ｇｅｔ＿ＮＳＡ＿Ｍｅｓｓａｇｅ（ＤＲＢ＿ＳＴＡＴＥ）を設定２９０４しうる。それからユーザ機器（ＵＥ）１０４は、ＭｅｓｓａｇｅがＮＵＬＬと等しいか決定２９０６しうる。ＭｅｓｓａｇｅがＮＵＬＬと等しければ、ユーザ機器（ＵＥ）１０４は、（ＦＡＬＳＥ）をリターン２９０８しうる。ＭｅｓｓａｇｅがＮＵＬＬと等しくなければ、ユーザ機器（ＵＥ）１０４は、Ｍｅｓｓａｇｅが高いＱｏＳを割り当てられたＤＲＢをシグナリングするか決定２９１０しうる。Ｍｅｓｓａｇｅが高いＱｏＳを割り当てられたＤＲＢをシグナリングすれば、ユーザ機器（ＵＥ）１０４は、（ＴＲＵＥ）をリターン２９１２しうる。Ｍｅｓｓａｇｅが高いＱｏＳを割り当てられたＤＲＢをシグナリングしなければ、ユーザ機器（ＵＥ）１０４は、（ＦＡＬＳＥ）をリターン２９１４しうる。
【０１７４】
図３０は、高優先度通信（ＨＰＣ）アクティビティを検出するための方法３０００の流れ図である。ユーザ機器（ＵＥ）１０４により方法３０００が実施されうる。ＨＰＣ＿Ａｃｔｉｖｉｔｙ＿Ｄｅｔｅｃｔｉｏｎ（）により方法３０００が呼び出されうる。
【０１７５】
ユーザ機器（ＵＥ）１０４は、ＨＰＣ＿Ａｃｔｉｖｉｔｙ＿Ｄｅｔｅｃｔｉｏｎ＿ＳＩＢ（）を開始３００２しうる。ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎＢｌｏｃｋＴｙｐｅ１）を設定３００４しうる。それからユーザ機器（ＵＥ）１０４は、ＭｅｓｓａｇｅがＮＵＬＬと等しいか決定３００６しうる。ＭｅｓｓａｇｅがＮＵＬＬと等しければ、ユーザ機器（ＵＥ）１０４は、Ｔｒａｃｋｉｎｇ＿ＳＩＢ１０がＴＲＵＥと等しいか決定３００８しうる。Ｔｒａｃｋｉｎｇ＿ＳＩＢ１０がＴＲＵＥと等しければ、ユーザ機器（ＵＥ）１０４は、（ＴＲＵＥ）をリターン３０４０しうる。Ｔｒａｃｋｉｎｇ＿ＳＩＢ１０がＴＲＵＥと等しくなければ、ユーザ機器（ＵＥ）１０４は、Ｔｒａｃｋｉｎｇ＿ＳＩＢ１１がＴＲＵＥと等しいか決定３０１０しうる。Ｔｒａｃｋｉｎｇ＿ＳＩＢ１１がＴＲＵＥと等しければ、ユーザ機器（ＵＥ）１０４は、（ＴＲＵＥ）をリターン３０４０しうる。Ｔｒａｃｋｉｎｇ＿ＳＩＢ１１がＴＲＵＥと等しくなければ、ユーザ機器（ＵＥ）１０４は、Ｔｒａｃｋｉｎｇ＿ＳＩＢ１２がＴＲＵＥと等しいか決定３０１２しうる。Ｔｒａｃｋｉｎｇ＿ＳＩＢ１２がＴＲＵＥと等しければ、ユーザ機器（ＵＥ）１０４は、（ＴＲＵＥ）をリターン３０４０しうる。Ｔｒａｃｋｉｎｇ＿ＳＩＢ１２がＴＲＵＥと等しくなければ、ユーザ機器（ＵＥ）１０４は、（ＦＡＬＳＥ）をリターン３０４２しうる。
【０１７６】
ＭｅｓｓａｇｅがＮＵＬＬと等しくなければ、ユーザ機器（ＵＥ）１０４は、Ｔｒａｃｋｉｎｇ＿ＳＩＢ１０がＦＡＬＳＥと等しいか決定３０１４しうる。Ｔｒａｃｋｉｎｇ＿ＳＩＢ１０がＦＡＬＳＥと等しければ、ユーザ機器（ＵＥ）１０４は、ＭｅｓｓａｇｅがタイプｓｉｂＴｙｐｅ１０のスケジューリング情報を含むか決定３０１６する。ＭｅｓｓａｇｅがタイプｓｉｂＴｙｐｅ１０のスケジューリング情報を含めば、ユーザ機器（ＵＥ）１０４は、Ｔｒａｃｋｉｎｇ＿ＳＩＢ１０＝ＴＲＵＥを設定３０２２し、ＳＩＢ１０＿Ｔｉｍｅｒ＿Ｓｔａｒｔ（）を開始３０２４しうる。それからユーザ機器（ＵＥ）１０４は、Ｔｒａｃｋｉｎｇ＿ＳＩＢ１１がＦＡＬＳＥと等しいか決定３０１８しうる。ＭｅｓｓａｇｅがタイプｓｉｂＴｙｐｅ１０のスケジューリング情報を含まなければ、ユーザ機器（ＵＥ）１０４は、Ｔｒａｃｋｉｎｇ＿ＳＩＢ１１がＦＡＬＳＥと等しいか決定３０１８しうる。Ｔｒａｃｋｉｎｇ＿ＳＩＢ１０がＦＡＬＳＥと等しくなければ、ユーザ機器（ＵＥ）１０４は、Ｔｒａｃｋｉｎｇ＿ＳＩＢ１１がＦＡＬＳＥと等しいか決定３０１８しうる。
【０１７７】
Ｔｒａｃｋｉｎｇ＿ＳＩＢ１１がＦＡＬＳＥと等しければ、ユーザ機器（ＵＥ）１０４は、ＭｅｓｓａｇｅがタイプｓｉｂＴｙｐｅ１１のスケジューリング情報を含むか決定３０２０しうる。ＭｅｓｓａｇｅがタイプｓｉｂＴｙｐｅ１１のスケジューリング情報を含めば、ユーザ機器（ＵＥ）１０４は、Ｔｒａｃｋｉｎｇ＿ＳＩＢ１１＝ＴＲＵＥを設定３０２６し、ＳＩＢ１１＿Ｔｉｍｅｒ＿Ｓｔａｒｔ（）を開始３０２８しうる。それからユーザ機器（ＵＥ）１０４は、Ｔｒａｃｋｉｎｇ＿ＳＩＢ１２がＦＡＬＳＥと等しいか決定３０３０しうる。ＭｅｓｓａｇｅがタイプｓｉｂＴｙｐｅ１１のスケジューリング情報を含まなければ、ユーザ機器（ＵＥ）１０４は、Ｔｒａｃｋｉｎｇ＿ＳＩＢ１２がＦＡＬＳＥと等しいか決定３０３０しうる。ＴｒａｃｋｉｎｇＳＩＢ１１がＦＡＬＳＥと等しくなければ、ユーザ機器（ＵＥ）１０４は、Ｔｒａｃｋｉｎｇ＿ＳＩＢ１２がＦＡＬＳＥと等しいか決定３０３０しうる。
【０１７８】
Ｔｒａｃｋｉｎｇ＿ＳＩＢ１２がＦＡＬＳＥと等しければ、ユーザ機器（ＵＥ）１０４は、ＭｅｓｓａｇｅがタイプｓｉｂＴｙｐｅ１２‐ｖ９２０のスケジューリング情報を含むか決定３０３２しうる。ＭｅｓｓａｇｅがタイプｓｉｂＴｙｐｅ１２‐ｖ９２０のスケジューリング情報を含めば、ユーザ機器（ＵＥ）１０４は、Ｔｒａｃｋｉｎｇ＿ＳＩＢ１２＝ＴＲＵＥを設定３０３４し、ＳＩＢ１２＿Ｔｉｍｅｒ＿Ｓｔａｒｔ（）を開始３０３６しうる。それからユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎＢｌｏｃｋＴｙｐｅ１）を設定３００４しうる。ＭｅｓｓａｇｅがタイプｓｉｂＴＹｐｅ１２‐ｖ９２０のスケジューリング情報を含まなければ、ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎＢｌｏｃｋＴｙｐｅ１）を設定３００４しうる。Ｔｒａｃｋｉｎｇ＿ＳＩＢ１２がＦＡＬＳＥと等しくなければ、ユーザ機器（ＵＥ）１０４は、Ｍｅｓｓａｇｅ＝ＨＰＣ＿Ｇｅｔ＿ＲＲＣ＿Ｍｅｓｓａｇｅ＿Ｒｘ（ＳｙｓｔｅｍＩｎｆｏｒｍａｔｉｏｎＢｌｏｃｋＴｙｐｅ１）を設定３００４しうる。
【０１７９】
図３１は、高優先度通信（ＨＰＣ）アクティビティを検出するための別の方法３１００の流れ図である。ユーザ機器（ＵＥ）１０４により方法３１００が実施されうる。ＨＰＣ＿Ｅｖｅｎｔ＿Ｇｅｎｅｒａｔｏｒ（）により方法３１００が呼び出されうる。
【０１８０】
ユーザ機器（ＵＥ）１０４は、ＨＰＣ＿Ａｃｔｉｖｉｔｙ＿Ｄｅｔｅｃｔｉｏｎ（）を開始３１０２しうる。ユーザ機器（ＵＥ）１０４は、ＨＰＣ＿ｅ９１１＿Ａｃｔｉｖｉｔｙ＝ＨＰＣ＿Ａｃｔｉｖｉｔｙ＿Ｄｅｔｅｃｔｉｏｎ＿ｅ９１１（）を設定３１０４し、ＨＰＣ＿ＳＩＢ＿Ａｃｔｉｖｉｔｙ＝ＨＰＣ＿Ａｃｔｉｖｉｔｙ＿Ｄｅｔｅｃｔｉｏｎ＿ＳＩＢ（）を設定３１０６し、ＨＰＣ＿ＨＤＲＢ＿Ａｃｔｉｖｉｔｙ＝ＨＰＣ＿Ａｃｔｉｖｉｔｙ＿Ｄｅｔｅｃｔｉｏｎ＿ＨＤＲＢ（）を設定３１０８しうる。それからユーザ機器（ＵＥ）１０４は、ＨＰＣ＿ｅ９１１＿Ａｃｔｉｖｉｔｙ＝ＴＲＵＥか決定３１１０しうる。ＨＰＣ＿ｅ９１１＿Ａｃｔｉｖｉｔｙ＝ＴＲＵＥなら、ユーザ機器（ＵＥ）１０４は、Ｔｒａｃｋｉｎｇ＿ｅ９１１＝ＴＲＵＥを設定３１２２し、ＨＰＣ＿ＳＩＢ＿Ａｃｔｉｖｉｔｙ＝ＴＲＵＥか決定３１１２しうる。ＨＰＣ＿ｅ９１１＿ＡｃｔｉｖｉｔｙがＴＲＵＥと等しくなければ、ユーザ機器（ＵＥ）１０４は、ＨＰＣ＿ＳＩＢ＿Ａｃｔｉｖｉｔｙ＝ＴＲＵＥか決定３１１２しうる。
【０１８１】
ＨＰＣ＿ＳＩＢ＿Ａｃｔｉｖｉｔｙ＝ＴＲＵＥなら、ユーザ機器（ＵＥ）１０４は、Ｔｒａｃｋｉｎｇ＿ＳＩＢ＝ＴＲＵＥを設定３１２４し、ＨＰＣ＿ＨＤＲＢ＿Ａｃｔｉｖｉｔｙ＝ＴＲＵＥか決定３１１４しうる。ＨＰＣ＿ＳＩＢ＿ＡｃｔｉｖｉｔｙがＴＲＵＥと等しくなければ、ユーザ機器（ＵＥ）１０４は、ＨＰＣ＿ＨＤＲＢ＿Ａｃｔｉｖｉｔｙ＝ＴＲＵＥか決定３１１４しうる。ＨＰＣ＿ＨＤＲＢ＿Ａｃｔｉｖｉｔｙ＝ＴＲＵＥなら、ユーザ機器（ＵＥ）１０４は、Ｔｒａｃｋｉｎｇ＿ＨＤＲＢ＝ＴＲＵＥを設定３１２６し、Ｔｒａｃｋｉｎｇ＿ｅ９１１＝ＴＲＵＥか決定３１１６しうる。ＨＰＣ＿ＨＤＲＢ＿ＡｃｔｉｖｉｔｙがＴＲＵＥと等しくなければ、ユーザ機器（ＵＥ）１０４は、Ｔｒａｃｋｉｎｇ＿ｅ９１１＝ＴＲＵＥか決定３１１６しうる。
【０１８２】
Ｔｒａｃｋｉｎｇ＿ｅ９１１＝ＴＲＵＥなら、ユーザ機器（ＵＥ）１０４は、（ＴＲＵＥ）をリターン３１２８しうる。Ｔｒａｃｋｉｎｇ＿ｅ９１１がＴＲＵＥと等しくなければ、ユーザ機器（ＵＥ）１０４は、Ｔｒａｃｋｉｎｇ＿ＳＩＢ＝ＴＲＵＥか決定３１１８しうる。Ｔｒａｃｋｉｎｇ＿ＳＩＢ＝ＴＲＵＥなら、ユーザ機器（ＵＥ）１０４は、（ＴＲＵＥ）をリターン３１２８しうる。Ｔｒａｃｋｉｎｇ＿ＳＩＢがＴＲＵＥと等しくなければ、ユーザ機器（ＵＥ）１０４は、Ｔｒａｃｋｉｎｇ＿ＨＤＲＢ＝ＴＲＵＥか決定３１２０しうる。Ｔｒａｃｋｉｎｇ＿ＨＤＲＢ＝ＴＲＵＥなら、ユーザ機器（ＵＥ）１０４は、（ＴＲＵＥ）をリターン３１２８しうる。Ｔｒａｃｋｉｎｇ＿ＨＤＲＢがＴＲＵＥと等しくなければ、ユーザ機器（ＵＥ）１０４は、（ＦＡＬＳＥ）をリターン３１３０しうる。
【０１８３】
図３２は、高優先度通信（ＨＰＣ）アクティビティの開始および終了を検出するための方法３２００の流れ図である。ユーザ機器（ＵＥ）１０４により方法３２００が実施されうる。ＩＳＭコントローラ３２４により方法３２００が呼び出されうる。
【０１８４】
ユーザ機器（ＵＥ）１０４は、ＨＰＣ＿Ｅｖｅｎｔ＿Ｇｅｎｅｒａｔｏｒ（）を開始３２０２しうる。ユーザ機器（ＵＥ）１０４は、ＨＰＣ＿Ｓｔａｔｅ＝Ｉｎａｃｔｉｖｅか決定３２０４しうる。ＨＰＣ＿Ｓｔａｔｅ＝Ｉｎａｃｔｉｖｅなら、ユーザ機器（ＵＥ）１０４は、ＨＰＣ＿Ｄｅｔｅｃｔｉｏｎ＝ＨＰＣ＿Ａｃｔｉｖｉｔｙ＿Ｄｅｔｅｃｔｉｏｎ（）を設定３２０６しうる。ユーザ機器（ＵＥ）１０４は、ＨＰＣ＿Ｃｌｅａｒ＿ＲＲＣ＿Ｍｅｓｓａｇｅ＿Ｒｘ（）を開始３２１２しうる。ユーザ機器（ＵＥ）１０４は、ＨＰＣ＿Ｃｌｅａｒ＿ＲＲＣ＿Ｍｅｓｓａｇｅ＿Ｔｘ（）も開始３２１４しうる。それからユーザ機器（ＵＥ）１０４は、ＨＰＣ＿Ｃｌｅａｒ＿ＮＳＡ＿Ｍｅｓｓａｇｅ（）を開始３２１８しうる。次にユーザ機器（ＵＥ）１０４は、ＨＰＣ＿Ｄｅｔｅｃｔｉｏｎ＝ＴＲＵＥか決定３２２２しうる。ＨＰＣ＿Ｄｅｔｅｃｔｉｏｎ＝ＴＲＵＥなら、ユーザ機器（ＵＥ）１０４は、Ｅｖｅｎｔ＿Ａｃｔｉｖｅ＿ＨＰＣ＝ＴＲＵＥを設定３２２８し、ＨＰＣ＿Ｓｔａｔｅ＝Ａｃｔｉｖｅを設定３２３０しうる。ＨＰＣ＿ＤｅｔｅｃｔｉｏｎがＴＲＵＥと等しくなければ、方法３２００が終了しうる。
【０１８５】
ユーザ機器（ＵＥ）１０４が、ＨＰＣ＿ＳｔａｔｅがＩｎａｃｔｉｖｅと等しくないと決定３２０４すれば、ユーザ機器（ＵＥ）１０４は、ＨＰＣ＿Ｃｏｍｐｌｅｔｅ＝ＨＰＣ＿Ａｃｔｉｖｉｔｙ＿Ｃｏｍｐｌｅｔｉｏｎ（）を設定３２０８し、ＨＰＣ＿Ｃｌｅａｒ＿ＲＲＣ＿Ｍｅｓｓａｇｅ＿Ｒｘ（）を開始３２１０しうる。ユーザ機器（ＵＥ）１０４は、ＨＰＣ＿Ｃｌｅａｒ＿ＮＳＡ＿Ｍｅｓｓａｇｅ（）を開始３２１６しうる。それからユーザ機器（ＵＥ）１０４は、ＨＰＣ＿Ｃｏｍｐｌｅｔｅ＝ＴＲＵＥか決定３２２０しうる。ＨＰＣ＿Ｃｏｍｐｌｅｔｅ＝ＴＲＵＥなら、方法３２００が終了しうる。ＨＰＣ＿ＣｏｍｐｌｅｔｅがＴＲＵＥと等しくなければ、ユーザ機器（ＵＥ）１０４は、Ｅｖｅｎｔ＿Ｉｎａｃｔｉｖｅ＿ＨＰＣ＝ＴＲＵＥを設定３２２４しうる。それからユーザ機器（ＵＥ）１０４は、ＨＰＣ＿Ｓｔａｔｅ＝Ｉｎａｃｔｉｖｅを設定３２２６しうる。それから方法３２００が終了しうる。ＨＰＣ＿ＣｏｍｐｌｅｔｅがＴＲＵＥと等しくなければ、方法３２００が終了しうる。
【０１８６】
図３３は、ＩＳＭコントローラ３２４を開始するための方法３３００の流れ図である。ユーザ機器（ＵＥ）１０４により方法３３００が実施されうる。方法３３００は、ユーザ機器（ＵＥ）１０４によりアプリケーションとして呼び出されうる。
【０１８７】
本方法が開始３３０２しうる。ユーザ機器（ＵＥ）１０４は、ユーザ機器（ＵＥ）１０４のパワーオン後にＩＳＭコントローラ３２４の初回の実行があったか決定３３０４しうる。ユーザ機器（ＵＥ）１０４のパワーオン後にＩＳＭコントローラ３２４の初回の実行があったならば、ユーザ機器（ＵＥ）１０４は、Ｉｎｉｔｉａｌｉｚｅ＿ＩＳＭ＿Ｃｏｎｔｒｏｌｌｅｒ（）を開始３３２２し、方法３３００が終了しうる。
【０１８８】
ユーザ機器（ＵＥ）１０４のパワーオン後にＩＳＭコントローラ３２４の初回の実行がなかったならば３３０４、ユーザ機器（ＵＥ）１０４は、Ｕｓｅｒ＿Ｍｏｄｅ＿Ｇｅｎｅｒａｔｏｒ（）３３６を開始３３０６しうる。それからユーザ機器（ＵＥ）１０４は、Ａｌｌｏｗ＿Ｏｎｌｙ＿Ｃｏｎｎｅｃｔｅｄ＝ＴＲＵＥか決定３３０８しうる。Ａｌｌｏｗ＿Ｏｎｌｙ＿ＣｏｎｎｅｃｔｅｄがＴＲＵＥと等しくなければ、ユーザ機器（ＵＥ）１０４は、ｅＮＢ＿Ｍｏｄｅ＿Ｇｅｎｅｒａｔｏｒ（）３３８を開始３３２４しうる。それからユーザ機器（ＵＥ）１０４は、ＨＰＣ＿Ｅｖｅｎｔ＿Ｇｅｎｅｒａｔｏｒ（）３４０を開始３３２６し、ＩＳＭ＿Ｓｔａｔｅ＿Ｍａｃｈｉｎｅ（）３３１を開始３３２８しうる。それから方法３３００が終了しうる。
【０１８９】
Ａｌｌｏｗ＿Ｏｎｌｙ＿Ｃｏｎｎｅｃｔｅｄ＝ＴＲＵＥなら、ユーザ機器（ＵＥ）１０４は、ＬＴＥ＿Ｓｔａｔｅ＿Ｇｅｎｅｒａｔｏｒ（）３３２を開始３３１０しうる。それからユーザ機器（ＵＥ）１０４は、ＬＴＥ＿ＲＲＣ＿Ｃｏｎｎｅｃｔｅｄ＝ＴＲＵＥか決定３３１２しうる。ＬＴＥ＿ＲＲＣ＿Ｃｏｎｎｅｃｔｅｄ＝ＴＲＵＥなら、ユーザ機器（ＵＥ）１０４は、ｅＮＢ＿Ｍｏｄｅ＿Ｇｅｎｅｒａｔｏｒ（）３３８を開始３３２４しうる。それからユーザ機器（ＵＥ）１０４は、ＨＰＣ＿Ｅｖｅｎｔ＿Ｇｅｎｅｒａｔｏｒ（）を開始３３２６し、ＩＳＭ＿Ｓｔａｔｅ＿Ｍａｃｈｉｎｅ（）を開始３３２８しうる。それから方法３３０が終了しうる。ＬＴＥ＿ＲＲＣ＿ＣｏｎｎｅｃｔｅｄがＴＲＵＥと等しくなければ、ユーザ機器（ＵＥ）１０４は、ＩＳＭ＿Ｍｏｄｅ＿Ｄｉｓａｂｌｅｄ＿ＢＴ＝ＴＲＵＥか決定３３１４しうる。ＩＳＭ＿Ｍｏｄｅ＿Ｄｉｓａｂｌｅｄ＿ＢＴ＝ＴＲＵＥなら、ユーザ機器（ＵＥ）１０４は、イベントＩＳＭ＿Ｅｖｅｎｔ＿Ｉｎａｃｔｉｖｅ＿ＨＰＣ＝ＴＲＵＥを設定３３１８しうる。それからユーザ機器（ＵＥ）１０４は、ＩＳＭ＿Ｓｔａｔｅ＿Ｍａｃｈｉｎｅ（）３３１を開始３３２０し、Ｉｎｉｔｉａｌｉｚｅ＿ＩＳＭ＿Ｃｏｎｔｒｏｌｌｅｒ（）を開始３３２２しうる。
【０１９０】
ＩＳＭ＿Ｍｏｄｅ＿Ｄｉｓａｂｌｅｄ＿ＢＴがＴＲＵＥと等しくなければ、ユーザ機器（ＵＥ）１０４は、ＩＳＭ＿Ｍｏｄｅ＿Ｄｉｓａｂｌｅｄ＿Ｗｉ‐Ｆｉ＝ＴＲＵＥか決定３３１６しうる。ＩＳＭ＿Ｍｏｄｅ＿Ｄｉｓａｂｌｅｄ＿Ｗｉ‐Ｆｉ＝ＴＲＵＥなら、ユーザ機器（ＵＥ）１０４は、イベントＩＳＭ＿Ｅｖｅｎｔ＿Ｉｎａｃｔｉｖｅ＿ＨＰＣ＝ＴＲＵＥを設定３３１８しうる。ＩＳＭ＿Ｍｏｄｅ＿Ｄｉｓａｂｌｅｄ＿Ｗｉ‐ＦｉがＴＲＵＥと等しくなければ、方法３３００は終了しうる。
【０１９１】
図３４は、ＩＳＭ＿Ｓｔａｔｅ＿Ｍａｃｈｉｎｅ３３１を実行するための方法３４００の流れ図である。ユーザ機器（ＵＥ）１０４により方法３４００が実施されうる。ＩＳＭコントローラ３２４により方法３４００が呼び出されうる。方法３３００が開始３４０２しうる。ユーザ機器（ＵＥ）１０４は、ＰＡＲＴ＃２を開始３４０４しうる。それからユーザ機器（ＵＥ）１０４は、ＰＡＲＴ＃３を開始３４０６しうる。そして方法３４００が終了しうる。
【０１９２】
図３５は、Ｗｉ‐Ｆｉの無効化をユーザおよびｅＮＢ１０２に報知するための方法３５００の流れ図である。ユーザ機器（ＵＥ）１０４により方法３５００が実施されうる。ＩＳＭ＿Ｓｔａｔｅ＿Ｍａｃｈｉｎｅ（）３３１  Ｐａｒｔ＃２により方法３５００が呼び出されうる。
【０１９３】
方法３５００が開始３５０２しうる。ユーザ機器（ＵＥ）１０４は、Ｓｉｇ＿Ｕｓｅｒ＿Ｗｉ‐Ｆｉ＿Ｄｉｓａｂｌｅｄ＝ＴＲＵＥか決定３５０４しうる。Ｓｉｇ＿Ｕｓｅｒ＿Ｗｉ‐Ｆｉ＿Ｄｉｓａｂｌｅｄ＝ＴＲＵＥなら、ユーザ機器（ＵＥ）１０４は、Ｗｉ‐Ｆｉが無効化されていることをユーザにシグナリング３５０６しうる。それからユーザ機器（ＵＥ）１０４は、Ｓｉｇ＿ｅＮＢ＿Ｗｉ‐Ｆｉ＿Ｄｉｓａｂｌｅｄ＝ＴＲＵＥか決定３５０８しうる。Ｓｉｇ＿ｅＮＢ＿Ｗｉ‐Ｆｉ＿Ｄｉｓａｂｌｅｄ＝ＴＲＵＥなら、ユーザ機器（ＵＥ）１０４は、Ｗｉ‐Ｆｉが無効化されていることをｅＮＢ１０２にシグナリング３５１０しうる。それから方法３５００が終了しうる。Ｓｉｇ＿ｅＮＢ＿Ｗｉ‐Ｆｉ＿ＤｉｓａｂｌｅｄがＴＲＵＥと等しくなければ、方法３５００が終了しうる。Ｓｉｇ＿Ｕｓｅｒ＿Ｗｉ‐Ｆｉ＿Ｄｉｓａｂｌｅｄがｔｒｕｅと等しくなければ、ユーザ機器（ＵＥ）１０４は、Ｓｉｇ＿ｅＮＢ＿Ｗｉ‐Ｆｉ＿Ｄｉｓａｂｌｅｄ＝ＴＲＵＥか決定３５０８しうる。
【０１９４】
図３６は、Ｂｌｕｅｔｏｏｔｈの無効化をユーザおよびｅＮＢ１０２に報知するための方法３６００の流れ図である。ユーザ機器（ＵＥ）１０４により方法３６００が実施されうる。ＩＳＭ＿Ｓｔａｔｅ＿Ｍａｃｈｉｎｅ（）３３１  Ｐａｒｔ＃２により方法３６００が呼び出されうる。
【０１９５】
方法３６００が開始３６０２しうる。ユーザ機器（ＵＥ）１０４は、Ｓｉｇ＿Ｕｓｅｒ＿ＢＴ＿Ｄｉｓａｂｌｅｄ＝ＴＲＵＥか決定３６０４しうる。Ｓｉｇ＿Ｕｓｅｒ＿ＢＴ＿Ｄｉｓａｂｌｅｄ＝ＴＲＵＥなら、ユーザ機器（ＵＥ）１０４は、Ｂｌｕｅｔｏｏｔｈが無効化されていることをユーザにシグナリング３６０６しうる。それからユーザ機器（ＵＥ）１０４は、Ｓｉｇ＿ｅＮＢ＿ＢＴ＿Ｄｉｓａｂｌｅｄ＝ＴＲＵＥか決定３６０８しうる。Ｓｉｇ＿ｅＮＢ＿ＢＴ＿Ｄｉｓａｂｌｅｄ＝ＴＲＵＥなら、ユーザ機器（ＵＥ）１０４は、Ｂｌｕｅｔｏｏｔｈが無効化されていることをｅＮＢ１０２にシグナリング３６１０しうる。それから方法３６００が終了しうる。Ｓｉｇ＿ｅＮＢ＿ＢＴ＿ＤｉｓａｂｌｅｄがＴＲＵＥと等しくなければ３６０８、方法３６００が終了しうる。Ｓｉｇ＿Ｕｓｅｒ＿ＢＴ＿ＤｉｓａｂｌｅｄがＴＲＵＥと等しくなければ、ユーザ機器（ＵＥ）１０４は、Ｓｉｇ＿ｅＮＢ＿ＢＴ＿Ｄｉｓａｂｌｅｄ＝ＴＲＵＥか決定３６０８しうる。
【０１９６】
図３７は、高優先度通信（ＨＰＣ）アクティビティが検出されていることを指示するイベントを処理するための方法３７００の流れ図である。ユーザ機器（ＵＥ）１０４により方法３７００が実施されうる。方法３７００は、ＩＳＭ＿Ｓｔａｔｅ＿Ｍａｃｈｉｎｅ３３１により実施され、ＩＳＭコントローラ３２４により呼び出されうる。
【０１９７】
ＰＡＲＴ＃１が開始３７０２されうる。ユーザ機器（ＵＥ）１０４は、Ｅｖｅｎｔ＿Ａｃｔｉｖｅ＿ＨＰＣ＝＝ＴＲＵＥか決定３７０４しうる。Ｅｖｅｎｔ＿Ａｃｔｉｖｅ＿ＨＰＣがＴＲＵＥと等しくなければ、方法３７００が終了しうる。Ｅｖｅｎｔ＿Ａｃｔｉｖｅ＿ＨＰＣ＝＝ＴＲＵＥなら、ユーザ機器（ＵＥ）１０４は、Ｅｖｅｎｔ＿Ａｃｔｉｖｅ＿ＨＰＣ＝ＦＡＬＳＥを設定３７０６しうる。それからユーザ機器（ＵＥ）１０４は、Ｏｖｅｒｒｉｄｅ＿Ｕｓｅｒ＿Ｒｅｑｕｅｓｔ＝＝ＴＲＵＥか決定３７０８しうる。Ｏｖｅｒｒｉｄｅ＿Ｕｓｅｒ＿ＲｅｑｕｅｓｔがＴＲＵＥと等しくなければ、ユーザ機器（ＵＥ）１０４は、Ｒｅｑｕｅｓｔ＿Ｄｉｓａｂｌｉｎｇ＿ＢＴ＝＝ＴＲＵＥか決定３７１０しうる。Ｒｅｑｕｅｓｔ＿Ｄｉｓａｂｌｉｎｇ＿ＢＴがＴＲＵＥと等しくなければ、ユーザ機器（ＵＥ）１０４は、Ｏｖｅｒｒｉｄｅ＿Ｕｓｅｒ＿Ｒｅｑｕｅｓｔ＝＝ＴＲＵＥか決定３７２４しうる。Ｒｅｑｕｅｓｔ＿Ｄｉｓａｂｌｉｎｇ＿ＢＴ＝＝ＴＲＵＥなら、ユーザ機器（ＵＥ）１０４は、Ａｌｌｏｗ＿Ｄｉｓａｂｌｉｎｇ＿ＢＴ＝＝ＴＲＵＥか決定３７１２しうる。Ｏｖｅｒｒｉｄｅ＿Ｕｓｅｒ＿Ｒｅｑｕｅｓｔ＝＝ＴＲＵＥなら、ユーザ機器（ＵＥ）１０４は、Ａｌｌｏｗ＿Ｄｉｓａｂｌｉｎｇ＿ＢＴ＝＝ＴＲＵＥか決定３７１２しうる。
【０１９８】
Ａｌｌｏｗ＿Ｄｉｓａｂｌｉｎｇ＿ＢＴがＴＲＵＥと等しくなければ、ユーザ機器（ＵＥ）１０４は、Ｏｖｅｒｒｉｄｅ＿Ｕｓｅｒ＿Ｒｅｑｕｅｓｔ＝＝ＴＲＵＥか決定３７２４しうる。Ｏｖｅｒｒｉｄｅ＿Ｕｓｅｒ＿ＲｅｑｕｅｓｔがＴＲＵＥと等しくなければ３７２４、ユーザ機器（ＵＥ）１０４は、Ｒｅｑｕｅｓｔ＿Ｄｉｓａｂｌｉｎｇ＿Ｗｉ‐Ｆｉ＝＝ＴＲＵＥか決定３７２６しうる。Ｒｅｑｕｅｓｔ＿Ｄｉｓａｂｌｉｎｇ＿Ｗｉ‐ＦｉがＴＲＵＥと等しくなければ、方法３７００が終了しうる。Ｒｅｑｕｅｓｔ＿Ｄｉｓａｂｌｉｎｇ＿Ｗｉ‐Ｆｉ＝＝ＴＲＵＥなら３７２６、ユーザ機器（ＵＥ）１０４は、Ａｌｌｏｗ＿Ｄｉｓａｂｌｉｎｇ＿Ｗｉ‐Ｆｉ＝＝ＴＲＵＥか決定３７２８しうる。Ｏｖｅｒｒｉｄｅ＿Ｕｓｅｒ＿Ｒｅｑｕｅｓｔ＝＝ＴＲＵＥなら、ユーザ機器（ＵＥ）１０４は、Ａｌｌｏｗ＿ｄｉｓａｂｌｉｎｇ＿Ｗｉ‐Ｆｉ＝＝ＴＲＵＥか決定３７２８しうる。
【０１９９】
Ａｌｌｏｗ＿Ｄｉｓａｂｌｉｎｇ＿Ｗｉ‐ＦｉがＴＲＵＥと等しくなければ、方法３７００は終了しうる。Ａｌｌｏｗ＿Ｄｉｓａｂｌｉｎｇ＿Ｗｉ‐Ｆｉ＝＝ＴＲＵＥなら、ユーザ機器（ＵＥ）１０４は、Ｗｉ‐Ｆｉトランシーバ１０８コントローラへの論理リンクが存在するか決定３７３０しうる。Ｗｉ‐Ｆｉトランシーバ１０８コントローラへの論理リンクが存在すれば、ユーザ機器（ＵＥ）１０４は、Ｗｉ‐Ｆｉ＿Ｔｒａｎｓｃｅｉｖｅｒ＿Ｄｉｓａｂｌｅ（）を開始３７３２しうる。それからユーザ機器（ＵＥ）１０４は、ＩＳＭ＿Ｍｏｄｅ＿Ｄｉｓａｂｌｅｄ＿Ｗｉ‐Ｆｉ＝ＴＲＵＥを設定３７３６し、Ｐａｒｔ＃２．１を実行３７３８しうる。Ｗｉ‐Ｆｉトランシーバ１０８コントローラへの論理リンクが存在しなければ、ユーザ機器（ＵＥ）１０４は、Ｗｉ‐Ｆｉ＿Ｐｏｗｅｒ＿Ａｍｐｌｉｆｉｅｒ＿Ｄｉｓａｂｌｅ（）を開始３７３４し、ＩＳＭ＿Ｍｏｄｅ＿Ｄｉｓａｂｌｅｄ＿Ｗｉ‐Ｆｉ＝ＴＲＵＥを設定３７３６しうる。
【０２００】
Ａｌｌｏｗ＿Ｄｉｓａｂｌｉｎｇ＿ＢＴがＴＲＵＥと等しければ、ユーザ機器（ＵＥ）１０４は、Ｂｌｕｅｔｏｏｔｈトランシーバ１１０コントローラへの論理リンクが存在するか決定３７１４しうる。Ｂｌｕｅｔｏｏｔｈトランシーバ１１０コントローラへの論理リンクが存在すれば、ユーザ機器（ＵＥ）１０４は、ＢＴ＿Ｔｒａｎｓｃｅｉｖｅｒ＿Ｄｉｓａｂｌｅ（）を開始３７１６しうる。ユーザ機器（ＵＥ）１０４は、ＩＳＭ＿Ｍｏｄｅ＿Ｄｉｓａｂｌｅｄ＿ＢＴ＝ＴＲＵＥを設定３７２０しうる。それからユーザ機器（ＵＥ）１０４は、ＰＡＲＴ＃２．２を実行３７２２し、Ｏｖｅｒｒｉｄｅ＿Ｕｓｅｒ＿Ｒｅｑｕｅｓｔ＝＝ＴＲＵＥか決定３７２４しうる。Ｂｌｕｅｔｏｏｔｈトランシーバ１１０コントローラへの論理リンクが存在しなければ、ユーザ機器（ＵＥ）１０４は、ＢＴ＿Ｐｏｗｅｒ＿Ａｍｐｌｉｆｉｅｒ＿Ｄｉｓａｂｌｅ（）を開始３７１８しうる。それからユーザ機器（ＵＥ）１０４は、ＩＳＭ＿Ｍｏｄｅ＿Ｄｉｓａｂｌｅｄ＿ＢＴ＝ＴＲＵＥを設定３７２０しうる。
【０２０１】
図３８は、以前に無効化されたＷｉ‐Ｆｉの有効化をユーザおよびｅＮＢ１０２に報知するための方法３８００の流れ図である。ユーザ機器（ＵＥ）１０４により方法３８００が実施されうる。方法３８００は、ＩＳＭ＿Ｓｔａｔｅ＿Ｍａｃｈｉｎｅ３３１のＰａｒｔ＃３．１であり、ＩＳＭコントローラ３２４により呼び出されうる。
【０２０２】
方法３８００が開始３８０２しうる。ユーザ機器（ＵＥ）１０４は、Ｓｉｇ＿Ｕｓｅｒ＿Ｗｉ‐Ｆｉ＿Ｄｉｓａｂｌｅｄ＝＝ＴＲＵＥか決定３６０４しうる。Ｓｉｇ＿Ｕｓｅｒ＿Ｗｉ‐Ｆｉ＿Ｄｉｓａｂｌｅｄ＝＝ＴＲＵＥなら、ユーザ機器（ＵＥ）１０４は、Ｗｉ‐Ｆｉが有効化されていることをユーザにシグナリング３８０６しうる。それからユーザ機器（ＵＥ）１０４は、Ｓｉｇ＿ｅＮＢ＿Ｗｉ‐Ｆｉ＿Ｄｉｓａｂｌｅｄ＝＝ＴＲＵＥか決定３８０８しうる。Ｓｉｇ＿ｅＮＢ＿Ｗｉ‐Ｆｉ＿Ｄｉｓａｂｌｅｄ＝＝ＴＲＵＥなら、ユーザ機器（ＵＥ）１０４は、Ｗｉ‐Ｆｉが有効化されていることをｅＮＢ１０２にシグナリング３８１０しうる。それから方法３８００が終了しうる。Ｓｉｇ＿ｅＮＢ＿Ｗｉ‐Ｆｉ＿ＤｉｓａｂｌｅｄがＴＲＵＥと等しくなければ、方法３８００が終了しうる。Ｓｉｇ＿Ｕｓｅｒ＿Ｗｉ‐Ｆｉ＿ＤｉｓａｂｌｅｄがＴＲＵＥと等しくなければ、ユーザ機器（ＵＥ）１０４は、Ｓｉｇ＿ｅＮＢ＿Ｗｉ‐Ｆｉ＿Ｄｉｓａｂｌｅｄ＝＝ＴＲＵＥか決定３８０８しうる。
【０２０３】
図３９は、以前に無効化されたＢｌｕｅｔｏｏｔｈの有効化をユーザおよびｅＮＢ１０２に報知するための方法３９００の流れ図である。ユーザ機器（ＵＥ）１０４により方法３９００が実施されうる。方法３９００は、ＩＳＭ＿Ｓｔａｔｅ＿Ｍａｃｈｉｎｅ３３１のＰａｒｔ＃３．２であり、ＩＳＭコントローラ３２４により呼び出されうる。
【０２０４】
方法３９００が開始３９０２しうる。ユーザ機器（ＵＥ）１０４は、Ｓｉｇ＿Ｕｓｅｒ＿ＢＴ＿Ｄｉｓａｂｌｅｄ＝＝ＴＲＵＥか決定３９０４しうる。Ｓｉｇ＿Ｕｓｅｒ＿ＢＴ＿Ｄｉｓａｂｌｅｄ＝＝ＴＲＵＥなら、ユーザ機器（ＵＥ）１０４は、Ｂｌｕｅｔｏｏｔｈが有効化されていることをユーザにシグナリング３９０６しうる。それからユーザ機器（ＵＥ）１０４は、Ｓｉｇ＿ｅＮＢ＿ＢＴ＿Ｄｉｓａｂｌｅｄ＝＝ＴＲＵＥか決定３９０８しうる。Ｓｉｇ＿ｅＮＢ＿ＢＴ＿Ｄｉｓａｂｌｅｄ＝＝ＴＲＵＥなら、ユーザ機器（ＵＥ）１０４は、Ｂｌｕｅｔｏｏｔｈが有効化されていることをｅＮＢ１０２にシグナリング３９１０しうる。それから方法３９００が終了しうる。Ｓｉｇ＿ｅＮＢ＿Ｗｉ‐Ｆｉ＿ＤｉｓａｂｌｅｄがＴＲＵＥと等しくなければ３９０８、方法３９００が終了しうる。Ｓｉｇ＿Ｕｓｅｒ＿ＢＴ＿ＤｉｓａｂｌｅｄがＴＲＵＥと等しくなければ３９０４、ユーザ機器（ＵＥ）１０４は、Ｓｉｇ＿ｅＮＢ＿ＢＴ＿Ｄｉｓａｂｌｅｄ＝＝ＴＲＵＥか決定３９０８しうる。
【０２０５】
図４０は、高優先度通信（ＨＰＣ）アクティビティの間に変化した可能性のある不揮発性（ＮＶ）メモリに記憶された値を用いて動作パラメータおよび動作モードの作業コピーを更新するための方法４０００の流れ図である。ユーザ機器（ＵＥ）１０４により方法４０００が実施されうる。方法４０００は、ＩＳＭ＿Ｓｔａｔｅ＿Ｍａｃｈｉｎｅ３３１のｐａｒｔ＃３．３であり、ＩＳＭコントローラ３２４により呼び出されうる。
【０２０６】
方法４０００が開始４００２しうる。ユーザ機器（ＵＥ）１０４は、Ｒｅｑｕｅｓｔ＿Ｄｉｓａｂｌｉｎｇ＿ＢＴ＝Ｒｅｑｕｅｓｔ＿Ｄｉｓａｂｌｉｎｇ＿ＢＴの不揮発性（ＮＶ）コピーを設定４００４しうる。ユーザ機器（ＵＥ）１０４は、Ｒｅｑｕｅｓｔ＿Ｄｉｓａｂｌｉｎｇ＿Ｗｉ‐Ｆｉ＝Ｒｅｑｕｅｓｔ＿Ｄｉｓａｂｌｉｎｇ＿Ｗｉ‐Ｆｉの不揮発性（ＮＶ）コピーも設定４００６しうる。ユーザ機器（ＵＥ）１０４は、Ｏｖｅｒｒｉｄｅ＿Ｕｓｅｒ＿Ｒｅｑｕｅｓｔ＝Ｏｖｅｒｒｉｄｅ＿Ｕｓｅｒ＿Ｒｅｑｕｅｓｔの不揮発性（ＮＶ）コピーを設定４００８しうる。ユーザ機器（ＵＥ）１０４は、Ａｌｌｏｗ＿Ｄｉｓａｂｌｉｎｇ＿ＢＴ＝Ａｌｌｏｗ＿Ｄｉｓａｂｌｉｎｇ＿ＢＴの不揮発性（ＮＶ）コピーを設定４０１０しうる。ユーザ機器（ＵＥ）１０４は、Ａｌｌｏｗ＿Ｄｉｓａｂｌｉｎｇ＿Ｗｉ‐Ｆｉ＝Ａｌｌｏｗ＿Ｄｉｓａｂｌｉｎｇ＿Ｗｉ‐Ｆｉの不揮発性（ＮＶ）コピーを設定４０１２しうる。ユーザ機器（ＵＥ）１０４は、Ｓｉｇ＿ｅＮＢ＿Ｗｉ‐Ｆｉ＿Ｄｉｓａｂｌｅｄ＝Ｓｉｇ＿ｅＮＢ＿Ｗｉ‐Ｆｉ＿Ｄｉｓａｂｌｅｄの不揮発性（ＮＶ）コピーを設定４０１４しうる。ユーザ機器（ＵＥ）１０４は、Ｓｉｇ＿Ｕｓｅｒ＿Ｗｉ‐Ｆｉ＿Ｄｉｓａｂｌｅｄ＝Ｓｉｇ＿Ｕｓｅｒ＿Ｗｉ‐Ｆｉ＿Ｄｉｓａｂｌｅｄの不揮発性（ＮＶ）コピーをさらに設定４０１６しうる。ユーザ機器（ＵＥ）１０４は、Ｓｉｇ＿Ｕｓｅｒ＿ＢＴ＿Ｄｉｓａｂｌｅｄ＝Ｓｉｇ＿Ｕｓｅｒ＿ＢＴ＿Ｄｉｓａｂｌｅｄの不揮発性（ＮＶ）コピーも設定４０１８しうる。ユーザ機器（ＵＥ）１０４は、Ｓｉｇ＿Ｕｓｅｒ＿ＢＴ＿Ｄｉｓａｂｌｅｄ＝Ｓｉｇ＿Ｕｓｅｒ＿ＢＴ＿Ｄｉｓａｂｌｅｄの不揮発性（ＮＶ）コピーを設定４０２０しうる。ユーザ機器（ＵＥ）１０４は、Ａｌｌｏｗ＿Ｏｎｌｙ＿Ｃｏｎｎｅｃｔｅｄ＝Ａｌｌｏｗ＿Ｏｎｌｙ＿Ｃｏｎｎｅｃｔｅｄの不揮発性（ＮＶ）コピーをさらに設定４０２２しうる。それから方法４０００が終了しうる。
【０２０７】
図４１は、全てのアクティブな高優先度通信（ＨＰＣ）が終了していることを指示するイベントを処理するための方法４１００の流れ図である。ユーザ機器（ＵＥ）１０４により方法４１００が実施されうる。方法４１００は、ＩＳＭ＿Ｓｔａｔｅ＿Ｍａｃｈｉｎｅ３３１の一部であり、ＩＳＭコントローラ３２４により呼び出されうる。
【０２０８】
ＰＡＲＴ＃１が実行４１０２されうる。ユーザ機器（ＵＥ）１０４は、ＩＳＭ＿Ｅｖｅｎｔ＿Ｉｎａｃｔｉｖｅ＿ＨＰＣ＝＝ＴＲＵＥか決定４１０４しうる。ＩＳＭ＿Ｅｖｅｎｔ＿Ｉｎａｃｔｉｖｅ＿ＨＰＣがＴＲＵＥと等しくなければ、方法４１００は終了する。ＩＳＭ＿Ｅｖｅｎｔ＿Ｉｎａｃｔｉｖｅ＿ＨＰＣ＝＝ＴＲＵＥなら、ユーザ機器（ＵＥ）１０４は、Ｅｖｅｎｔ＿Ｉｎａｃｔｉｖｅ＿ＨＰＣ＝ＦＡＬＳＥを設定４１０６しうる。それからユーザ機器（ＵＥ）１０４は、ＩＳＭ＿Ｍｏｄｅ＿Ｄｉｓａｂｌｅｄ＿ＢＴ＝＝ＴＲＵＥか決定４１０８しうる。ＩＳＭ＿Ｍｏｄｅ＿Ｄｉｓａｂｌｅｄ＿ＢＴ＝＝ＴＲＵＥなら、ユーザ機器（ＵＥ）１０４は、Ｂｌｕｅｔｏｏｔｈトランシーバ１１０コントローラへの論理リンクが存在するか決定４１１０しうる。Ｂｌｕｅｔｏｏｔｈトランシーバ１１０コントローラへの論理リンクが存在すれば、ユーザ機器（ＵＥ）１０４は、ＢＴ＿Ｔｒａｎｓｃｅｉｖｅｒ＿Ｅｎａｂｌｅ（）を開始４１１２し、ＩＳＭ＿Ｍｏｄｅ＿Ｄｉｓａｂｌｅｄ＿ＢＴ＝ＦＡＬＳＥを設定４１１６しうる。Ｂｌｕｅｔｏｏｔｈトランシーバ１１０コントローラへの論理リンクが存在しなければ、ユーザ機器（ＵＥ）１０４は、ＢＴ＿Ｐｏｗｅｒ＿Ａｍｐｌｉｆｉｅｒ＿Ｅｎａｂｌｅ（）を開始４１１４しうる。それからユーザ機器（ＵＥ）１０４は、ＩＳＭ＿Ｍｏｄｅ＿Ｄｉｓａｂｌｅｄ＿ＢＴ＝ＦＡＬＳＥを開始４１１６しうる。それからユーザ機器（ＵＥ）１０４は、ＰＡＲＴ＃３．２を実行４１１８しうる。次にユーザ機器（ＵＥ）１０４は、ＩＳＭ＿Ｍｏｄｅ＿Ｄｉｓａｂｌｅｄ＿Ｗｉ‐Ｆｉ＝＝ＴＲＵＥか決定４１２０しうる。
【０２０９】
ＩＳＭ＿Ｍｏｄｅ＿Ｄｉｓａｂｌｅｄ＿ＢＴがＴＲＵＥと等しくなければ４１０８、ユーザ機器（ＵＥ）１０４は、ＩＳＭ＿Ｍｏｄｅ＿Ｄｉｓａｂｌｅｄ＿Ｗ‐Ｆｉ＝＝ＴＲＵＥか決定４１２０しうる。ＩＳＭ＿Ｍｏｄｅ＿Ｄｉｓａｂｌｅｄ＿Ｗ‐ＦｉがＴＲＵＥと等しくなければ、Ｐａｒｔ＃３．３が実行４１３２されうる。ＩＳＭ＿Ｍｏｄｅ＿Ｄｉｓａｂｌｅｄ＿Ｗ‐Ｆｉ＝＝ＴＲＵＥなら、ユーザ機器（ＵＥ）１０４は、Ｗｉ‐Ｆｉトランシーバ１０８コントローラへの論理リンクが存在するか決定４１２２しうる。Ｗｉ‐Ｆｉトランシーバ１０８コントローラへの論理リンクが存在しなければ、ユーザ機器（ＵＥ）１０４は、Ｗｉ‐Ｆｉ＿Ｐｏｗｅｒ＿Ａｍｐｌｉｆｉｅｒ＿Ｅｎａｂｌｅ（）を開始４１２６し、ＩＳＭ＿Ｍｏｄｅ＿Ｄｉｓａｂｌｅｄ＿Ｗｉ‐Ｆｉ＝ＦＡＬＳＥを設定４１２８しうる。Ｗｉ‐Ｆｉトランシーバ１０８コントローラへの論理リンクが存在すれば、ユーザ機器（ＵＥ）１０４は、Ｗｉ‐Ｆｉ＿Ｔｒａｎｓｃｅｖｉｅｒ＿Ｅｎａｂｌｅ（）を開始４１２４し、ＩＳＭ＿Ｍｏｄｅ＿Ｄｉｓａｂｌｅｄ＿Ｗｉ‐Ｆｉ＝ＦＡＬＳＥを設定しうる。それからユーザ機器（ＵＥ）１０４は、ＰＡＲＴ＃３．１を実行４１３０し、ＰＡＲＴ＃３．３を実行４１３２しうる。それから方法４１００が終了しうる。
【０２１０】
図４２は、ＬＴＥ＿Ｓｔａｔｅ＿Ｇｅｎｅｒａｔｏｒ３３２の状態を調整するための方法４２００の流れ図である。ユーザ機器（ＵＥ）１０４により本方法が実施されうる。本方法は、ＬＴＥ＿Ｓｔａｔｅ＿Ｇｅｎｅｒａｔｏｒ３３２の一部であり、ＩＳＭコントローラ３２４により呼び出されうる。
【０２１１】
ユーザ機器（ＵＥ）１０４が、ＬＴＥ＿Ｓｔａｔｅ＿Ｇｅｎｅｒａｔｏｒ（）３３２を開始４２０２しうる。ユーザ機器（ＵＥ）１０４は、ＬＴＥ＿ＲＲＣ＿Ｃｏｎｎｅｃｔｅｄ＝＝ＴＲＵＥか決定４２０４しうる。ＬＴＥ＿ＲＲＣ＿Ｃｏｎｎｅｃｔｅｄ＝＝ＴＲＵＥなら、ユーザ機器（ＵＥ）１０４は、Ｒｘ＿Ｍｅｓｓａｇｅ＝ＬＴＥ＿Ｇｅｔ＿ＲＲＣ＿Ｍｅｓｓａｇｅ＿Ｒｘ（ＲＲＣＣｏｎｎｅｃｔｉｏｎＲｅｌｅａｓｅ）を設定４２２６しうる。それからユーザ機器（ＵＥ）１０４は、Ｒｘ＿Ｍｅｓｓａｇｅ＝＝ＮＵＬＬか決定４２２８しうる。Ｒｘ＿Ｍｅｓｓａｇｅ＝＝ＮＵＬＬなら、方法４２００が終了しうる。ＭｅｓｓａｇｅがＮＵＬＬと等しくなければ、ユーザ機器（ＵＥ）１０４は、ＬＴＥ＿ＲＲＣ＿Ｃｏｎｎｅｃｔｅｄ＝ＦＡＬＳＥを設定４２３０し、方法４２００が終了しうる。
【０２１２】
ＬＴＥ＿ＲＲＣ＿ＣｏｎｎｅｃｔｅｄがＴＲＵＥと等しくなければ、ユーザ機器（ＵＥ）１０４は、Ｒｘ＿Ｍｅｓｓａｇｅ＝ＬＴＥ＿Ｇｅｔ＿ＲＲＣ＿Ｍｅｓｓａｇｅ＿Ｒｘ（ＲＲＣＣｏｎｎｅｃｔｉｏｎＲｅｃｏｎｆｉｇｕｒａｔｉｏｎ）を設定４２０６しうる。それからユーザ機器（ＵＥ）１０４は、Ｒｘ＿Ｍｅｓｓａｇｅ＝＝ＮＵＬＬか決定４２０８しうる。Ｒｘ＿Ｍｅｓｓａｇｅ＝＝ＮＵＬＬなら、方法４２００が終了しうる。Ｒｘ＿ＭｅｓｓａｇｅがＮＵＬＬと等しくなければ、ユーザ機器（ＵＥ）１０４は、Ｔｘ＿Ｍｅｓｓａｇｅ＝ＬＴＥ＿Ｇｅｔ＿ＲＲＣ＿Ｍｅｓｓａｇｅ＿Ｔｘ（ＲＲＣＣｏｎｎｅｃｔｉｏｎＲｅｃｏｎｆｉｇｕｒａｔｉｏｎＣｏｍｐｌｅｔｅ）を設定４２１０しうる。ユーザ機器（ＵＥ）１０４は、Ｔｘ＿Ｍｅｓｓａｇｅ＝＝ＮＵＬＬか決定４２１２しうる。Ｔｘ＿Ｍｅｓｓａｇｅ＝＝ＮＵＬＬなら、方法４２００が終了しうる。
【０２１３】
Ｔｘ＿ＭｅｓｓａｇｅがＮＵＬＬと等しくなければ、ユーザ機器（ＵＥ）１０４は、Ｒｘ＿ＩＤ＝Ｒｘ＿Ｍｅｓｓａｇｅ．ＲＲＣ‐ＴｒａｎｓａｃｔｉｏｎＩｄｅｎｔｉｆｉｅｒを設定４２１４しうる。ユーザ機器（ＵＥ）１０４は、Ｔｘ＿ＩＤ＝Ｔｘ＿Ｍｅｓｓａｇｅ．ＲＲＣ‐ＴｒａｎｓａｃｔｉｏｎＩｄｅｎｔｉｆｉｅｒを設定４２１６しうる。ユーザ機器（ＵＥ）１０４は、Ｔｘ＿ＩＤ＝＝ＲＸ＿ＩＤか決定４２１８しうる。Ｔｘ＿ＩＤがＲＸ＿ＩＤと等しくなければ、方法４２００が終了しうる。Ｔｘ＿ＩＤ＝＝ＲＸ＿ＩＤなら、ユーザ機器（ＵＥ）１０４は、ＬＴＥ＿ＲＲＣ＿Ｃｏｎｎｅｃｔｅｄ＝ＴＲＵＥを設定４２２０しうる。ユーザ機器（ＵＥ）１０４はまた、ＨＰＣ＿Ｃｌｅａｒ＿ＲＲＣ＿Ｍｅｓｓａｇｅ＿Ｔｘ（）を開始４２２２しうる。ユーザ機器（ＵＥ）１０４はＨＰＣ＿Ｃｌｅａｒ＿ＲＲＣ＿Ｍｅｓｓａｇｅ＿Ｒｘ（）をさらに開始４２２４しうる。それから方法４２００が終了しうる。
【０２１４】
図４３は、ユーザからコマンドを受信するための方法４３００の流れ図である。ユーザ機器（ＵＥ）１０４により方法４３００が実施されうる。方法４３００は、Ｕｓｅｒ＿Ｍｏｄｅ＿Ｇｅｎｅｒａｔｏｒ３３６の一部であり、ＩＳＭコントローラ３２４により呼び出されうる。
【０２１５】
ユーザ機器（ＵＥ）１０４が、Ｕｓｅｒ＿Ｍｏｄｅ＿Ｇｅｎｅｒａｔｏｒ（）３３６を開始４３０２しうる。ユーザ機器（ＵＥ）１０４は、Ｕｓｅｒ＿Ｍｏｄｅ＝Ｕｓｅｒ＿Ｇｅｔ＿Ｃｏｍｍａｎｄ＿Ｍｏｄｅ（）を設定４３０４しうる。ユーザ機器（ＵＥ）１０４は、Ｕｓｅｒ＿Ｍｏｄｅ＝＝ＮＵＬＬか決定４３０６しうる。Ｕｓｅｒ＿Ｍｏｄｅ＝＝ＮＵＬＬなら、方法４３００が終了する。Ｕｓｅｒ＿ＭｏｄｅがＮＵＬＬと等しくなければ、ユーザ機器（ＵＥ）１０４は、ＩＳＭ＿Ｍｏｄｅ＿Ｄｉｓａｂｌｅｄ＿ＢＴ＝＝ＴＲＵＥか決定４３０８しうる。ＩＳＭ＿Ｍｏｄｅ＿Ｄｉｓａｂｌｅｄ＿ＢＴがＴＲＵＥと等しくなければ、ユーザ機器（ＵＥ）１０４は、ＩＳＭ＿Ｍｏｄｅ＿Ｄｉｓａｂｌｅｄ＿Ｗｉ‐Ｆｉ＝＝ＴＲＵＥか決定４３１０しうる。ＩＳＭ＿Ｍｏｄｅ＿Ｄｉｓａｂｌｅｄ＿Ｗｉ‐ＦｉがＴＲＵＥと等しくなければ、ユーザ機器（ＵＥ）１０４は、Ｐａｒｔ＃２．２を実行４３１４し、Ｕｓｅｒ＿Ｍｏｄｅ＝Ｕｓｅｒ＿Ｇｅｔ＿Ｃｏｍｍａｎｄ＿Ｍｏｄｅ（）を設定４３０４しうる。ＩＳＭ＿Ｍｏｄｅ＿Ｄｉｓａｂｌｅｄ＿Ｗｉ‐Ｆｉ＝＝ＴＲＵＥなら４３１０、ユーザ機器（ＵＥ）１０４は、Ｐａｒｔ＃２．１を実行４３１２し、Ｕｓｅｒ＿Ｍｏｄｅ＝Ｕｓｅｒ＿Ｇｅｔ＿Ｃｏｍｍａｎｄ＿Ｍｏｄｅ（）を設定４３０４し、前述のように継続しうる。ＩＳＭ＿Ｍｏｄｅ＿Ｄｉｓａｂｌｅｄ＿ＢＴ＝＝ＴＲＵＥなら４３０８、ユーザ機器（ＵＥ）１０４は、Ｐａｒｔ＃２．１を実行４３１２し、Ｕｓｅｒ＿Ｍｏｄｅ＝Ｕｓｅｒ＿Ｇｅｔ＿Ｃｏｍｍａｎｄ＿Ｍｏｄｅ（）を設定４３０４し、前述のように継続しうる。
【０２１６】
図４４は、Ｗｉ‐Ｆｉに関するユーザからのコマンドをパースするための方法４４００の流れ図である。ユーザ機器（ＵＥ）１０４により方法４４００が実施されうる。方法４４００は、Ｕｓｅｒ＿Ｍｏｄｅ＿Ｇｅｎｅｒａｔｏｒ３３６の一部であり、ＩＳＭコントローラ３２４により呼び出されうる。
【０２１７】
ユーザ機器（ＵＥ）１０４は、＃２．１を開始４４０２しうる。ユーザ機器（ＵＥ）１０４は、Ｕｓｅｒ＿Ｍｏｄｅ＝＝Ｃａｎ＿Ｄｉｓａｂｌｅ＿ＢＴか決定４４０４しうる。Ｕｓｅｒ＿Ｍｏｄｅ＝＝Ｃａｎ＿Ｄｉｓａｂｌｅ＿ＢＴなら、ユーザ機器（ＵＥ）１０４は、Ｒｅｑｕｅｓｔ＿Ｄｉｓａｂｌｉｎｇ＿ＢＴ＝ＴＲＵＥの不揮発性（ＮＶ）コピーを設定４４０６し、ユーザ機器（ＵＥ）１０４は、Ｕｓｅｒ＿Ｍｏｄｅ＝＝Ｃａｎｎｏｔ＿Ｄｉｓａｂｌｅ＿ＢＴか決定４４０８しうる。Ｕｓｅｒ＿ＭｏｄｅがＣａｎ＿Ｄｉｓａｂｌｅ＿ＢＴと等しくなければ、ユーザ機器（ＵＥ）１０４は、Ｕｓｅｒ＿Ｍｏｄｅ＝＝Ｃａｎｎｏｔ＿Ｄｉｓａｂｌｅ＿ＢＴか決定４４０８しうる。
【０２１８】
Ｕｓｅｒ＿Ｍｏｄｅ＝＝Ｃａｎｎｏｔ＿Ｄｉｓａｂｌｅ＿ＢＴなら、ユーザ機器（ＵＥ）１０４は、Ｒｅｑｕｅｓｔ＿Ｄｉｓａｂｌｉｎｇ＿ＢＴ＝ＦＡＬＳＥの不揮発性（ＮＶ）コピーを設定４４１０しうる。それからユーザ機器（ＵＥ）１０４は、Ｕｓｅｒ＿Ｍｏｄｅ＝＝Ｃａｎ＿Ｄｉｓａｂｌｅ＿Ｗｉ‐Ｆｉか決定４４１２しうる。Ｕｓｅｒ＿ＭｏｄｅがＣａｎｎｏｔ＿Ｄｉｓａｂｌｅ＿ＢＴと等しくなければ、ユーザ機器（ＵＥ）１０４は、Ｕｓｅｒ＿Ｍｏｄｅ＝＝Ｃａｎ＿Ｄｉｓａｂｌｅ＿Ｗｉ‐Ｆｉか決定４４１２しうる。
【０２１９】
Ｕｓｅｒ＿Ｍｏｄｅ＝＝Ｃａｎ＿Ｄｉｓａｂｌｅ＿Ｗｉ‐Ｆｉなら、ユーザ機器（ＵＥ）１０４は、Ｒｅｑｕｅｓｔ＿Ｄｉｓａｂｌｉｎｇ＿Ｗｉ‐Ｆｉ＝ＴＲＵＥの不揮発性（ＮＶ）コピーを設定４４１４しうる。ユーザ機器（ＵＥ）１０４は、Ｕｓｅｒ＿Ｍｏｄｅ＝＝Ｃａｎｎｏｔ＿Ｄｉｓａｂｌｅ＿Ｗｉ‐Ｆｉか決定４４１６しうる。Ｕｓｅｒ＿ＭｏｄｅがＣａｎ＿Ｄｉｓａｂｌｅ＿Ｗｉ‐Ｆｉと等しくなければ、ユーザ機器（ＵＥ）１０４は、Ｕｓｅｒ＿Ｍｏｄｅ＝＝Ｃａｎｎｏｔ＿Ｄｉｓａｂｌｅ＿Ｗｉ‐Ｆｉか決定４４１６しうる。
【０２２０】
Ｕｓｅｒ＿Ｍｏｄｅ＝＝Ｃａｎｎｏｔ＿Ｄｉｓａｂｌｅ＿Ｗｉ‐Ｆｉなら、ユーザ機器（ＵＥ）１０４は、Ｒｅｑｕｅｓｔ＿Ｄｉｓａｂｌｉｎｇ＿Ｗｉ‐Ｆｉ＝ＦＡＬＳＥの不揮発性（ＮＶ）コピーを設定４４１８し、方法４４００が終了しうる。Ｕｓｅｒ＿ＭｏｄｅがＣａｎｎｏｔ＿Ｄｉｓａｂｌｅ＿Ｗｉ‐Ｆｉと等しくなければ、方法４４００が終了しうる。
【０２２１】
図４５は、Ｂｌｕｅｔｏｏｔｈに関するユーザからのコマンドをパースするための方法４５００の流れ図である。ユーザ機器（ＵＥ）１０４により方法４５００が実施されうる。方法４５００は、Ｕｓｅｒ＿Ｍｏｄｅ＿Ｇｅｎｅｒａｔｏｒ３３６の一部であり、ＩＳＭコントローラ３２４により呼び出されうる。
【０２２２】
ユーザ機器（ＵＥ）１０４は、＃２．２を開始４５０２しうる。ユーザ機器（ＵＥ）１０４は、Ｕｓｅｒ＿Ｍｏｄｅ＝＝Ｃａｎ＿Ｄｉｓａｂｌｅ＿ＢＴか決定４５０４しうる。Ｕｓｅｒ＿Ｍｏｄｅ＝＝Ｃａｎ＿Ｄｉｓａｂｌｅ＿ＢＴなら、ユーザ機器（ＵＥ）１０４は、Ｒｅｑｕｅｓｔ＿Ｄｉｓａｂｌｉｎｇ＿ＢＴ＝ＴＲＵＥを設定４５０６し、Ｒｅｑｕｅｓｔ＿Ｄｉｓａｂｌｉｎｇ＿ＢＴ＝ＴＲＵＥの不揮発性（ＮＶ）コピーを設定４５０８しうる。それからユーザ機器（ＵＥ）１０４は、Ｕｓｅｒ＿Ｍｏｄｅ＝＝Ｃａｎｎｏｔ＿Ｄｉｓａｂｌｅ＿ＢＴか決定４５１０しうる。Ｕｓｅｒ＿ＭｏｄｅがＣａｎ＿Ｄｉｓａｂｌｅ＿ＢＴと等しくなければ、ユーザ機器（ＵＥ）１０４は、Ｕｓｅｒ＿Ｍｏｄｅ＝＝Ｃａｎｎｏｔ＿Ｄｉｓａｂｌｅ＿ＢＴか決定４５１０しうる。
【０２２３】
Ｕｓｅｒ＿Ｍｏｄｅ＝＝Ｃａｎｎｏｔ＿Ｄｉｓａｂｌｅ＿ＢＴなら、ユーザ機器（ＵＥ）１０４は、Ｒｅｑｕｅｓｔ＿Ｄｉｓａｂｌｉｎｇ＿ＢＴ＝ＦＡＬＳＥを設定４５１２し、Ｒｅｑｕｅｓｔ＿Ｄｉｓａｂｌｉｎｇ＿ＢＴ＝ＦＡＬＳＥの不揮発性（ＮＶ）コピーを設定４５１４しうる。それからユーザ機器（ＵＥ）１０４は、Ｕｓｅｒ＿Ｍｏｄｅ＝＝Ｃａｎ＿Ｄｉｓａｂｌｅ＿Ｗｉ‐Ｆｉか決定４５１６しうる。Ｕｓｅｒ＿ＭｏｄｅがＣａｎｎｏｔ＿Ｄｉｓａｂｌｅ＿ＢＴと等しくなければ、ユーザ機器（ＵＥ）１０４は、Ｕｓｅｒ＿Ｍｏｄｅ＝＝Ｃａｎ＿Ｄｉｓａｂｌｅ＿Ｗｉ‐Ｆｉか決定４５１６しうる。
【０２２４】
Ｕｓｅｒ＿Ｍｏｄｅ＝＝Ｃａｎ＿Ｄｉｓａｂｌｅ＿Ｗｉ‐Ｆｉなら、ユーザ機器（ＵＥ）１０４は、Ｒｅｑｕｅｓｔ＿Ｄｉｓａｂｌｉｎｇ＿Ｗｉ‐Ｆｉ＝ＴＲＵＥを設定４５１８し、Ｒｅｑｕｅｓｔ＿Ｄｉｓａｂｌｉｎｇ＿Ｗｉ‐Ｆｉ＝ＴＲＵＥの不揮発性（ＮＶ）コピーを設定４５２０しうる。それからユーザ機器（ＵＥ）１０４は、Ｕｓｅｒ＿Ｍｏｄｅ＝＝Ｃａｎｎｏｔ＿Ｄｉｓａｂｌｅ＿Ｗｉ‐Ｆｉか決定４５２２しうる。Ｕｓｅｒ＿ＭｏｄｅがＣａｎ＿Ｄｉｓａｂｌｅ＿Ｗｉ‐Ｆｉと等しくなければ、ユーザ機器（ＵＥ）１０４は、Ｕｓｅｒ＿Ｍｏｄｅ＝＝Ｃａｎｎｏｔ＿Ｄｉｓａｂｌｅ＿Ｗｉ‐Ｆｉか決定４５２２しうる。
【０２２５】
Ｕｓｅｒ＿Ｍｏｄｅ＝＝Ｃａｎｎｏｔ＿Ｄｉｓａｂｌｅ＿Ｗｉ‐Ｆｉなら、ユーザ機器（ＵＥ）１０４は、Ｒｅｑｕｅｓｔ＿Ｄｉｓａｂｌｉｎｇ＿Ｗｉ‐Ｆｉ＝ＦＡＬＳＥを設定４５２４し、Ｒｅｑｕｅｓｔ＿Ｄｉｓａｂｌｉｎｇ＿Ｗｉ‐Ｆｉ＝ＦＡＬＳＥの不揮発性（ＮＶ）コピーを設定４５２６しうる。それから方法４５００が終了しうる。Ｕｓｅｒ＿ＭｏｄｅがＣａｎｎｏｔ＿Ｄｉｓａｂｌｅ＿Ｗｉ‐Ｆｉと等しくなければ、方法４５００が終了しうる。
【０２２６】
図４６は、Ｗｉ‐Ｆｉトランシーバ１０８の電力増幅器１１９ａを有効化するための方法４６００の流れ図である。ユーザ機器（ＵＥ）１０４により方法４６００が実施されうる。ＩＳＭ＿Ｓｔａｔｅ＿Ｍａｃｈｉｎｅ（）３３１  Ｐａｒｔ＃３により方法４６００が呼び出されうる。ユーザ機器（ＵＥ）１０４が、Ｗｉ‐Ｆｉ＿Ｐｏｗｅｒ＿Ａｍｐｌｉｆｉｅｒ＿Ｅｎａｂｌｅ（）を開始４６０２しうる。ユーザ機器（ＵＥ）１０４は、Ｗｉ‐Ｆｉ伝送器１１４ｂを有効化するために必要な物理的設定を構成４６０４しうる。方法４６００が終了しうる。
【０２２７】
図４７は、Ｗｉ‐Ｆｉトランシーバ１０８の電力増幅器１１９ａを無効化するための方法４７００の流れ図である。ユーザ機器（ＵＥ）１０４により方法４７００が実施されうる。ＩＳＭ＿Ｓｔａｔｅ＿Ｍａｃｈｉｎｅ（）３３１  Ｐａｒｔ＃３により方法４７００が呼び出されうる。ユーザ機器（ＵＥ）１０４は、Ｗｉ‐Ｆｉ＿Ｐｏｗｅｒ＿Ａｍｐｌｉｆｉｅｒ＿Ｄｉｓａｂｌｅ（）を開始４７０２しうる。ユーザ機器（ＵＥ）１０４は、Ｗｉ‐Ｆｉ伝送器１１４ｂを無効化するために必要な物理的設定を構成４７０４しうる。方法４７００が終了する
【０２２８】
図４８は、Ｗｉ‐Ｆｉトランシーバ１０８を論理的に有効化するための方法４８００の流れ図である。ユーザ機器（ＵＥ）１０４により方法４８００が実施されうる。ＩＳＭ＿Ｓｔａｔｅ＿Ｍａｃｈｉｎｅ（）３３１  Ｐａｒｔ＃３により方法４８００が呼び出されうる。ユーザ機器（ＵＥ）１０４は、Ｗｉ‐Ｆｉ＿Ｔｒａｎｓｃｅｉｖｅｒ＿Ｅｎａｂｌｅ（）を開始４８０２しうる。ユーザ機器（ＵＥ）１０４は、Ｗｉ‐Ｆｉ伝送器１１４ｂを有効化するために必要な論理コマンドを送信４８０４しうる。方法４８００が終了しうる。
【０２２９】
図４９は、Ｗｉ‐Ｆｉトランシーバ１０８を論理的に無効化するための方法４９００の流れ図である。ユーザ機器（ＵＥ）１０４により方法４９００が実施されうる。ＩＳＭ＿Ｓｔａｔｅ＿Ｍａｃｈｉｎｅ（）３３１  Ｐａｒｔ＃３により方法４９００が呼び出されうる。ユーザ機器（ＵＥ）１０４は、Ｗｉ‐Ｆｉ＿Ｔｒａｎｓｃｅｉｖｅｒ＿Ｄｉｓａｂｌｅ（）を開始４９０２しうる。ユーザ機器（ＵＥ）１０４は、Ｗｉ‐Ｆｉ伝送器１１４ｂを無効化するために必要な論理コマンドを送信４９０４しうる。方法４９００が終了する。
【０２３０】
図５０は、ユーザ機器（ＵＥ）５００４において使用されうる様々な構成要素を示す。ユーザ機器（ＵＥ）５００４は、先に示したユーザ機器（ＵＥ）１０４として使用されうる。ユーザ機器（ＵＥ）５００４は、ユーザ機器（ＵＥ）５００４の動作を制御するプロセッサ５０５４を含む。プロセッサ５０５４は、ＣＰＵとも呼ばれうる。メモリ５０７４は、読取り専用メモリ（ＲＯＭ）、ランダムアクセスメモリ（ＲＡＭ）の両方または情報を記憶しうる任意のタイプのデバイスを含むことができ、命令５０５６ａおよびデータ５０５８ａをプロセッサ５０５４に提供する。メモリ５０７４の一部は、不揮発性ランダムアクセスメモリ（ＮＶＲＡＭ）も含みうる。命令５０５６ｂおよびデータ５０５８ｂは、プロセッサ５０５４内にもありうる。プロセッサ５０５４にロードされた命令５０５６ｂおよび／またはデータ５０５８ｂは、プロセッサ５０５４による実行または処理のためにロードされたメモリ５０７４からの命令５０５６ａおよび／またはデータ５０５８ａも含みうる。本明細書に開示したシステムおよび方法を実装するために、プロセッサ５０５４により命令５０５６ｂが実行されうる。
【０２３１】
ユーザ機器（ＵＥ）５００４は、データの伝送および受信を可能にするために伝送器５０７２と受信器５０７３とを含むハウジングも含みうる。伝送器５０７２および受信器５０７３は、トランシーバ５０７１に組み合わせられうる。一つ以上のアンテナ５００６ａ〜ｎがハウジングに取り付けられ、トランシーバ５０７１に電気的に結合される。
【０２３２】
ユーザ機器（ＵＥ）５００４の様々な構成要素が、バスシステム５０７７により一緒に連結され、これにはデータバスに加えて、パワーバス、制御信号バス、およびステータス信号バスが含まれうる。しかし、明確のため、図５０においては様々なバスがバスシステム５０７７として示される。ユーザ機器（ＵＥ）５００４は、信号処理に用いられるデジタル信号プロセッサ（ＤＳＰ）５０７５も含みうる。ユーザ機器（ＵＥ）５００４は、ユーザ機器（ＵＥ）５００４の機能に対するユーザアクセスを提供する通信インタフェース５０７６も含みうる。図５０に示したユーザ機器（ＵＥ）５００４は、特定の構成要素のリストではなく機能ブロック図である。
【０２３３】
図５１は、ｅＮＢ５１０２において使用されうる様々な構成要素を示す。ｅＮＢ５１０２は、先に示したｅＮＢ１０２として使用されうる。ｅＮＢ５１０２は、プロセッサ５１５４、プロセッサ５１５４に命令５１５６ａおよびデータ５１５８ａを提供するメモリ５１７４、プロセッサ５１５４内にありまたはこれにロードされうる命令５１５６ｂおよびデータ５１５８ｂ、（トランシーバ５１７１に組み合わされうる）伝送器５１７２と受信器５１７３とを含むハウジング、トランシーバ５１７１に電気的に結合された一つ以上のアンテナ５１０６ａ〜ｎ、バスシステム５１７７、信号処理に用いられるＤＳＰ５１７５、通信インタフェース５１７６等を含めて、ユーザ機器（ＵＥ）５００４に関して上述した構成要素と同様の構成要素を含みうる。
【０２３４】
特に明記しない限り、以上における「／」の使用は、「および／または」の語句を表す。本明細書に記載される機能は、ハードウェア、ソフトウェア、ファームウェアまたはその任意の組み合わせにおいて実装されうる。ソフトウェアで実装される場合、機能は一つ以上の命令としてコンピュータ可読媒体に記憶されうる。「コンピュータ可読媒体」という用語は、コンピュータまたはプロセッサによりアクセスされうる任意の利用可能な媒体をいう。本明細書で用いられるところの「コンピュータ可読媒体」という用語は、固定有形のコンピュータおよび／またはプロセッサ可読媒体を意味しうる。限定ではなく例として、コンピュータ可読またはプロセッサ可読媒体は、ＲＡＭ、ＲＯＭ、ＥＥＰＲＯＭ、ＣＤ‐ＲＯＭもしくは他の光学ディスク記憶装置、磁気ディスク記憶装置もしくは他の磁気記憶デバイスまたは命令もしくはデータ構造の形で所望のプログラムコードを担持または記憶するために使用でき、コンピュータまたはプロセッサによってアクセスされうる任意の他の媒体を含みうる。本明細書で用いられるところのディスク（Ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ディスク（ｄｉｓｋ）は通常磁気によりデータを再現し、ディスク（ｄｉｓｃ）はレーザで光学的にデータを再現する。
【０２３５】
本明細書において開示される方法の各々には、記載された方法を達成するための一つ以上のステップまたはアクションが含まれる。方法ステップおよび／またはアクションは、請求の範囲を逸脱することなく交換され、および／または一つのステップに組み合わされうる。換言すれば、記載される方法の適切な動作のためにステップまたはアクションの特定の順序が必要とされない限り、特定のステップおよび／またはアクションの順序および／または使用は、請求の範囲を逸脱することなく修正されうる。
【０２３６】
本明細書において用いられるところの「決定する」という用語は、多種多様なアクションを包含し、したがって「決定」には、計算、コンピューティング、処理、導出、調査、検索（たとえばテーブル、データベースまたは別のデータ構造の検索）、確認等を含みうる。また、「決定」には受信（例えば情報の受信）、アクセス（たとえばメモリのデータへのアクセス）などを含みうる。また、「決定」には、解決、選択、選定、確立などを含みうる。
【０２３７】
明示的に別段の定めがない限り、「にもとづく」という語句は「のみにもとづく」を意味しない。換言すれば、「にもとづく」という語句は、「のみにもとづく」と「少なくとも〜にもとづく」の両方を表す。
【０２３８】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するものとして広く解釈されねばならない。一部の状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などをさしうる。「プロセッサ」という用語は、処理デバイスの組み合わせ、たとえばＤＳＰとマイクロプロセッサとの組み合わせ、複数のマイクロプロセッサ、ＤＳＰコアを備えた一つ以上のマイクロプロセッサ、または任意の他のそのような構成をさしうる。
【０２３９】
「メモリ」という用語は、電子情報を記憶できる任意の電子構成要素を包含するものとして広く解釈されねばならない。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタ等、様々なタイプのプロセッサ可読媒体をさしうる。プロセッサがメモリから情報を読み取りおよび／またはメモリに情報を書き込むことができる場合、メモリはプロセッサと電子通信していると言われる。メモリはプロセッサと一体化されることができ、なおプロセッサと電子通信していると言うことができる。
【０２４０】
「命令」および「コード」という用語は、任意のタイプのコンピュータ可読ステートメント（単数または複数）を含むものとして広く解釈されねばならない。たとえば、「命令」および「コード」という用語は、一つ以上のプログラム、ルーチン、サブルーチン、関数、手続きなどをさしうる。「命令」および「コード」は、一つのコンピュータ可読ステートメントまたは多数のコンピュータ可読ステートメントを含みうる。
【０２４１】
ソフトウェアまたは命令は、伝送媒体を介して伝送されることもできる。たとえば、ソフトウェアが、ウェブサイト、サーバ、または他のリモートソースから同軸ケーブル、光ファイバケーブル、ツイストペア、デジタル加入者回線（ＤＳＬ）または赤外線、無線、およびマイクロ波等のワイヤレス技術を使用して伝送される場合には、同軸ケーブル、光ファイバケーブル、ツイストペア、ＤＳＬ、または赤外線、無線、およびマイクロ波等のワイヤレス技術が、伝送媒体の定義に含まれる。
【０２４２】
特許請求の範囲は、上述の正確な構成および構成要素に限定されないことを理解されたい。請求の範囲を逸脱することなく、本明細書に記載のシステム、方法、および装置の構成、動作および詳細につき様々な修正、変更および変形がなされうる。
【図１Ａ】
0006002681.tif 000002
【図１Ｂ】
0006002681.tif 000003
【図２】
0006002681.tif 000004
【図３】
0006002681.tif 000005
【図４】
0006002681.tif 000006
【図５】
0006002681.tif 000007
【図６】
0006002681.tif 000008
【図７】
0006002681.tif 000009
【図８】
0006002681.tif 000010
【図９】
0006002681.tif 000011
【図１０】
0006002681.tif 000012
【図１１】
0006002681.tif 000013
【図１２】
0006002681.tif 000014
【図１３】
0006002681.tif 000015
【図１４】
0006002681.tif 000016
【図１５】
0006002681.tif 000017
【図１６】
0006002681.tif 000018
【図１７】
0006002681.tif 000019
【図１８】
0006002681.tif 000020
【図１９】
0006002681.tif 000021
【図２０】
0006002681.tif 000022
【図２１】
0006002681.tif 000023
【図２２】
0006002681.tif 000024
【図２３】
0006002681.tif 000025
【図２４】
0006002681.tif 000026
【図２５】
0006002681.tif 000027
【図２６】
0006002681.tif 000028
【図２７】
0006002681.tif 000029
【図２８】
0006002681.tif 000030
【図２９】
0006002681.tif 000031
【図３０】
0006002681.tif 000032
【図３１】
0006002681.tif 000033
【図３２】
0006002681.tif 000034
【図３３】
0006002681.tif 000035
【図３４】
0006002681.tif 000036
【図３５】
0006002681.tif 000037
【図３６】
0006002681.tif 000038
【図３７】
0006002681.tif 000039
【図３８】
0006002681.tif 000040
【図３９】
0006002681.tif 000041
【図４０】
0006002681.tif 000042
【図４１】
0006002681.tif 000043
【図４２】
0006002681.tif 000044
【図４３】
0006002681.tif 000045
【図４４】
0006002681.tif 000046
【図４５】
0006002681.tif 000047
【図４６】
0006002681.tif 000048
【図４７】
0006002681.tif 000049
【図４８】
0006002681.tif 000050
【図４９】
0006002681.tif 000051
【図５０】
0006002681.tif 000052
【図５１】
0006002681.tif 000053